(57)【特許請求の範囲】
【請求項１】
治療化合物に応答する可能性がある、白血病を有する対象を特定するためのデータを取得するための、または白血病を有するか、もしくは白血病を有する疑いのある対象の治療化合物に対する応答性を予測するためのデータを取得するための方法であって、
（ａ）前記対象から得た試料中のセレブロン（ＣＲＢＮ）のレベルを測定することと、
（ｂ）前記対象から得た試料中のＩＫＺＦ１のレベルを測定することと、
（ｃ）前記対象から得た前記試料中の前記ＣＲＢＮのレベルの前記ＩＫＺＦ１のレベルに対する比を決定することと、
（ｄ）前記対象から得た前記試料中の前記ＣＲＢＮのレベルの前記ＩＫＺＦ１のレベルに対する比が前記ＣＲＢＮのレベルの前記ＩＫＺＦ１のレベルに対する参照比より高い場合、前記対象を前記治療化合物に応答する可能性があると決定することとを含み、
前記治療化合物が、サリドマイド、レナリドミドまたはポマリドミドである、前記方法。
【請求項２】
治療化合物に応答する可能性がある、白血病を有する対象を特定するためのデータを取得するための、または白血病を有するか、もしくは白血病を有する疑いのある対象の治療化合物に対する応答性を予測するためのデータを取得するための方法であって、
（ａ）前記対象から得た試料中のセレブロン（ＣＲＢＮ）のレベルを測定することと、
（ｂ）前記対象から得た前記試料中のＩＫＺＦ２のレベルを測定することと、
（ｃ）前記対象から得た前記試料中の前記ＣＲＢＮのレベルの前記ＩＫＺＦ２のレベルに対する比を決定することと、
（ｄ）前記対象から得た前記試料中の前記ＣＲＢＮのレベルの前記ＩＫＺＦ２のレベルに対する比が、前記ＣＲＢＮのレベルの前記ＩＫＺＦ２のレベルに対する参照比より高い場合、前記対象を前記治療化合物に応答する可能性があると決定することとを含み、
前記治療化合物が、サリドマイド、レナリドミドまたはポマリドミドである、前記方法。
【請求項３】
前記参照比が参照試料中の前記ＣＲＢＮのレベルの前記ＩＫＺＦ１またはＩＫＺＦ２のレベルに対する比であり、前記参照試料が、白血病を有するが前記化合物での治療に応答しない対象から得られた対照試料を使用することによって準備され；または前記参照比は所定の比であり；かつ前記対照試料は、前記試料と同じ由来源である、請求項１または２に記載の方法。
【請求項４】
前記白血病が成人Ｔ細胞白血病（ＡＴＬ）である、請求項１〜３のいずれか一項に記載の方法。
【請求項５】
前記白血病が再発性、難治性または従来の治療に対して抵抗性である、請求項１〜４のいずれか一項に記載の方法。
【請求項６】
前記治療化合物がレナリドミドである、請求項１〜５のいずれか一項に記載の方法。
【請求項７】
前記ＣＲＢＮのレベルの前記ＩＫＺＦ１のレベルに対する比が３より高い場合、工程（ｄ）において前記対象を前記治療化合物に応答する可能性があると決定する、請求項１及び３〜６のいずれか一項に記載の方法。
【請求項８】
前記ＣＲＢＮのレベルの前記ＩＫＺＦ１のレベルに対する比が４より高い場合、工程（ｄ）において前記対象を前記治療化合物に応答する可能性があると決定する、請求項１及び３〜６のいずれか一項に記載の方法。
【請求項９】
前記ＣＲＢＮのレベルの前記ＩＫＺＦ１のレベルに対する比が５より高い場合、工程（ｄ）において前記対象を前記治療化合物に応答する可能性があると決定する、請求項１及び３〜６のいずれか一項に記載の方法。
【請求項１０】
前記ＣＲＢＮのレベルの前記ＩＫＺＦ２のレベルに対する比が５００〜５０００である場合、工程（ｄ）において前記対象を前記治療化合物に応答する可能性があると決定する、請求項２〜６のいずれか一項に記載の方法。
【請求項１１】
前記ＣＲＢＮのレベルの前記ＩＫＺＦ２のレベルに対する比が５００より高い場合、工程（ｄ）において前記対象を前記治療化合物に応答する可能性があると決定する、請求項２〜６のいずれか一項に記載の方法。
【請求項１２】
前記ＣＲＢＮのレベルの前記ＩＫＺＦ２のレベルに対する比が１０００より高い場合、工程（ｄ）において前記対象を前記治療化合物に応答する可能性があると決定する、請求項２〜６のいずれか一項に記載の方法。
【請求項１３】
前記ＣＲＢＮのレベルの前記ＩＫＺＦ２のレベルに対する比が１５００より高い場合、工程（ｄ）において前記対象を前記治療化合物に応答する可能性があると決定する、請求項２〜６のいずれか一項に記載の方法。
【請求項１４】
前記ＣＲＢＮのレベルの前記ＩＫＺＦ２のレベルに対する比が２５００より高い場合、工程（ｄ）において前記対象を前記治療化合物に応答する可能性があると決定する、請求項２〜６のいずれか一項に記載の方法。
【請求項１５】
前記ＣＲＢＮ、ＩＫＺＦ１、及び／またはＩＫＺＦ２のレベルがバイオマーカーのタンパク質レベルを決定することによって測定される、請求項１〜１４のいずれか一項に記載の方法。
【請求項１６】
前記ＣＲＢＮ、ＩＫＺＦ１、及び／またはＩＫＺＦ２のレベルがバイオマーカーのｍＲＮＡレベルを決定することによって測定される、請求項１〜１４のいずれか一項に記載の方法。
【請求項１７】
前記ＣＲＢＮ、ＩＫＺＦ１、及び／またはＩＫＺＦ２のレベルがバイオマーカーのｃＤＮＡレベルを決定することによって測定される、請求項１〜１４のいずれか一項に記載の方法。
【請求項１８】
前記ＣＲＢＮ、ＩＫＺＦ１、及び／またはＩＫＺＦ２のレベルが定量的ＰＣＲ（ｑＰＣＲ）を使用して測定される、請求項１６または１７に記載の方法。
【発明の詳細な説明】
【技術分野】
【０００１】
関連出願の相互参照
本出願は、２０１５年６月２日に出願された米国仮特許出願第６２／１７０，０９９号及び２０１５年１０月６日に出願された米国仮特許出願第６２／２３７，９０５号に対する優先権の利益を主張するものであり、これらの開示の全体を参照により本明細書に援用する。
１．分野
レナリドミドなどの免疫調節剤による治療に対する、がん、例えば、成人Ｔ細胞白血病（ＡＴＬ）の臨床的感受性及び対象の応答を予測するための方法が本明細書で提供される。
【背景技術】
【０００２】
２．背景
２．１  がん及び成人Ｔ細胞白血病（ＡＴＬ）
がんは、ある任意の正常組織に由来する異常細胞の数の増加、これらの異常細胞の隣接する組織への浸潤、または悪性細胞のリンパ液もしくは血液を介した所属リンパ節及び遠位への拡大（転移）を主に特徴とする。臨床データ及び分子生物学的研究では、がんが多段階プロセスであり、ある特定の状況下で新生物形成に進行し得る、新生物発生前の軽微な変化から開始することが示されている。新生物性病変は、特に新生細胞が宿主の免疫監視を免れる状況下において、クローン的に進化し、浸潤、成長、転移及び不均一性のための能力を増大していくことができる。Ｒｏｉｔｔ  ｅｔ  ａｌ．，Ｉｍｍｕｎｏｌｏｇｙ，１７．１−１７．１２（３ｒｄ  ｅｄ．，Ｍｏｓｂｙ，Ｓｔ．Ｌｏｕｉｓ，Ｍｏ．，１９９３）．
【０００３】
膨大な種類のがんが医学文献に詳細に記載されている。例としては、肺、胃、結腸、膵臓、肝臓、直腸、前立腺、乳房、脳、血液及び腸のがんが挙げられる。がんの発生率は、一般集団の年齢が進み、新たながんが発現し、感受性集団（例えば、ＡＩＤＳ感染者または日光への過度な曝露を受けた者）が増大するにつれ、上昇し続ける。しかしながら、がんの治療選択肢は制限されている。例えば、血液がん（例えば、多発性骨髄腫）では、特に、従来の化学療法が成功せず、骨髄移植が選択肢にならない場合、利用可能な治療選択肢はわずかである。そのため、がん患者の治療に使用することができる新しい方法及び組成物に対し、多大な期待が存在する。
【０００４】
多くの種類のがんが、新血管形成（血管新生として知られるプロセス）と関係する。腫瘍誘発性血管新生に関与する機構のいくつかが解明されている。これらの機構で最も直接的なものは、腫瘍細胞による血管新生特性を有するサイトカインの分泌である。これらのサイトカインの例には、酸性及び塩基性線維芽細胞増殖因子（ａ、ｂ−ＦＧＦ）、アンギオゲニン、血管内皮細胞増殖因子（ＶＥＧＦ）及びＴＮＦ−αが挙げられる。あるいは、腫瘍細胞は、プロテアーゼの産生と、それに続く、複数のサイトカイン（例えば、ｂ−ＦＧＦ）が貯蔵されている細胞外マトリックスの分解とにより、血管新生ペプチドを放出することができる。血管新生はまた、炎症性細胞（特にマクロファージ）が動員され、続いてこれらの炎症性細胞から血管新生サイトカイン（例えば、ＴＮＦ−α、ｂ−ＦＧＦ）が放出されることにより、間接的に誘発され得る。
【０００５】
血液がんは、一般に、リンパ腫、白血病及び骨髄腫の３つの主な種類を含む。
【０００６】
リンパ腫は、リンパ系に由来するがんを指す。リンパ腫は、リンパ球のＢリンパ球及びＴリンパ球（すなわち、Ｂ細胞及びＴ細胞）の悪性新生物を特徴とする。リンパ腫は、一般に、リンパ節または器官中のリンパ組織の集合体で発生する。リンパ腫は、場合により、骨髄及び血液を冒し得る。リンパ腫は、身体のある部位から他の部分に広がる場合がある。
【０００７】
種々の形態のリンパ腫に関する治療法は、例えば、米国特許第７，４６８，３６３号に記載されており、この特許全体を参照により本明細書に援用する。リンパ腫には、ホジキンリンパ腫、非ホジキンリンパ腫（ＮＨＬ）、皮膚Ｂ細胞リンパ腫、活性化Ｂ細胞リンパ腫、びまん性大細胞型Ｂ細胞リンパ腫（ＤＬＢＣＬ）、マントル細胞リンパ腫（ＭＣＬ）、濾胞中心細胞性リンパ腫、形質転換リンパ腫、中分化型リンパ球性リンパ腫、中間型リンパ球性リンパ腫（ＩＬＬ）、びまん性低分化型リンパ球性リンパ腫（ＰＤＬ）、中心細胞性リンパ腫、びまん性小切れ込み細胞型リンパ腫（ＤＳＣＣＬ）、末梢性Ｔ細胞リンパ腫（ＰＴＣＬ）、皮膚Ｔ細胞リンパ腫、マントル帯リンパ腫及び低悪性濾胞性リンパ腫が挙げられるが、これらに限定されない。
【０００８】
白血病は、造血組織の悪性新生物を指す。白血病の種々の形態については、例えば、米国特許第７，３９３，８６２号及び米国仮特許出願第６０／３８０，８４２号（２００２年５月１７日出願）に記載されており、これらの全体を参照により本明細書に援用する。動物ではウイルスが一部の形態の白血病を引き起こすことが報告されているが、ヒトにおける白血病の原因は大部分が不明である。Ｔｈｅ  Ｍｅｒｃｋ  Ｍａｎｕａｌ，９４４−９５２（１７ｔｈ  ｅｄ．１９９９）。悪性腫瘍への形質転換は、典型的には、２つ以上の段階を通じて１つの細胞中にて生じ、それに続いて増殖及びクローン増大が生じる。いくつかの白血病では、特定の染色体転座と白血病細胞の形態学及び特有の臨床的特徴との一致が特定されている（例えば、慢性骨髄性白血病では９番と２２番の転座及び急性前骨髄球性白血病では１５番と１７番の転座）。急性白血病は主に未分化細胞集団が関係し、一方、慢性白血病はより成熟した細胞形態が関係する。
【０００９】
急性白血病は、急性リンパ芽球性白血病（ＡＬＬ）及び急性非リンパ芽球性白血病（ＡＮＬＬ）の種類に分けられる。Ｔｈｅ  Ｍｅｒｃｋ  Ｍａｎｕａｌ，９４６−９４９（１７ｔｈ  ｅｄ．１９９９）。これらは、Ｆｒｅｎｃｈ−Ａｍｅｒｉｃａｎ−Ｂｒｉｔｉｓｈ（ＦＡＢ）分類または分化の種類及び程度に従った、形態学的及び細胞化学的外観により、更に細分化することができる。分類化には、特定のＢ細胞及びＴ細胞と骨髄抗原モノクローナル抗体の使用が最も役立つ。ＡＬＬは主に小児期疾患であり、検査所見及び骨髄検査によって確定される。ＡＮＬＬは、急性骨髄性白血病（ＡＭＬ）、急性骨髄白血病、急性骨髄芽球性白血病、急性骨髄球白血病または急性顆粒球性白血病としても知られ、全ての年齢で発生し、成人ではより一般的な急性白血病であり、原因物質として通常は放射線が関連付けられている形態である。
【００１０】
慢性白血病は、慢性リンパ性白血病（ＣＬＬ）または慢性骨髄性白血病（ＣＭＬ）に分けられる。Ｔｈｅ  Ｍｅｒｃｋ  Ｍａｎｕａｌ，９４９−９５２（１７ｔｈ  ｅｄ．１９９９）。ＣＬＬは、血液、骨髄及びリンパ系器官中の成熟リンパ球の外観によって特徴付けられる。ＣＬＬの特徴は、持続した絶対的リンパ球増加（＞５，０００／μＬ）及び骨髄におけるリンパ球の増加である。ほとんどのＣＬＬ患者は、Ｂ細胞の特徴を有するリンパ球のクローン増大も有している。ＣＬＬは、中高年層の疾患である。ＣＭＬの場合、その特性は、血液、骨髄、肝臓、脾臓及び他の器官において、全分化段階の顆粒球細胞が優性になることである。症候性ＣＭＬ患者において、総白血球（ＷＢＣ）数は、通常、診断時に約２００，０００／μＬであるが、１，０００，０００／μＬに達する場合もある。ＣＭＬは、フィラデルフィア染色体の存在により、診断が比較的容易である。
【００１１】
骨髄腫は、骨髄中における形質細胞のがんである。通常、形質細胞は、抗体を産生し、免疫機能において重要な役割を果たす。しかしながら、これらの細胞が無秩序に成長すると、骨の痛み及び骨折、貧血、感染症ならびに他の合併症に至る。骨髄腫は、骨髄の多くの部位で頻繁に発生するので、多発性骨髄腫と呼ばれることが多い。多発性骨髄腫は、２番目に最も多い血液悪性腫瘍であるが、多発性骨髄腫の正確な原因は依然として不明である。多発性骨髄腫は、限定するものではないが、Ｍタンパク質及び他の免疫グロブリン（抗体）、アルブミン及びβ２−ミクログロブリンを含むタンパク質のレベルが血液、尿及び器官中で高くなる。モノクローナルタンパク質の短縮形であるＭタンパク質は、パラプロテインとしても知られるが、骨髄腫形質細胞によって産生される特に異常なタンパク質であり、ほとんど全ての多発性骨髄腫患者の血液中または尿中に認めることができる。
【００１２】
成人Ｔ細胞白血病／リンパ腫（ＡＴＬまたはＡＴＬＬ）は、免疫系Ｔ細胞のがんである。ＡＴＬは、稀有であり、時に侵攻性である（急速に成長する）Ｔ細胞リンパ腫であり、血液（白血病）、リンパ節（リンパ腫）、皮膚または身体の多数領域で認めることができる。ＡＴＬは、ヒトＴ細胞リンパ球指向性ウイルス１型（ＨＴＬＶ−１）による感染と関連付けられている。ＡＴＬは、内臓障害、高カルシウム血症、皮膚病変及び溶解性骨病変を伴うことが多い。ＡＴＬ誘発性骨疾患の顕著な特徴の１つは、造骨細胞活性がほとんどないことに関連して、骨病変が主に溶解性であることである。ＡＴＬ患者における、ＩＬ−１、ＴＧＦ−β、ＰＴＨｒＰ、マクロファージ炎症性タンパク質（ＭＩＰ−１α）及びＮＦ−κＢ活性化受容体リガンド（ＲＡＮＫＬ）の血清中レベルの上昇は、高カルシウム血症と関連付けられている。Ｌｙｍｐｈｏｍａ  Ｒｅｓｅａｒｃｈ  Ｆｏｕｎｄａｔｉｏｎのウェブサイトを参照されたい。
【００１３】
ＡＴＬには、急性型、リンパ腫型、慢性型及びくすぶり型の４つのサブタイプがある。急性型及びリンパ腫型ＡＴＬは急速に成長する形態のＡＴＬであり、一方、慢性型及びくすぶり型ＡＴＬはあまり侵攻性ではない。急性型ＡＴＬの症状は、通常、急速に発展し、倦怠感、皮膚発疹及び頸部、腋窩または鼠径部リンパ節の腫脹を伴い得る。急性型ＡＴＬは、通常、白血球数の上昇を伴い、血液中のカルシウムレベルの上昇（高カルシウム血症）が同時に生じる。リンパ腫性型ＡＴＬも同様に急速に発達し、通常、リンパ節に認められるが、白血球数も高くなることがある。慢性型及びくすぶり型ＡＴＬは、それほど侵攻性ではない。慢性型ＡＴＬは、比較的ゆっくり進行し、血液中のリンパ球の増加、リンパ節腫脹、皮膚発疹または疲労感をもたらし得る。くすぶり型ＡＴＬは、通常、わずかな皮膚病変などの極めて軽度の症状を伴う。（同上参照。）
【００１４】
これまで、米国及び欧州におけるＡＴＬ、特に急性型及びリンパ腫型サブタイプに対する治療基準を確立するための臨床試験は十分でなかった。その結果、ＡＴＬの治療に使用される一般的な第一選択療法は、ＣＨＯＰ（シクロホスファミド、ドキソルビシン、ビンクリスチン及びプレドニゾン）などの他の型のＴ細胞リンパ腫の治療に使用されているものと同じである。第一選択設定と同様に、再発（治療後に疾患がぶり返す）ＡＴＬに対する標準治療も確立されていない。他のＴ細胞リンパ腫の再発後の治療に使用されている多数のレジメンがＡＴＬの治療にも使用されている。（同上参照。）
【００１５】
がん、例えばＡＴＬ、特に、手術、放射線療法、化学療法及びホルモン療法などの標準的治療に不応性であるがんを、従来の治療法に伴う毒性及び／もしくは副作用を低減または回避しつつ、治療し、予防し、管理するための安全かつ有効な方法が極めて必要とされている。本発明は、これらの必要性及び他の必要性を満たすものである。
【００１６】
２．２  セレブロン
セレブロン（ＣＲＢＮ）タンパク質には、それぞれ４４２及び４４１アミノ酸長である少なくとも２つのアイソフォームが存在しており、ＣＲＢＮは、植物からヒトまで保存されている。ヒトにおいて、ＣＲＢＮ遺伝子は、常染色体劣性非症候群性精神遅滞（ＡＲＮＳＭＲ）の候補遺伝子として同定されている。Ｈｉｇｇｉｎｓ  ｅｔ  ａｌ．，Ｎｅｕｒｏｌｏｇｙ  ２００４，６３：１９２７−１９３１を参照されたい。ＣＲＢＮは、当初、ラットの脳中でカルシウム活性化カリウムチャネルタンパク質（ＳＬＯ１）と相互作用する「Ｇタンパク質シグナル伝達調節因子」（ＲＧＳ）ドメインを含有する新しいタンパク質として特定され、その後、ＡＭＰＫ１及びＤＤＢ１とともに網膜中の電位開口型塩素チャネル（ＣＩＣ−２）と相互作用することが示された。Ｊｏ  ｅｔ  ａｌ．，Ｊ．Ｎｅｕｒｏｃｈｅｍ．２００５，９４：１２１２−１２２４、Ｈｏｈｂｅｒｇｅｒ  ｅｔ  ａｌ．，ＦＥＢＳ  Ｌｅｔｔ．２００９，５８３：６３３−６３７、Ａｎｇｅｒｓ  ｅｔ  ａｌ．，Ｎａｔｕｒｅ  ２００６，４４３：５９０−５９３を参照されたい。損傷ＤＮＡ結合タンパク質１（ＤＤＢ１）は、元々、損傷ＤＮＡ結合タンパク質２（ＤＤＢ２）と会合するヌクレオチド除去修復タンパク質として同定された。その活性が不完全であると、色素性乾皮症相補性Ｅ群（ＸＰＥ）患者で修復欠損を引き起こす。ＤＤＢ１はまた、標的タンパク質のユビキチン化及び後続するプロテアソーム分解を媒介する多数の異なるＤＣＸ（ＤＤＢ１−ＣＵＬ４−Ｘ−ｂｏｘ）Ｅ３ユビキチンタンパク質リガーゼ複合体の構成要素として機能するとみられる。また、ＣＲＢＮは、大脳皮質の疾患に対する治療薬の開発標的としても同定されている。ＷＯ２０１０／１３７５４７Ａ１を参照されたい。
ＣＲＢＮは、最近、出生異常を引き起こすサリドマイドに結合する重要な分子標的として同定された。Ｉｔｏ  ｅｔ  ａｌ．，Ｓｃｉｅｎｃｅ  ２０１０，３２７：１３４５−１３５０を参照されたい。ＤＤＢ１は、ＣＲＢＮとの相互作用が判明したことから、サリドマイドと間接的に関連付けられた。更に、サリドマイドは、ｉｎ  ｖｉｔｒｏでＣＲＢＮの自己ユビキチン化を阻害することができ、これにより、サリドマイドがＥ３ユビキチンリガーゼの阻害物質であることが示唆されている。（同上。）重要なことに、この活性は、野生型細胞ではサリドマイドによって阻害されたが、サリドマイド結合を妨げる変異ＣＲＢＮ結合部位を有する細胞では阻害されなかった。（同上。）サリドマイド結合部位は、ＣＲＢＮ中の高度に保存された１０４個のＣ末端アミノ酸領域にマッピングされた。（同上。）ＣＲＢＮ中の別個の点変異であるＹ３８４ＡとＷ３８６Ａの両方がサリドマイド結合性に欠き、二重変異体ではサリドマイド結合活性が最も低い。（同上。）ＣＲＢＮとサリドマイドの催奇形作用との関連は、ゼブラフィッシュ胚及びニワトリ胚の動物モデルで確認された。（同上。）
【００１７】
ＣＲＢＮ、ＣＲＢＮ  Ｅ３ユビキチンリガーゼ複合体またはＣＲＢＮの１つ以上の基質に対するサリドマイドまたは他の薬物の結合が、これらの薬物の有益な効果に必要であるかどうかについては、未だ立証されていない。これらの薬物とＣＲＢＮまたはＣＲＢＮ関連タンパク質との間の相互作用を理解することは、薬物の有効性及び／または毒性の分子機構を解明するのに役立ち、有効性及び毒性プロファイルが改善した新規薬物の開発につながる可能性がある。
【００１８】
２．３  化合物  
ＴＮＦ−αの異常産生に関連する疾患の治療に安全かつ効果的に使用できる免疫調節化合物を提供することを目的として、多くの研究が実施されている。例えば、Ｍａｒｒｉｏｔｔ  ｅｔ  ａｌ．，Ｅｘｐｅｒｔ  Ｏｐｉｎ．Ｂｉｏｌ．Ｔｈｅｒ．２００１，１（４）：１−８、Ｍｕｌｌｅｒ  ｅｔ  ａｌ．，Ｊ．Ｍｅｄ．Ｃｈｅｍ．１９９６，３９（１７）：３２３８−３２４０、Ｍｕｌｌｅｒ  ｅｔ  ａｌ．，Ｂｉｏｏｒｇ．＆Ｍｅｄ．Ｃｈｅｍ．Ｌｅｔｔ．１９９８，８：２６６９−２６７４を参照されたい。いくつかの研究は、ＬＰＳ刺激されたＰＢＭＣによるＴＮＦ−α産生を強力に阻害する能力に関して選択された免疫調節化合物群に焦点を当てている。Ｃｏｒｒａｌ  ｅｔ  ａｌ．，Ａｎｎ．Ｒｈｅｕｍ．Ｄｉｓ．１９９９，５８（Ｓｕｐｐｌ  Ｉ）：１１０７−１１１３。これらの化合物は、ＴＮＦ−αの強力な阻害だけでなく、ＬＰＳ誘導性単球のＩＬ−１β及びＩＬ−１２産生の顕著な阻害も示す。ＬＰＳ誘導性ＩＬ−６も、部分的ではあるが、かかる化合物により阻害される。更に、これらの化合物は、抗炎症性サイトカインであるＩＬ−１０のＬＰＳ誘導性産生の強力な刺激因子である。（同上。）
【００１９】
本明細書で提供される方法のための化合物には、米国特許第６，２８１，２３０号及び同第６，３１６，４７１号に記載されている、置換２−（２，６−ジオキソピペリジン−３−イル）フタルイミド及び置換２−（２，６−ジオキソピペリジン−３−イル）−１−オキソイソインドールが挙げられるが、これらに限定されない。本明細書中に開示される更に他の具体的な化合物は、各々が参照により本明細書に援用される、米国特許第６，３９５，７５４号、同第６，５５５，５５４号、同第７，０９１，３５３号、米国特許出願公開第２００４／００２９８３２号及び国際公開第ＷＯ９８／５４１７０号に開示されているイソインドール−イミドのクラスに属する。
【００２０】
サリドマイド、レナリドミド及びポマリドミドは、多発性骨髄腫、リンパ腫、及び骨髄異形成症候群などの他の血液疾患の患者において、顕著な応答を誘起している。Ｇａｌｕｓｔｉａｎ  ｅｔ  ａｌ．，Ｅｘｐｅｒｔ  Ｏｐｉｎ．Ｐｈａｒｍａｃｏｔｈｅｒ．２００９，１０：１２５−１３３を参照されたい。これらの治療化合物は、抗血管新生特性、炎症促進性サイトカインの調節、Ｔ細胞の共刺激、ＮＫ細胞毒性の増加、直接的な抗腫瘍作用及び幹細胞分化の調節を含む、広範な活性を示す。
【００２１】
例えば、サリドマイド及びレナリドミドは、初発患者、化学療法または移植が成功しなかった進行性疾患の患者、及び再発性または難治性多発性骨髄腫の患者における、多発性骨髄腫の治療に対する重要な選択肢として浮上している。デキサメタゾンと組み合わせたレナリドミドは、少なくとも１つの前治療を受けた多発性骨髄腫の患者の治療に対して承認されている。ポマリドミドもデキサメタゾンと組み合わせて投与することができる。米国特許出願公開第２００４／００２９８３２Ａ１号（その開示全体を本明細書に援用する）は、多発性骨髄腫の治療について開示している。
【００２２】
本明細書中に記載される別の化合物は、３−（５−アミノ−２−メチル−４−オキソ−４Ｈ−キナゾリン−３−イル）−ピペリジン−２，６−ジオン（「化合物Ａ」）、またはそのエナンチオマーもしくはエナンチオマーの混合物、またはその薬学的に許容される塩、溶媒和物、水和物、共結晶、包接化合物もしくは多形体である。化合物Ａは、米国特許第７，６３５，７００号に記載されているとおりに調製することができ、その開示全体を参照により本明細書に援用する。化合物Ａは、本明細書中の教示に基づいて、当業者に明らかな他の方法に従って合成することもできる。ある特定の実施形態において、化合物Ａは、２０１１年３月１１日に出願された米国仮特許出願第６１／４５１，８０６号に記載されている結晶形態であり、当該出願全体を参照により本明細書に援用する。いくつかの実施形態において、化合物Ａの塩酸塩が本明細書で提供される方法に使用される。化合物Ａを使用してがん及び他の疾患を治療、予防及び／または管理する方法は、２０１１年３月１１日に出願された米国仮特許出願第６１／４５１，９９５号に記載されており、その全体を参照により本明細書に援用する。
【００２３】
本明細書中に記載される更に別の化合物は、３−［４−（４−モルホリン−４−イルメチル−ベンジルオキシ）−１−オキソ−１，３−ジヒドロ−イソインドール−２−イル］−ピペリジン−２，６−ジオン（「化合物Ｂ」）、またはそのエナンチオマーもしくはエナンチオマーの混合物、またはその薬学的に許容される塩、溶媒和物、水和物、共結晶、包接化合物もしくは多形体である。
【００２４】
免疫調節化合物の効果を評価する従来法は、生細胞アッセイまたは長期にわたる臨床エンドポイントを要する。これらの細胞試験は、煩雑であり、種々の刺激物質（例えば、ＬＰＳまたは抗ＣＤ３抗体）の使用を要することが多い。サイトカイン産生などの間接的なエンドポイントが評価されるが、これらは多数の経路による影響を受けることがある。更に、これらの化合物の臨床有効性は、通常は最低でも数ヶ月の治療を要する患者応答の観点からしか測定することができないので、これを正確に予測することはできない。従来法の欠点を考慮すれば、免疫調節化合物の薬力学的活性を検出し、定量し、特徴付けるための効率的で感度の高い正確な方法を開発する必要がある。
【発明の概要】
【００２５】
３．発明の概要
一態様において、本明細書で提供されるのは、治療化合物に応答する可能性がある、がんを有する対象を特定する方法であり、この方法は、
（ａ）対象から試料を得ることと、
（ｂ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｃ）対象の試料中のバイオマーカーレベルの比がバイオマーカーレベルの参照比と異なる場合、対象を治療化合物に応答する可能性があると診断することとを含む。
【００２６】
別の態様において、本明細書で提供されるのは、がんを有するか、またはがんを有する疑いのある対象の治療化合物に対する応答性を予測する方法であり、この方法は、
（ａ）対象から試料を得ることと、
（ｂ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｃ）試料中のバイオマーカーレベルの比が、参照試料から得たバイオマーカーレベルの比と異なる場合、対象を治療化合物によるがんの治療に応答する可能性があると診断することとを含む。
【００２７】
いくつかの実施形態において、本明細書で提供される方法は、治療化合物に応答する可能性があると診断された対象に治療上有効な量の治療化合物を投与することを更に含む。
【００２８】
別の態様において、本明細書で提供されるのは、がんを治療する方法であり、この方法は、
（ａ）がんを有する対象から試料を得ることと、
（ｂ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｃ）対象の試料中のバイオマーカーレベルの比がバイオマーカーレベルの参照比と異なる場合、対象を治療化合物に応答する可能性があると診断することと、
（ｄ）治療化合物に応答する可能性があると診断された対象に治療上有効な量の治療化合物を投与することとを含む。
【００２９】
いくつかの実施形態において、ステップ（ｃ）では、対象の試料中のバイオマーカーレベルの比がバイオマーカーレベルの参照比よりも高い場合、対象を治療化合物に応答する可能性があると診断する。他の実施形態において、ステップ（ｃ）では、対象の試料中のバイオマーカーレベルの比がバイオマーカーレベルの参照比よりも低い場合、対象を治療化合物に応答する可能性があると診断する。
【００３０】
更に別の態様において、本明細書で提供されるのは、治療化合物による対象のがんの治療の有効性をモニタリングする方法であり、この方法は、
（ａ）がんを有する対象に治療化合物を投与することと、
（ｂ）対象から試料を得ることと、
（ｃ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｄ）試料中のバイオマーカーレベルの比を、参照試料から得たバイオマーカーレベルの比と比較することであって、参照と比較したときの比における変化が、対象のがんを治療することにおける治療化合物の有効性を示す、比較することとを含む。
【００３１】
いくつかの実施形態において、参照と比較したときの比の増大は、対象のがんを治療することにおける治療化合物の有効性を示す。他の実施形態において、参照と比較したときの比の減少は、対象のがんを治療することにおける治療化合物の有効性を示す。
【００３２】
いくつかの実施形態において、参照は、がんを有するが化合物での治療に応答しない対象から得られた対照試料を使用することによって準備され、対照試料は、試料と同じ由来源である。他の実施形態において、参照は、がんを有しない健常な対象から得られた対照試料を使用することによって準備され、対照試料は、試料と同じ由来源である。
【００３３】
いくつかの実施形態において、がんは、白血病である。いくつかの実施形態において、がんは、リンパ腫である。他の実施形態において、がんは、成人Ｔ細胞白血病（ＡＴＬ）である。他の実施形態において、がんは、再発性、難治性または従来の治療法に抵抗性である。他の実施形態において、がんは、再発性または難治性ＡＴＬである。
【００３４】
いくつかの実施形態において、治療化合物は、免疫調節化合物である。いくつかの実施形態において、治療化合物は、レナリドミドである。
【００３５】
具体的な実施形態において、治療化合物はレナリドミドであり、がんはＡＴＬである。
【００３６】
いくつかの実施形態において、第１のバイオマーカーは、ＣＲＢＮ、ＩＫＺＦ１及びＩＫＺＦ２を含む群から選択される。いくつかの実施形態において、第２のバイオマーカーは、ＣＲＢＮ、ＩＫＺＦ１及びＩＫＺＦ２を含む群から選択される。いくつかの実施形態において、第１のバイオマーカー及び第２のバイオマーカーは、ＣＲＢＮ、ＩＫＺＦ１及びＩＫＺＦ２を含む群から選択され、バイオマーカーレベルの比は、参照と比較して変化する。
【００３７】
いくつかの実施形態において、バイオマーカーレベルの比は、参照と比較して増大する。他の実施形態において、バイオマーカーレベルの比は、参照と比較して減少する。
【００３８】
いくつかの実施形態において、第１のバイオマーカーは、ＣＲＢＮである。いくつかの実施形態において、第１のバイオマーカーがＣＲＢＮである場合、第２のバイオマーカーはＣＲＢＮの基質である。他の実施形態において、第１のバイオマーカーがＣＲＢＮである場合、第２のバイオマーカーはＣＲＢＮの基質でない。
【００３９】
いくつかの実施形態において、第１のバイオマーカーはＣＲＢＮであり、第２のバイオマーカーはＩＫＺＦ１である。いくつかの実施形態において、ＣＲＢＮの発現レベルのＩＫＺＦ１の発現レベルに対する比は、３より高い。他の実施形態において、ＣＲＢＮの発現レベルのＩＫＺＦ１の発現レベルに対する比は、４より高い。更に他の実施形態において、ＣＲＢＮの発現レベルのＩＫＺＦ１の発現レベルに対する比は、５より高い。
【００４０】
他の実施形態において、第１のバイオマーカーはＣＲＢＮであり、第２のバイオマーカーはＩＫＺＦ２である。いくつかの実施形態において、ＣＲＢＮの発現レベルのＩＫＺＦ２の発現レベルに対する比は、５００〜５０００である。他の実施形態において、ＣＲＢＮの発現レベルのＩＫＺＦ２の発現レベルに対する比は、５００より高い。他の実施形態において、ＣＲＢＮの発現レベルのＩＫＺＦ２の発現レベルに対する比は、１０００より高い。更に他の実施形態において、ＣＲＢＮの発現レベルのＩＫＺＦ２の発現レベルに対する比は、１５００より高い。更に他の実施形態において、ＣＲＢＮの発現レベルのＩＫＺＦ２の発現レベルに対する比は、２５００より高い。
【００４１】
いくつかの実施形態において、バイオマーカーのレベルは、バイオマーカーのタンパク質レベルを決定することによって測定される。いくつかの実施形態において、本明細書で提供される方法は、試料中のタンパク質を、バイオマーカータンパク質に免疫特異的に結合する第１の抗体と接触させることを含む。いくつかの実施形態において、本明細書で提供される方法は、
（ｉ）第１の抗体に結合したバイオマーカータンパク質を、検出可能な標識を有する第２の抗体と接触させることであって、第２の抗体は、バイオマーカータンパク質に免疫特異的に結合し、かつ、第２の抗体は、バイオマーカータンパク質上の第１の抗体とは異なるエピトープに免疫特異的に結合する、接触させることと、
（ｉｉ）タンパク質に結合した第２の抗体の存在を検出することと、
（ｉｉｉ）第２の抗体中の検出可能な標識の量に基づいてバイオマーカータンパク質の量を決定することとを更に含む。
【００４２】
他の実施形態において、本明細書で提供される方法は、
（ｉ）第１の抗体に結合したバイオマーカータンパク質を、検出可能な標識を有する第２の抗体と接触させることであって、第２の抗体が第１の抗体に免疫特異的に結合する、接触させることと、
（ｉｉ）タンパク質に結合した第２の抗体の存在を検出することと、
（ｉｉｉ）第２の抗体中の検出可能な標識の量に基づいてバイオマーカータンパク質の量を決定することとを更に含む。
【００４３】
他の実施形態において、バイオマーカーのレベルは、バイオマーカーのｍＲＮＡレベルを決定することによって測定される。更に他の実施形態において、バイオマーカーのレベルは、バイオマーカーのｃＤＮＡレベルを決定することによって測定される。いくつかの実施形態において、バイオマーカーのレベルは、定量的ＰＣＲ（ｑＰＣＲ）を使用して測定される。
【図面の簡単な説明】
【００４４】
４．図面の簡単な説明
【図１】レナリドミドに対して感受性または応答性であるＡＴＬ患者を決定するための本方法の一実施形態を示す。
【００４５】
【図２】図２Ａ〜２Ｂは、異なる種類の細胞における、ＣＲＢＮ：ＩＫＺＦ１（図２Ａ）及びＣＲＢＮ：ＩＫＺＦ２（図２Ｂ）のｍＲＮＡ発現レベル比を示す。
【００４６】
【図３】対照の多発性骨髄腫細胞２種、ＡＴＬ細胞１０種、ＨＴＬＶ−１形質転換細胞３種及び非ＡＴＬ細胞５種を含む、異なる種類の細胞に対するレナリドミドの様々な増殖抑制効果を示す。
【００４７】
【図４】レナリドミドによる時間依存性細胞成長抑制を示す。
【００４８】
【図５】図５Ａ〜５Ｃは、異なる種類の細胞における、ＣＲＢＮ：ＩＫＺＦ１（図５Ａ）、ＣＲＢＮ：ＩＫＺＦ３（図５Ｂ）及びＣＲＢＮ：ＩＫＺＦ２（図５Ｃ）のｍＲＮＡ発現レベル比を示す。
【００４９】
【図６】レナリドミド感受性ＡＴＬ細胞株ＨｕＴ１０２におけるＩＫＺＦファミリータンパク質のレナリドミド誘導性分解を示す。
【発明を実施するための形態】
【００５０】
５．本発明の詳細な説明
本明細書で提供される方法は、部分的には、ＣＲＢＮの発現レベルの別のタンパク質に対する比が、免疫調節化合物、例えば、レナリドミドでの治療に対するＡＴＬ患者の応答性と相関するという発見に基づく。例えば、セクション６．２及び６．５に示されるように、レナリドミド応答性ＡＴＬ細胞株は、非応答性ＡＴＬ細胞株及び他の細胞株と比較して、ＣＲＢＮのＩＫＺＦ１に対する、及びＣＲＢＮのＩＫＺＦ２に対するｍＲＮＡ発現レベルの比が高い。
【００５１】
本明細書で提供される方法はまた、部分的には、ある特定のＣＲＢＮ関連タンパク質の発現レベルが、免疫調節化合物、例えば、レナリドミドでの治療に対するＡＴＬ患者の応答性と相関するという発見に基づく。例えば、セクション６．５に示されるように、レナリドミド応答性ＡＴＬ細胞株は、ＩＫＺＦ２のｍＲＮＡ発現レベルが極めて低い。
【００５２】
イカロスタンパク質ファミリーの３つのメンバー（イカロス、ヘリオス及びアイオロス）は、リンパ球発生の制御に関与する造血特異的転写因子である。これらは全て、クロマチン再構成に関連するジンクフィンガーＤＮＡ結合タンパク質に属する。
【００５３】
ＩＫＺＦ１（イカロスジンクフィンガー１、イカロスとも呼ばれる）は、胎児及び成人の造血リンパ系に限定的に発現し、リンパ球分化の制御因子として機能する。この遺伝子については、異なるアイソフォームをコードする、いくつかの選択的スプライシング転写バリアントが記載されている。全てのアイソフォームが、ヘテロまたはホモ二量体化及び他のタンパク質との相互作用に必要な２つのジンクフィンガーモチーフを含有する共通のＣ末端ドメインを有する。しかし、各アイソフォームは、ＤＮＡに結合し、核局在化シグナルを含有するＮ末端ジンクフィンガーモチーフの数が異なり、これにより、ＤＮＡ結合特性を有するものと、有さないものが生じる。標的遺伝子プロモーター中の特定のコアＤＮＡ配列エレメントに対して高親和性結合を付与するのに必要な３つ以上のＮ末端ジンクモチーフを含有するアイソフォームはごくわずかである。非ＤＮＡ結合アイソフォームは、細胞質中に多く認められ、優性阻害因子として機能すると考えられている。いくつかの優性阻害型アイソフォームの過剰発現は、急性リンパ芽球性白血病（ＡＬＬ）などのＢ細胞悪性腫瘍と関連付けられている。
【００５４】
ＩＫＺＦ２（イカロスジンクフィンガー２、ヘリオスとも呼ばれる）は、ホモ二量体または他のイカロスファミリーメンバーとヘテロ二量体を形成し、主に初期の造血発生において機能すると考えられている。
【００５５】
ＩＫＺＦ３（イカロスジンクフィンガー３、アイオロスとも呼ばれる）は、Ｂリンパ球増殖及び分化の制御において重要な転写因子である。イカロスもアイオロスもクロマチン再構成に関与し得る。Ｂリンパ球におけるアイオロスによる遺伝子発現の制御は、イカロスホモ二量体、イカロス／アイオロスヘテロ二量体及びアイオロスホモ二量体の連続的形成を必要とすると思われるため、複雑である。
【００５６】
したがって、ある特定の実施形態において、ＣＲＢＮのＩＫＺＦ１に対する比及び／またはＣＲＢＮのＩＫＺＦ２に対する比を使用して、レナリドミド応答性ＡＴＬ患者を選択すること、またはレナリドミドでの治療に対するＡＴＬ患者の応答性を予測することができる。例えば、図１に示される一実施形態において、まず、患者からＡＴＬ組織または細胞を単離することができ、次いで、ＣＲＢＮ、ＩＫＺＦ１及びＩＫＺＦ２のＲＮＡ（全ＲＮＡまたはｍＲＮＡ）を抽出及び定量することができ、ＣＲＢＮ／ＩＫＺＦ１及び／またはＣＲＢＮ／ＩＫＺＦ２の比を算出することができる。上記比に基づいて、より高いＣＲＢＮ／ＩＫＺＦ１及び／またはＣＲＢＮ／ＩＫＺＦ２比を示す患者に、レナリドミドを投与することができる。いくつかの実施形態において、細胞は、抗ＣＤ４及び抗ＣＤ２５抗体が結合された磁気ビーズにより単離される。ＨＴＬＶ−１陽性細胞の集団は、ＨＴＬＶ−１プロウイルスのｐＸ領域に関するＲＴ−ＰＣＲ分析を使用して算出する。
【００５７】
他の実施形態において、ＩＫＺＦ２のｍＲＮＡ発現レベルを使用して、レナリドミド応答性ＡＴＬ患者を選択すること、またはレナリドミドでの治療に対するＡＴＬ患者の応答性を予測することができる。
【００５８】
５．１  定義
本明細書で使用されるとき、また特に指定のない限り、「治療する」、「治療すること」及び「治療」という用語は、患者が特定のがんに罹患している間に行われる行為であって、がんの重症度を軽減するか、またはがんの進行を遅延もしくは減速させる行為を指す。
【００５９】
ある化合物による治療に関して言及される場合の「感受性」または「感受性がある」という用語は、治療対象の腫瘍または疾患の進行を軽減または減少することにおける、当該化合物の有効性の度合いを指す相対的な用語である。例えば、ある化合物と関連した細胞または腫瘍の治療に関して使用される場合の「感受性の増加」という用語は、当該化合物治療の有効性の少なくとも５％またはそれ以上の増加を指す。
【００６０】
本明細書で使用されるとき、「セレブロン関連タンパク質」または「ＣＡＰ」という用語は、セレブロン（ＣＲＢＮ）自体、または直接的もしくは間接的にＣＲＢＮと相互作用するか、もしくはＣＲＢＮに結合するタンパク質を指す。例えば、この用語は、ＣＲＢＮに直接結合する任意のタンパク質、及びＣＲＢＮ経路の間接的な下流エフェクターである任意のタンパク質を指す。ある特定の実施形態において、「セレブロン関連タンパク質」または「ＣＡＰ」は、ＣＲＢＮの基質、例えば、ＣＲＢＮを伴うＥ３ユビキチンリガーゼ複合体のタンパク質基質またはその下流基質である。一実施形態において、本明細書中に記載されるＣＡＰとは、「イカロス」としても知られるＩＫＺＦ１などのＣＲＢＮの基質である。別の実施形態において、本明細書中に記載されるＣＡＰとは、「ヘリオス」としても知られるＩＫＺＦ２などのＣＲＢＮの基質である。更に別の実施形態において、本明細書中に記載されるＣＡＰとは、「アイオロス」としても知られるＩＫＺＦ３などのＣＲＢＮの基質である。ある特定の実施形態において、「セレブロン関連タンパク質」または「ＣＡＰ」は、ＣＲＢＮが結合するタンパク質である。
【００６１】
本明細書で使用されるとき、「化合物」及び「治療化合物」という用語は、区別なく使用され、免疫調節化合物または免疫調節薬を含む。本明細書で使用されるとき、「免疫調節化合物」または「免疫調節薬」という用語は、通常、何らかの方法で免疫応答を変更することができる分子または作用物質を指す。免疫調節化合物の非限定的な例としては、以下のセクション５．６に記載のものが挙げられる。
【００６２】
本明細書で使用されるとき、また特に指定のない限り、化合物の「治療上有効な量」という用語は、がんの治療もしくは管理において治療上の利益をもたらし、またはがんの存在に伴う１つ以上の症状を遅延させ、もしくは最小限にするのに十分な量である。化合物の治療上有効な量は、がんの治療または管理に治療上の利益をもたらす、治療薬単独の量または他の療法と組み合わせた治療薬の量を意味する。「治療上有効な量」という用語は、治療法全体を改善し、がんの症状もしくは原因を軽減もしくは回避し、または別の治療薬の治療有効性を向上させる量を包含し得る。この用語はまた、研究者、獣医、医師または臨床医が追求している、生物学的分子（例えば、タンパク質、酵素、ＲＮＡまたはＤＮＡ）、細胞、組織、系、動物もしくはヒトの生物学的または医学的応答を誘起するのに十分な化合物の量を指す。
【００６３】
治療に関して使用される場合の「応答性」または「応答する」という用語は、治療対象の疾患、例えば、ＡＴＬの症状を軽減または低減することにおける、治療の有効性の度合いを指す。例えば、細胞または対象の治療に関して使用される場合の「応答性の増加」という用語は、当該技術分野において知られている任意の方法を使用して測定したときの、当該疾患の症状を軽減または低減することにおける、当該治療の有効性の増加を指す。ある特定の実施形態において、有効性の増加は、少なくとも約５％、少なくとも約１０％、少なくとも約２０％、少なくとも約３０％、少なくとも約４０％または少なくとも約５０％である。
【００６４】
本明細書で使用されるとき、「有効的な対象応答」、「有効的な患者応答」または「有効的な患者腫瘍応答」という用語は、患者に対する治療上の利益の何らかの増加を指す。「有効的な患者腫瘍応答」は、例えば、約５％、約１０％、約２５％、約５０％または約１００％の腫瘍の進行速度の減少であり得る。「有効的な患者腫瘍応答」は、例えば、約５％、約１０％、約２５％、約５０％または約１００％の腫瘍の身体的症状の軽減であり得る。「有効的な患者腫瘍応答」はまた、例えば、遺伝子発現、細胞数、アッセイ結果、腫瘍サイズなどの任意の好適な手段によって判断したときの約５％、約１０％、約２５％、約５０％、約１００％、約２００％またはそれ以上の患者の応答増加であり得る。
【００６５】
がんまたはがん関連疾患の改善は、完全奏効または部分奏効として特徴付けることができる。「完全奏効」は、あらゆる過去の異常なＸ線撮影検査、骨髄及び脳脊髄液（ＣＳＦ）または異常なモノクローナルタンパク質の測定値が正常化した状態であり、臨床的に検出可能な疾患がないことを指す。「部分奏効」は、新規病変がなく、少なくとも約１０％、少なくとも約２０％、少なくとも約３０％、少なくとも約４０％、少なくとも約５０％、少なくとも約６０％、少なくとも約７０％、少なくとも約８０％または少なくとも約９０％の全ての測定可能な腫瘍量（すなわち、対象に存在する悪性細胞の数、腫瘤の測定体積または異常なモノクローナルタンパク質の量）の減少を指す。「治療」という用語は、完全奏効及び部分奏効の両方を企図する。
【００６６】
「可能性」または「可能性がある」という用語は、通常、ある事象の確率の増加を指す。患者腫瘍応答の有効性に関して使用される場合の「可能性」または「可能性がある」という用語は、通常、腫瘍進行または腫瘍細胞成長の速度が減少する確率が増加することを企図する。患者腫瘍応答の有効性に関して使用される場合の「可能性」または「可能性がある」という用語はまた、通常、腫瘍治療における進展の増大の証拠となり得る、ｍＲＮＡまたはタンパク質発現などの指標の増加を意味し得る。
【００６７】
「予測する」という用語は、通常、事前に決定または言及することを意味する。例えば、がん治療の有効性を「予測する」ために使用されるとき、「予測する」という用語は、がん治療の転帰の可能性について、治療が開始される前、または治療期間が実質的に進行する前に、最初に決定することができることを意味する。
【００６８】
「モニタリングする」という用語は、本明細書で使用されるとき、通常、ある活性の監視、監督、管理、観察、追跡または注視することを指す。例えば、「化合物の有効性をモニタリングする」という用語は、患者または腫瘍細胞培養物におけるがん治療の有効性を追跡することを指す。同様に、「モニタリング」という用語は、個人または臨床試験のいずれかにおいて、患者コンプライアンスに関連して使用される場合、患者が実際に試験薬物を処方のとおりに服用していることを追跡または確認することを指す。モニタリングは、例えば、バイオマーカーのｍＲＮＡまたはタンパク質の発現を追跡することによって、実施することができる。
【００６９】
「腫瘍」という用語は、本明細書で使用されるとき、悪性か良性かを問わず、全ての新生物性細胞の成長及び増殖、ならびに全ての前がん性及びがん性の細胞及び組織を指す。「新生物性」は、本明細書で使用されるとき、悪性か良性かを問わず、異常な組織成長をもたらす、あらゆる形態の調節不全または無秩序な細胞成長を指す。したがって、「新生物性細胞」には、調節不全または無秩序な細胞成長を有する、悪性細胞及び良性細胞が含まれる。
【００７０】
本明細書で使用される「制御する」という用語は、分子の活性または生物学的機能を制御すること、例えば、当該活性または機能を向上させ、または低減させることを指す。
【００７１】
「がん」及び「がん性」という用語は、典型的に、無秩序な細胞成長を特徴とする哺乳動物の生理学的状態を指すか、または当該状態を記載するものである。がんの例には、血液性腫瘍（例えば、多発性骨髄腫、リンパ腫及び白血病）及び固形腫瘍が挙げられるが、これらに限定されない。
【００７２】
「難治性または抵抗性」という用語は、患者が、集中的な治療の後でさえ、そのリンパ系、血液及び／または造血組織（例えば、骨髄）中に残存するがん細胞（例えば、リンパ腫細胞）を有する状況を指す。
【００７３】
「生物学的マーカー」または「バイオマーカー」は、その検出が、例えば、がんの存在などの特定の生物学的状態を示す物質である。いくつかの実施形態において、バイオマーカーは、個別に決定することができる。他の実施形態において、いくつかのバイオマーカーは、同時に測定することができる。
【００７４】
いくつかの実施形態において、「バイオマーカー」は、疾患のリスクもしくは進行、または所与の治療に対する疾患の感受性と相関し得る、ｍＲＮＡ発現のレベルにおける変化を示す。いくつかの実施形態において、バイオマーカーは、ｍＲＮＡまたはｃＤＮＡなどの核酸である。
【００７５】
更なる実施形態において、「バイオマーカー」は、疾患のリスクもしくは進行、または治療に対する患者の感受性と相関し得る、ポリペプチドまたはタンパク質発現のレベルの変化を示す。いくつかの実施形態において、バイオマーカーは、ポリペプチドもしくはタンパク質またはその断片であり得る。特定のタンパク質の相対レベルは、当該技術分野において知られている方法によって決定することができる。例えば、免疫ブロット、酵素結合免疫吸着法（ＥＬＩＳＡ）などの抗体による方法または他の方法を使用することができる。
【００７６】
本明細書中で区別なく使用される「ポリペプチド」及び「タンパク質」という用語は、ペプチド結合を介して連結された、一続きの３つ以上のアミノ酸の重合体を指す。「ポリペプチド」という用語は、タンパク質、タンパク質断片、タンパク質類似体及びオリゴペプチドなどを含む。本明細書で使用される「ポリペプチド」という用語はまた、ペプチドも指し得る。ポリペプチドを構成するアミノ酸は、天然由来であってもよいし、合成されたものであってもよい。ポリペプチドは、生体試料から精製することができる。ポリペプチド、タンパク質またはペプチドは、修飾されたポリペプチド、タンパク質及びペプチド、例えば、糖ポリペプチド、糖タンパク質もしくは糖ペプチド、またはリポポリペプチド、リポタンパク質もしくはリポペプチドも包含する。
【００７７】
本明細書中で区別なく使用される「抗体」、「免疫グロブリン」または「Ｉｇ」という用語は、完全に組み立てられた抗体、及び抗原に特異的に結合する能力を保持する抗体断片を包含する。本明細書中に記載される抗体は、合成抗体、モノクローナル抗体、ポリクローナル抗体、組換え産生された抗体、多重特異性抗体（二重特異性抗体を含む）、ヒト抗体、ヒト化抗体、キメラ抗体、イントラボディ、単鎖Ｆｖ（ｓｃＦｖ）（例えば、単一特異性、二重特異性などを含む）、ラクダ化抗体、Ｆａｂ断片、Ｆ（ａｂ’）断片、ジスルフィド結合Ｆｖ（ｓｄＦｖ）、抗イディオタイプ（抗Ｉｄ）抗体及び上記のいずれかのエピトープ結合断片が挙げられるが、これらに限定されない。特に、本明細書中に記載される抗体は、免疫グロブリン分子及び免疫グロブリン分子の免疫学的活性部分、すなわち、ＣＲＢＮ抗原に免疫特異的に結合する抗原結合部位（例えば、抗ＣＲＢＮ抗体の１つ以上の相補性決定領域（ＣＤＲ））を含有する抗原結合ドメインまたは分子を含む。本明細書中に記載される抗体は、免疫グロブリン分子の任意のクラス（例えば、ＩｇＧ、ＩｇＥ、ＩｇＭ、ＩｇＤ及びＩｇＡ）または任意のサブクラス（例えば、ＩｇＧ１、ＩｇＧ２、ＩｇＧ３、ＩｇＧ４、ＩｇＡ１及びＩｇＡ２）のものであってよい。いくつかの実施形態において、抗ＣＲＢＮ抗体は、完全ヒト抗体、例えば、完全ヒトモノクローナルＣＲＢＮ抗体である。ある特定の実施形態において、本明細書中に記載される抗体は、ＩｇＧ抗体またはそのサブクラス（例えば、ヒトＩｇＧ１またはＩｇＧ４）である。
【００７８】
「抗原結合ドメイン」、「抗原結合領域」、「抗原結合断片」という用語及び類似の用語は、抗原と相互作用し、かつ抗原に対する特異性及び親和性を結合因子に付与するアミノ酸残基を含む抗体の部分（例えば、ＣＤＲ）を指す。抗原結合領域は、齧歯類（例えば、ウサギ、ラットまたはハムスター）及びヒトなどの任意の動物種に由来し得る。いくつかの実施形態において、抗原結合領域は、ヒト起源である。
【００７９】
抗体の「定常領域」または「定常ドメイン」という用語は、抗体の抗原への結合に直接関与しないが、Ｆｃ受容体との相互作用などの種々のエフェクター機能を呈する軽鎖及び重鎖のカルボキシ末端部分を指す。この用語は、免疫グロブリンのもう一方の部分である、抗原結合部位を含有する可変ドメインと比べて、より保存されたアミノ酸配列を有する免疫グロブリン分子の部分を指す。定常ドメインは、重鎖のＣＨ１、ＣＨ２及びＣＨ３ドメインと、軽鎖のＣＬドメインとを含有する。
【００８０】
本明細書で使用される「エピトープ」という用語は、抗体の１つ以上の抗原結合領域に結合することができ、哺乳動物（例えば、ヒト）などの動物において抗原性または免疫原性活性を有し、かつ免疫応答を惹起することができる、抗原の表面上に局在する領域を指す。免疫原性活性を有するエピトープは、動物において抗体応答を惹起するポリペプチドの部分である。抗原性活性を有するエピトープは、当該技術分野においてよく知られている任意の方法によって、例えば、本明細書に記載される免疫測定法によって決定したとき、抗体が免疫特異的に結合するポリペプチドの部分である。抗原性エピトープは、必ずしも免疫原性である必要はない。エピトープは、通常、アミノ酸または糖側鎖などの化学的に活性な分子の表面群からなり、特定の三次元構造特性及び特定の電荷特性を有する。エピトープに寄与するポリペプチドの領域は、ポリペプチドの連続するアミノ酸である場合もあれば、エピトープは、ポリペプチドの２つ以上の非連続領域から生じる場合もある。エピトープは、抗原の三次元表面特徴であってもよいし、そうでなくてもよい。
【００８１】
「完全ヒト抗体」及び「ヒト抗体」という用語は、本明細書中で区別なく使用され、ヒト可変領域、いくつかの実施形態においてはヒト定常領域を含む抗体を指す。具体的な実施形態において、これらの用語は、ヒト起源の可変領域及び定常領域を含む抗体を指す。「完全ヒト抗体」という用語は、Ｋａｂａｔ  ｅｔ  ａｌ．，Ｓｅｑｕｅｎｃｅｓ  ｏｆ  Ｐｒｏｔｅｉｎｓ  ｏｆ  Ｉｍｍｕｎｏｌｏｇｉｃａｌ  Ｉｎｔｅｒｅｓｔ，Ｕ．Ｓ．Ｄｅｐａｒｔｍｅｎｔ  ｏｆ  Ｈｅａｌｔｈ  ａｎｄ  Ｈｕｍａｎ  Ｓｅｒｖｉｃｅｓ，ＮＩＨ  Ｐｕｂｌｉｃａｔｉｏｎ  Ｎｏ．９１−３２４２（５ｔｈ  ｅｄ．１９９１）に記載されているようなヒト生殖細胞系免疫グロブリン配列に相当する可変領域及び定常領域を有する抗体を含む。
【００８２】
「組換えヒト抗体」という語句は、組換え手段によって調製、発現、作製もしくは単離されたヒト抗体、例えば、宿主細胞にトランスフェクトした組換え発現ベクターを使用して発現された抗体、組換えコンビナトリアルヒト抗体ライブラリから単離された抗体、ヒト免疫グロブリン遺伝子に関して遺伝子導入及び／もしくは染色体導入された動物（例えば、マウスまたはウシ）から単離された抗体（例えば、Ｔａｙｌｏｒ  ｅｔ  ａｌ．，Ｎｕｃｌ．Ａｃｉｄｓ  Ｒｅｓ．１９９２，２０：６２８７−６２９５参照）、またはヒト免疫グロブリン遺伝子配列を他のＤＮＡ配列にスプライスすることを伴う任意の他の手段によって調製、発現、作製もしくは単離された抗体を含む。このような組換えヒト抗体は、ヒト生殖細胞系免疫グロブリン配列に由来する可変領域及び定常領域を有し得る。Ｋａｂａｔ  ｅｔ  ａｌ．，Ｓｅｑｕｅｎｃｅｓ  ｏｆ  Ｐｒｏｔｅｉｎｓ  ｏｆ  Ｉｍｍｕｎｏｌｏｇｉｃａｌ  Ｉｎｔｅｒｅｓｔ，Ｕ．Ｓ．Ｄｅｐａｒｔｍｅｎｔ  ｏｆ  Ｈｅａｌｔｈ  ａｎｄ  Ｈｕｍａｎ  Ｓｅｒｖｉｃｅｓ，ＮＩＨ  Ｐｕｂｌｉｃａｔｉｏｎ  Ｎｏ．９１−３２４２（５ｔｈ  ｅｄ．１９９１）を参照されたい。しかしながら、ある特定の実施形態において、このような組換えヒト抗体は、ｉｎ  ｖｉｔｒｏ変異導入（あるいは、ヒトＩｇ配列を遺伝子導入した動物が使用される場合はｉｎ  ｖｉｖｏ体細胞変異導入）を受けるため、組換え抗体の重鎖可変領域及び軽鎖可変領域のアミノ酸配列は、ヒト生殖細胞系重鎖可変配列及び軽鎖可変配列に由来し、かつ関連する場合でも、ｉｎ  ｖｉｖｏのヒト抗体生殖細胞系レパートリー内に天然に存在しない可能性がある配列である。
【００８３】
抗体に関して使用される場合の「重鎖」という用語は、重鎖定常ドメインのアミノ酸配列に基づいて、アルファ（α）、デルタ（δ）、イプシロン（ε）、ガンマ（γ）及びミュー（μ）と呼ばれる５つの異なるタイプを指す。これらの重鎖の異なるタイプは、よく知られており、それぞれＩｇＡ、ＩｇＤ、ＩｇＥ、ＩｇＧ及びＩｇＭの５つのクラスの抗体を生じ、ＩｇＧの４つのサブクラス、すなわち、ＩｇＧ１、ＩｇＧ１、ＩｇＧ３及びＩｇＧ４を含む。いくつかの実施形態において、重鎖は、ヒト重鎖である。
【００８４】
「Ｋａｂａｔナンバリング」という用語及び類似の用語は、当該技術分野において認識されており、抗体の重鎖及び軽鎖可変領域またはその抗原結合部分中の他のアミノ酸残基よりも可変性（すなわち、超可変）であるアミノ酸残基をナンバリングするシステムを指す。Ｋａｂａｔ  ｅｔ  ａｌ．，Ａｎｎ．ＮＹ  Ａｃａｄ．Ｓｃｉ．１９７１，１９０：３８２−３９１、Ｋａｂａｔ  ｅｔ  ａｌ．，Ｓｅｑｕｅｎｃｅｓ  ｏｆ  Ｐｒｏｔｅｉｎｓ  ｏｆ  Ｉｍｍｕｎｏｌｏｇｉｃａｌ  Ｉｎｔｅｒｅｓｔ，Ｕ．Ｓ．Ｄｅｐａｒｔｍｅｎｔ  ｏｆ  Ｈｅａｌｔｈ  ａｎｄ  Ｈｕｍａｎ  Ｓｅｒｖｉｃｅｓ，ＮＩＨ  Ｐｕｂｌｉｃａｔｉｏｎ  Ｎｏ．９１−３２４２（５ｔｈ  ｅｄ．１９９１）。重鎖可変領域の場合、超可変領域は、典型的に、ＣＤＲ１がアミノ酸位置３１〜３５、ＣＤＲ２がアミノ酸位置５０〜６５、ＣＤＲ３がアミノ酸位置９５〜１０２の範囲に及ぶ。軽鎖可変領域の場合、超可変領域は、典型的に、ＣＤＲ１がアミノ酸位置２４〜３４、ＣＤＲ２がアミノ酸位置５０〜５６、ＣＤＲ３がアミノ酸位置８９〜９７の範囲に及ぶ。当業者であれば、他のナンバリングスキームを容易に理解するであろう。
【００８５】
抗体に関して使用される場合の「軽鎖」という用語は、定常ドメインのアミノ酸配列に基づいて、カッパ（κ）またはラムダ（λ）と呼ばれる２つの異なるタイプを指す。軽鎖アミノ酸配列は、当該技術分野においてよく知られている。ある特定の実施形態において、軽鎖は、ヒト軽鎖である。
【００８６】
「モノクローナル抗体」という用語は、均一または実質的に均一な抗体の集団から得られる抗体を指し、各モノクローナル抗体は、典型的に、抗原上の単一のエピトープを認識する。いくつかの実施形態において、本明細書で使用される「モノクローナル抗体」は、単一のハイブリドーマまたは他の細胞によって産生される抗体であり、この抗体は、例えば、ＥＬＩＳＡ、または当該技術分野において知られているもしくは本明細書中に記載される実施例中の他の抗原結合アッセイもしくは競合結合アッセイによって決定されるエピトープにのみ免疫特異的に結合する。「モノクローナル」という用語は、任意の特定の抗体作製方法に限定されない。例えば、本明細書中に記載されるモノクローナル抗体は、Ｋｏｈｌｅｒ  ｅｔ  ａｌ．，Ｎａｔｕｒｅ  １９７５，２５６：４９５−４９７に記載されているようなハイブリドーマ方法によって作製されてもよいし、本明細書に記載される技術を使用してファージライブラリから単離されてもよい。クローン細胞株及びこれにより発現されるモノクローナル抗体の他の調製方法は、当該技術分野においてよく知られている。例えば、Ｓｈｏｒｔ  Ｐｒｏｔｏｃｏｌｓ  ｉｎ  Ｍｏｌｅｃｕｌａｒ  Ｂｉｏｌｏｇｙ，Ｃｈａｐｔｅｒ  １１（Ａｕｓｕｂｅｌ  ｅｔ  ａｌ．，ｅｄｓ．，Ｊｏｈｎ  Ｗｉｌｅｙ  ａｎｄ  Ｓｏｎｓ，Ｎｅｗ  Ｙｏｒｋ，５ｔｈ  ｅｄ．２００２）を参照されたい。他のモノクローナル抗体を作製する他の例示的な方法については、本明細書中の実施例に記載される。
【００８７】
本明細書で使用される「ポリクローナル抗体」は、多数のエピトープを有するタンパク質に対する免疫原性応答で生成された抗体集団を指し、そのため、タンパク質中の同じエピトープまたは異なるエピトープを指向する種々の異なる抗体を含む。ポリクローナル抗体を作製するための方法は、当該技術分野において知られている。例えば、Ｓｈｏｒｔ  Ｐｒｏｔｏｃｏｌｓ  ｉｎ  Ｍｏｌｅｃｕｌａｒ  Ｂｉｏｌｏｇｙ，Ｃｈａｐｔｅｒ  １１（Ａｕｓｕｂｅｌ  ｅｔ  ａｌ．，ｅｄｓ．，Ｊｏｈｎ  Ｗｉｌｅｙ  ａｎｄ  Ｓｏｎｓ，Ｎｅｗ  Ｙｏｒｋ，５ｔｈ  ｅｄ．２００２）を参照されたい。
【００８８】
「可変領域」または「可変ドメイン」という用語は、抗体間で配列が大幅に異なり、かつ特定の抗原に対する各抗体の結合特異性を付与する、典型的に、重鎖のアミノ末端の約１２０〜約１３０アミノ酸及び軽鎖のアミノ末端の約１００〜約１１０アミノ酸の範囲に及ぶ、抗体の軽鎖または重鎖の一部を指す。配列の可変性は相補性決定領域（ＣＤＲ）と呼ばれる領域に集中しており、一方、可変ドメイン中のより保存された領域はフレームワーク領域（ＦＲ）と呼ばれる。軽鎖及び重鎖のＣＤＲは、主に、抗体と抗原との相互作用を担う。本明細書で使用されるアミノ酸位置のナンバリングは、Ｋａｂａｔ  ｅｔ  ａｌ．，Ｓｅｑｕｅｎｃｅｓ  ｏｆ  Ｐｒｏｔｅｉｎｓ  ｏｆ  Ｉｍｍｕｎｏｌｏｇｉｃａｌ  Ｉｎｔｅｒｅｓｔ，Ｕ．Ｓ．Ｄｅｐａｒｔｍｅｎｔ  ｏｆ  Ｈｅａｌｔｈ  ａｎｄ  Ｈｕｍａｎ  Ｓｅｒｖｉｃｅｓ，ＮＩＨ  Ｐｕｂｌｉｃａｔｉｏｎ  Ｎｏ．９１−３２４２（５ｔｈ  ｅｄ．１９９１）に記載のＫａｂａｔナンバリングに従う。いくつかの実施形態において、可変領域は、ヒト可変領域である。
【００８９】
本明細書で使用される「発現される」または「発現」という用語は、遺伝子の２本の核酸鎖のうちの一方の領域と少なくとも部分的に相補的であるＲＮＡ核酸分子を与える、遺伝子からの転写を指す。本明細書で使用される「発現される」または「発現」という用語はまた、タンパク質、ポリペプチドまたはその部分を与える、ＲＮＡ分子からの翻訳も指す。
【００９０】
「レベル」という用語は、バイオマーカー分子の量、蓄積または割合を指す。レベルは、例えば、遺伝子によってコードされたメッセンジャーＲＮＡ（ｍＲＮＡ）の合成量もしくは合成率、遺伝子によってコードされたポリペプチドもしくはタンパク質の合成量もしくは合成率、または細胞もしくは生体液中に蓄積された生物学的分子の合成量もしくは合成率によって表すことができる。「レベル」という用語は、定常状態または非定常状態の条件下で決定される、試料中の分子の絶対量または分子の相対量を指す。
【００９１】
「上方制御」されるｍＲＮＡは、通常、所与の治療または条件下で増加する。「下方制御」されるｍＲＮＡは、通常、所与の治療または条件に応答して、ｍＲＮＡの発現レベルが減少することを指す。場合によっては、ｍＲＮＡレベルは、所与の治療または条件によって変化しないままである場合もある。患者試料由来のｍＲＮＡは、薬物で治療したとき、非治療対照群と比較して、「上方制御」され得る。この上方制御は、例えば、比較対照ｍＲＮＡレベルに対して、約５％、約１０％、約２０％、約３０％、約４０％、約５０％、約６０％、約７０％、約８０％、約９０％、約１００％、約２００％、約３００％、約５００％、約１，０００％、約５，０００％またはそれ以上の増加であり得る。あるいは、ｍＲＮＡは、ある特定の化合物または他の作用物質の投与に応答して、「下方制御」され得、すなわち、より低いレベルで発現され得る。下方制御されたｍＲＮＡは、例えば、比較対照ｍＲＮＡレベルに対して、約９９％、約９５％、約９０％、約８０％、約７０％、約６０％、約５０％、約４０％、約３０％、約２０％、約１０％、約１％またはそれ以下のレベルで存在し得る。
【００９２】
同様に、患者試料由来のポリペプチドまたはタンパク質バイオマーカーのレベルについても、薬物で治療したとき、非治療対照群と比較して、増加し得る。この増加は、比較対照タンパク質レベルに対して、約５％、約１０％、約２０％、約３０％、約４０％、約５０％、約６０％、約７０％、約８０％、約９０％、約１００％、約２００％、約３００％、約５００％、約１，０００％、約５，０００％またはそれ以上であり得る。あるいは、タンパク質バイオマーカーのレベルは、ある特定の化合物または他の作用物質の投与に応答して、減少し得る。この減少は、例えば、比較対照タンパク質レベルに対して、約９９％、約９５％、約９０％、約８０％、約７０％、約６０％、約５０％、約４０％、約３０％、約２０％、約１０％、約１％またはそれ以下のレベルで存在し得る。
【００９３】
本明細書で使用される「決定する」、「測定する」、「ｅｖａｌｕａｔｉｎｇ（評価する）」、「ａｓｓｅｓｓｉｎｇ（評価する）」及び「アッセイする」という用語は、通常、任意の形態の測定を指し、ある要素が存在するか否かを決定することを含む。これらの用語は、定量的決定及び／または定性的決定を含む。評価は、相対的であっても絶対的であってもよい。「〜の存在を評価する」とは、それが存在するか存在しないかを決定するだけでなく、存在する何らかの量を決定することも含み得る。
【００９４】
「核酸」及び「ポリヌクレオチド」という用語は、ヌクレオチド、例えば、デオキシリボヌクレオチドもしくはリボヌクレオチド、または合成的に作製された化合物から構成される任意の長さの重合体を記述するために本明細書で区別なく使用され、２つの天然核酸がハイブリダイズするのと同様に、天然核酸と配列特異的にハイブリダイズし得、例えば、ワトソンクリック塩基対相互作用に関与することができる。ポリヌクレオチド配列との関係で本明細書で使用されるとき、「複数の塩基」（または「塩基」）という用語は、「複数のヌクレオチド」（または「ヌクレオチド」）、すなわち、ポリヌクレオチドの単量体サブユニットと同義である。「ヌクレオシド」及び「ヌクレオチド」という用語は、既知のプリン塩基及びピリミジン塩基を含有する部分だけでなく、修飾を受けた他の複素環式塩基を含有する部分も包含することが意図される。このような修飾には、メチル化されたプリンまたはピリミジン、アシル化されたプリンまたはピリミジン、アルキル化されたリボースまたは他の複素環が含まれる。加えて、「ヌクレオシド」及び「ヌクレオチド」という用語は、従来のリボース及びデオキシリボースの糖を含有する部分だけでなく、同様に他の糖を含有する部分も包含する。修飾されたヌクレオシドまたはヌクレオチドはまた、糖部分に対する修飾、例えば、ヒドロキシル基のうちの１つ以上がハロゲン原子もしくは脂肪族基で置き換えられているもの、またはエーテルもしくはアミンなどのように官能化されているものも含む。「類似体」は、文献中において模倣体、誘導体、類似の構造を有するものまたは他の同様の用語で認識される、構造的特徴を有する分子を指し、例えば、非天然ヌクレオチドを組み込んだポリヌクレオチド、２’−修飾ヌクレオシドなどのヌクレオチド模倣体、ペプチド核酸、オリゴマーヌクレオシドホスホネート、及び保護基または連結部分などの付加置換基を有する任意のポリヌクレオチドを含む。
【００９５】
本明細書で使用される「発現される」または「発現」という用語は、遺伝子の２本の核酸鎖のうちの一方の領域と少なくとも部分的に相補的であるＲＮＡ核酸分子を与える、遺伝子からの転写を指す。本明細書で使用される「発現される」または「発現」という用語はまた、タンパク質、ポリペプチドまたはその部分を与える、ＲＮＡ分子からの翻訳も指す。
【００９６】
「レベル」という用語は、バイオマーカー分子の量、蓄積または割合を指す。レベルは、例えば、遺伝子によってコードされたメッセンジャーＲＮＡ（ｍＲＮＡ）の合成量もしくは合成率、遺伝子によってコードされたポリペプチドもしくはタンパク質の合成量もしくは合成率、または細胞もしくは生体液中に蓄積された生物学的分子の合成量もしくは合成率によって表すことができる。「レベル」という用語は、定常状態または非定常状態の条件下で決定される、試料中の分子の絶対量または分子の相対量を指す。
【００９７】
「上方制御」されるｍＲＮＡは、通常、所与の治療または条件下で増加する。「下方制御」されるｍＲＮＡは、通常、所与の治療または条件に応答して、ｍＲＮＡの発現レベルが減少することを指す。場合によっては、ｍＲＮＡレベルは、所与の治療または条件によって変化しないままである場合もある。患者試料由来のｍＲＮＡは、薬物で治療したとき、非治療対照群と比較して、「上方制御」され得る。この上方制御は、例えば、比較対照ｍＲＮＡレベルに対して、約５％、約１０％、約２０％、約３０％、約４０％、約５０％、約６０％、約７０％、約８０％、約９０％、約１００％、約２００％、約３００％、約５００％、約１，０００％、約５，０００％またはそれ以上の増加であり得る。あるいは、ｍＲＮＡは、ある特定の化合物または他の作用物質の投与に応答して、「下方制御」され得、すなわち、より低いレベルで発現され得る。下方制御されたｍＲＮＡは、例えば、比較対照ｍＲＮＡレベルに対して、約９９％、約９５％、約９０％、約８０％、約７０％、約６０％、約５０％、約４０％、約３０％、約２０％、約１０％、約１％またはそれ以下のレベルで存在し得る。
【００９８】
同様に、患者試料由来のポリペプチドまたはタンパク質バイオマーカーのレベルについても、薬物で治療したとき、非治療対照群と比較して、増加し得る。この増加は、比較対照タンパク質レベルに対して、約５％、約１０％、約２０％、約３０％、約４０％、約５０％、約６０％、約７０％、約８０％、約９０％、約１００％、約２００％、約３００％、約５００％、約１，０００％、約５，０００％またはそれ以上であり得る。あるいは、タンパク質バイオマーカーのレベルは、ある特定の化合物または他の作用物質の投与に応答して、減少し得る。この減少は、例えば、比較対照タンパク質レベルに対して、約９９％、約９５％、約９０％、約８０％、約７０％、約６０％、約５０％、約４０％、約３０％、約２０％、約１０％、約１％またはそれ以下のレベルで存在し得る。
【００９９】
本明細書で使用される「決定する」、「測定する」、「ｅｖａｌｕａｔｉｎｇ（評価する）」、「ａｓｓｅｓｓｉｎｇ（評価する）」及び「アッセイする」という用語は、通常、任意の形態の測定を指し、ある要素が存在するか否かを決定することを含む。これらの用語は、定量的決定及び／または定性的決定を含む。評価は、相対的であっても絶対的であってもよい。「〜の存在を評価する」とは、それが存在するか存在しないかを決定するだけでなく、存在する何らかの量を決定することも含み得る。
【０１００】
「核酸」及び「ポリヌクレオチド」という用語は、ヌクレオチド、例えば、デオキシリボヌクレオチドもしくはリボヌクレオチド、または合成的に作製された化合物から構成される任意の長さの重合体を記述するために本明細書で区別なく使用され、２つの天然核酸がハイブリダイズするのと同様に、天然核酸と配列特異的にハイブリダイズし得、例えば、ワトソンクリック塩基対相互作用に関与することができる。ポリヌクレオチド配列との関係で本明細書で使用されるとき、「複数の塩基」（または「塩基」）という用語は、「複数のヌクレオチド」（または「ヌクレオチド」）、すなわち、ポリヌクレオチドの単量体サブユニットと同義である。「ヌクレオシド」及び「ヌクレオチド」という用語は、既知のプリン塩基及びピリミジン塩基を含有する部分だけでなく、修飾を受けた他の複素環式塩基を含有する部分も包含することが意図される。このような修飾には、メチル化されたプリンまたはピリミジン、アシル化されたプリンまたはピリミジン、アルキル化されたリボースまたは他の複素環が含まれる。加えて、「ヌクレオシド」及び「ヌクレオチド」という用語は、従来のリボース及びデオキシリボースの糖を含有する部分だけでなく、同様に他の糖を含有する部分も包含する。修飾されたヌクレオシドまたはヌクレオチドはまた、糖部分に対する修飾、例えば、ヒドロキシル基のうちの１つ以上がハロゲン原子もしくは脂肪族基で置き換えられているもの、またはエーテルもしくはアミンなどのように官能化されているものも含む。「類似体」は、文献中において模倣体、誘導体、類似の構造を有するものまたは他の同様の用語で認識される、構造的特徴を有する分子を指し、例えば、非天然ヌクレオチドを組み込んだポリヌクレオチド、２’−修飾ヌクレオシドなどのヌクレオチド模倣体、ペプチド核酸、オリゴマーヌクレオシドホスホネート、及び保護基または連結部分などの付加置換基を有する任意のポリヌクレオチドを含む。
【０１０１】
５．２  バイオマーカー及びその使用方法
本明細書で提供される方法は、部分的には、レナリドミド応答性ＡＴＬ細胞株では、非応答性ＡＴＬ細胞株及び他の細胞株と比較して、ＣＲＢＮのＩＫＺＦ１に対する、及びＣＲＢＮのＩＫＺＦ２に対するｍＲＮＡ発現レベルの比が高いという発見に基づく。したがって、一態様において、本明細書で提供されるのは、２つのバイオマーカーのレベル及び／またはその比を使用して、治療化合物（例えば、レナリドミド）に応答する可能性のあるがん患者（例えば、ＡＴＬ患者）を特定し、または治療化合物（例えば、レナリドミド）に対するがん患者（例えば、ＡＴＬ患者）の応答性を予測もしくはモニタリングするための方法である。
【０１０２】
いくつかの実施形態において、２つのバイオマーカーの各々のレベルを決定し、一方のバイオマーカーのレベルが参照レベルよりも高く、かつ他方のバイオマーカーのレベルが参照レベルより低い場合、その患者を治療化合物に応答する可能性があると決定する。より具体的な実施形態において、２つのバイオマーカーの比を決定し、その２つのバイオマーカーの比が参照比と異なる場合、その患者を治療化合物に応答する可能性があると決定する。
【０１０３】
したがって、いくつかの実施形態において、本明細書で提供されるのは、治療化合物に応答する可能性がある、がんを有する対象を特定する方法であり、この方法は、
（ａ）対象から試料を得ることと、
（ｂ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｃ）対象の試料中のバイオマーカーレベルの比がバイオマーカーレベルの参照比と異なる場合、対象を治療化合物に応答する可能性があると診断することとを含む。
【０１０４】
別の態様において、本明細書で提供されるのは、がんを有するか、またはがんを有する疑いのある対象の治療化合物に対する応答性を予測する方法であり、この方法は、
（ａ）対象から試料を得ることと、
（ｂ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｃ）試料中のバイオマーカーレベルの比が、参照試料から得たバイオマーカーレベルの比と異なる場合、対象を治療化合物によるがんの治療に応答する可能性があると診断することとを含む。
【０１０５】
いくつかの実施形態において、本明細書で提供される方法は、治療化合物に応答する可能性があると診断された対象に治療上有効な量の治療化合物を投与することを更に含む。
【０１０６】
別の態様において、本明細書で提供されるのは、がんを治療する方法であり、この方法は、
（ａ）がんを有する対象から試料を得ることと、
（ｂ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｃ）対象の試料中のバイオマーカーレベルの比がバイオマーカーレベルの参照比と異なる場合、対象を治療化合物に応答する可能性があると診断することと、
（ｄ）治療化合物に応答する可能性があると診断された対象に治療上有効な量の治療化合物を投与することとを含む。
【０１０７】
いくつかの実施形態において、ステップ（ｃ）では、対象の試料中のバイオマーカーレベルの比がバイオマーカーレベルの参照比よりも高い場合、対象を治療化合物に応答する可能性があると診断する。他の実施形態において、ステップ（ｃ）では、対象の試料中のバイオマーカーレベルの比がバイオマーカーレベルの参照比よりも低い場合、対象を治療化合物に応答する可能性があると診断する。
【０１０８】
更に別の態様において、本明細書で提供されるのは、治療化合物による対象のがんの治療の有効性をモニタリングする方法であり、この方法は、
（ａ）がんを有する対象に治療化合物を投与することと、
（ｂ）対象から試料を得ることと、
（ｃ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｄ）試料中のバイオマーカーレベルの比を、参照試料から得たバイオマーカーレベルの比と比較することであって、参照と比較したときの比における変化が、対象のがんを治療することにおける治療化合物の有効性を示す、比較することとを含む。
【０１０９】
本明細書で提供される方法のいくつかの実施形態において、がんを有する対象から得た試料に治療化合物を投与することは、ｉｎ  ｖｉｔｒｏでなされる。他の実施形態において、がんを有する対象から得た試料に治療化合物を投与することは、ｉｎ  ｖｉｖｏで実施される。一実施形態において、細胞を、ある期間、例えば、５、１０、１５、２０、２５、３０、３５、４０、４５、５０もしくは５５分間、または１、２、３、４、５、６、７、８、９、１０、１１、１２、１３、１４、１５、１６、１７、１８、１９、２０、２１、２２、２３もしくは２４時間、または２もしくは３日以上、化合物と接触させる。一実施形態において、細胞は、細胞株から得られる。他の実施形態において、細胞は、がんを有する（またはがんを有する疑いのある）対象から得られる。
【０１１０】
いくつかの実施形態において、参照と比較したときの比の増大は、対象のがんを治療することにおける治療化合物の有効性を示す。他の実施形態において、参照と比較したときの比の減少は、対象のがんを治療することにおける治療化合物の有効性を示す。
【０１１１】
いくつかの実施形態において、第１のバイオマーカーは、ＣＲＢＮ、ＩＫＺＦ１及びＩＫＺＦ２を含む群から選択される。いくつかの実施形態において、第２のバイオマーカーは、ＣＲＢＮ、ＩＫＺＦ１及びＩＫＺＦ２を含む群から選択される。いくつかの実施形態において、第１のバイオマーカー及び第２のバイオマーカーは、ＣＲＢＮ、ＩＫＺＦ１及びＩＫＺＦ２を含む群から選択され、バイオマーカーレベルの比は、参照と比較して変化する。
【０１１２】
いくつかの実施形態において、バイオマーカーレベルの比は、参照と比較して増大する。他の実施形態において、バイオマーカーレベルの比は、参照と比較して減少する。
【０１１３】
いくつかの実施形態において、第１のバイオマーカーは、ＣＲＢＮである。いくつかの実施形態において、第１のバイオマーカーがＣＲＢＮである場合、第２のバイオマーカーはＣＲＢＮの基質である。他の実施形態において、第１のバイオマーカーがＣＲＢＮである場合、第２のバイオマーカーはＣＲＢＮの基質でない。
【０１１４】
いくつかの実施形態において、第１のバイオマーカーはＣＲＢＮであり、第２のバイオマーカーはＩＫＺＦ１である。いくつかの実施形態において、ＣＲＢＮの発現レベルのＩＫＺＦ１の発現レベルに対する比は、２より高い。いくつかの実施形態において、ＣＲＢＮの発現レベルのＩＫＺＦ１の発現レベルに対する比は、３より高い。他の実施形態において、ＣＲＢＮの発現レベルのＩＫＺＦ１の発現レベルに対する比は、４より高い。更に他の実施形態において、ＣＲＢＮの発現レベルのＩＫＺＦ１の発現レベルに対する比は、５より高い。更に他の実施形態において、ＣＲＢＮの発現レベルのＩＫＺＦ１の発現レベルに対する比は、６より高い。
【０１１５】
他の実施形態において、第１のバイオマーカーはＣＲＢＮであり、第２のバイオマーカーはＩＫＺＦ２である。いくつかの実施形態において、ＣＲＢＮの発現レベルのＩＫＺＦ２の発現レベルに対する比は、２５０〜５０００である。いくつかの実施形態において、ＣＲＢＮの発現レベルのＩＫＺＦ２の発現レベルに対する比は、５００〜５０００である。他の実施形態において、ＣＲＢＮの発現レベルのＩＫＺＦ２の発現レベルに対する比は、２５０より高い。他の実施形態において、ＣＲＢＮの発現レベルのＩＫＺＦ２の発現レベルに対する比は、５００より高い。他の実施形態において、ＣＲＢＮの発現レベルのＩＫＺＦ２の発現レベルに対する比は、８００より高い。他の実施形態において、ＣＲＢＮの発現レベルのＩＫＺＦ２の発現レベルに対する比は、１０００より高い。更に他の実施形態において、ＣＲＢＮの発現レベルのＩＫＺＦ２の発現レベルに対する比は、１５００より高い。更に他の実施形態において、ＣＲＢＮの発現レベルのＩＫＺＦ２の発現レベルに対する比は、２０００より高い。更に他の実施形態において、ＣＲＢＮの発現レベルのＩＫＺＦ２の発現レベルに対する比は、２５００より高い。
【０１１６】
本明細書で提供される方法はまた、部分的には、レナリドミド応答性ＡＴＬ細胞株では、ＩＫＺＦ２のｍＲＮＡ発現レベルが極めて低いという発見に基づく。したがって、別の態様において、本明細書で提供されるのは、ＩＫＺＦ２のレベルを使用して、治療化合物（例えば、レナリドミド）に応答する可能性のあるがん患者（例えば、ＡＴＬ患者）を特定し、または治療化合物（例えば、レナリドミド）に対するがん患者（例えば、ＡＴＬ患者）の応答性を予測もしくはモニタリングするための方法である。
【０１１７】
ある特定の実施形態において、本明細書で提供されるのは、治療化合物に応答する可能性がある、がんを有する対象を特定する方法であり、この方法は、
（ａ）がんを有する対象から試料を得ることと、
（ｂ）対象から得た試料中のバイオマーカーのレベルを決定することであって、バイオマーカーはＩＫＺＦ２である、決定することと、
（ｃ）対象の試料中のバイオマーカーレベルがバイオマーカーの参照レベルよりも低い場合、対象を治療化合物に応答する可能性があると診断することとを含む。
【０１１８】
いくつかの実施形態において、本明細書で提供されるのは、がんを有するか、またはがんを有する疑いのある対象の治療化合物に対する応答性を予測する方法であり、この方法は、
（ａ）がんを有する対象から試料を得ることと、
（ｂ）対象から得た試料中のバイオマーカーのレベルを決定することであって、バイオマーカーはＩＫＺＦ２である、決定することと、
（ｃ）対象の試料中のバイオマーカーレベルがバイオマーカーの参照レベルよりも低い場合、対象を、がんを治療することにおける治療化合物に応答する可能性があると診断することとを含む。
【０１１９】
他の実施形態において、本明細書で提供されるのは、がんを治療する方法であり、この方法は、
（ａ）がんを有する対象から試料を得ることと、
（ｂ）対象から得た試料中のバイオマーカーのレベルを決定することであって、バイオマーカーはＩＫＺＦ２である、決定することと、
（ｃ）対象の試料中のバイオマーカーレベルがバイオマーカーの参照レベルよりも低い場合、対象を治療化合物に応答する可能性があると診断することと、
（ｄ）治療化合物に応答する可能性があると診断された対象に治療上有効な量の治療化合物を投与することとを含む。
【０１２０】
更に他の実施形態において、本明細書で提供されるのは、対象のがんを治療することにおける治療化合物の有効性をモニタリングする方法であり、この方法は、
（ａ）がんを有する対象に治療化合物を投与することと、
（ｂ）対象から試料を得ることと、
（ｃ）対象から得た試料中のバイオマーカーのレベルを決定することであって、バイオマーカーはＩＫＺＦ２である、決定することと、
（ｄ）試料中のバイオマーカーレベルをバイオマーカーの参照レベルと比較することであって、参照と比較したときのバイオマーカーレベルの低下が対象のがんを治療することにおける治療化合物の有効性を示す、比較することとを含む。
【０１２１】
本明細書で提供される方法のいくつかの実施形態において、がんを有する対象から得た試料に治療化合物を投与することは、ｉｎ  ｖｉｔｒｏでなされる。他の実施形態において、がんを有する対象から得た試料に治療化合物を投与することは、ｉｎ  ｖｉｖｏで実施される。一実施形態において、細胞を、ある期間、例えば、５、１０、１５、２０、２５、３０、３５、４０、４５、５０もしくは５５分間、または１、２、３、４、５、６、７、８、９、１０、１１、１２、１３、１４、１５、１６、１７、１８、１９、２０、２１、２２、２３もしくは２４時間、または２もしくは３日以上、化合物と接触させる。一実施形態において、細胞は、細胞株から得られる。他の実施形態において、細胞は、がんを有する（またはがんを有する疑いのある）対象から得られる。
【０１２２】
いくつかの実施形態において、治療化合物は、ＩＫＺＦ２のレベルがＩＫＺＦ２の参照レベルの５０％未満である場合、対象のがんを治療することにおいて有効性を有すると決定される。いくつかの実施形態において、治療化合物は、ＩＫＺＦ２のレベルがＩＫＺＦ２の参照レベルの４０％未満である場合、対象のがんを治療することにおいて有効性を有すると決定される。いくつかの実施形態において、治療化合物は、ＩＫＺＦ２のレベルがＩＫＺＦ２の参照レベルの３０％未満である場合、対象のがんを治療することにおいて有効性を有すると決定される。いくつかの実施形態において、治療化合物は、ＩＫＺＦ２のレベルがＩＫＺＦ２の参照レベルの２０％未満である場合、対象のがんを治療することにおいて有効性を有すると決定される。いくつかの実施形態において、治療化合物は、ＩＫＺＦ２のレベルがＩＫＺＦ２の参照レベルの１０％未満である場合、対象のがんを治療することにおいて有効性を有すると決定される。いくつかの実施形態において、治療化合物は、ＩＫＺＦ２のレベルがＩＫＺＦ２の参照レベルの５％未満である場合、対象のがんを治療することにおいて有効性を有すると決定される。いくつかの実施形態において、治療化合物は、ＩＫＺＦ２のレベルがＩＫＺＦ２の参照レベルの１％未満である場合、対象のがんを治療することにおいて有効性を有すると決定される。いくつかの実施形態において、治療化合物は、ＩＫＺＦ２のレベルがＩＫＺＦ２の参照レベルの０．５％未満である場合、対象のがんを治療することにおいて有効性を有すると決定される。いくつかの実施形態において、治療化合物は、ＩＫＺＦ２のレベルがＩＫＺＦ２の参照レベルの０．１％未満である場合、対象のがんを治療することにおいて有効性を有すると決定される。
【０１２３】
いくつかの実施形態において、ＩＫＺＦ２のｍＲＮＡレベルがバイオマーカーとして使用される。いくつかの実施形態において、バイオマーカーのｍＲＮＡ相対レベルは、ハウスキーピング遺伝子（例えば、ＧＡＰＤＨ、β−アクチンなど）のｍＲＮＡレベルを基準にしたものである。いくつかの実施形態において、対象は、ＩＫＺＦ２のｍＲＮＡ相対レベルが１〜０．００００１よりも低い場合、治療化合物に応答する可能性があると診断される。一実施形態において、ＩＫＺＦ２のｍＲＮＡ相対レベルは、１よりも低い。別の実施形態において、ＩＫＺＦ２のｍＲＮＡ相対レベルは、０．５よりも低い。更に別の実施形態において、ＩＫＺＦ２のｍＲＮＡ相対レベルは、０．１よりも低い。更に別の実施形態において、ＩＫＺＦ２のｍＲＮＡ相対レベルは、０．０５よりも低い。別の実施形態において、ＩＫＺＦ２のｍＲＮＡ相対レベルは、０．０１よりも低い。一実施形態において、ＩＫＺＦ２のｍＲＮＡ相対レベルは、０．００５よりも低い。別の実施形態において、ＩＫＺＦ２のｍＲＮＡ相対レベルは、０．００４よりも低い。更に別の実施形態において、ＩＫＺＦ２のｍＲＮＡ相対レベルは、０．００３よりも低い。更に別の実施形態において、ＩＫＺＦ２のｍＲＮＡ相対レベルは、０．００２よりも低い。別の実施形態において、ＩＫＺＦ２のｍＲＮＡ相対レベルは、０．００１よりも低い。一実施形態において、ＩＫＺＦ２のｍＲＮＡ相対レベルは、０．０００５よりも低い。
【０１２４】
本明細書で提供される種々の方法のいくつかの実施形態において、参照は、がんを有するが当該化合物での治療に応答しない対象から得られた対照試料を使用することによって準備され、対照試料は、試料と同じ由来源である。他の実施形態において、参照は、がんを有しない健常な対象から得られた対照試料を使用することによって準備され、対照試料は、試料と同じ由来源である。
【０１２５】
本明細書で提供される種々の方法のいくつかの実施形態において、がんは、白血病である。いくつかの実施形態において、がんは、リンパ腫である。他の実施形態において、がんは、成人Ｔ細胞白血病（ＡＴＬ）である。他の実施形態において、がんは、再発性、難治性または従来の治療法に抵抗性である。他の実施形態において、がんは、再発性または難治性ＡＴＬである。
【０１２６】
本明細書で提供される種々の方法のいくつかの実施形態において、治療化合物は、免疫調節化合物である。いくつかの実施形態において、治療化合物は、レナリドミドである。
【０１２７】
本明細書で提供される種々の方法の具体的な実施形態において、治療化合物はレナリドミドであり、がんはＡＴＬである。
【０１２８】
いくつかの実施形態において、バイオマーカーのレベルは、バイオマーカーのタンパク質レベルを決定することによって測定される。いくつかの実施形態において、本明細書で提供される方法は、試料中のタンパク質を、バイオマーカータンパク質に免疫特異的に結合する第１の抗体と接触させることを含む。いくつかの実施形態において、本明細書で提供される方法は、
（ｉ）第１の抗体に結合したバイオマーカータンパク質を、検出可能な標識を有する第２の抗体と接触させることであって、第２の抗体は、バイオマーカータンパク質に免疫特異的に結合し、かつ、第２の抗体は、バイオマーカータンパク質上の第１の抗体とは異なるエピトープに免疫特異的に結合する、接触させることと、
（ｉｉ）タンパク質に結合した第２の抗体の存在を検出することと、
（ｉｉｉ）第２の抗体中の検出可能な標識の量に基づいてバイオマーカータンパク質の量を決定することとを更に含む。
【０１２９】
他の実施形態において、本明細書で提供される方法は、
（ｉ）第１の抗体に結合したバイオマーカータンパク質を、検出可能な標識を有する第２の抗体と接触させることであって、第２の抗体が第１の抗体に免疫特異的に結合する、接触させることと、
（ｉｉ）タンパク質に結合した第２の抗体の存在を検出することと、
（ｉｉｉ）第２の抗体中の検出可能な標識の量に基づいてバイオマーカータンパク質の量を決定することとを更に含む。
【０１３０】
他の実施形態において、バイオマーカーのレベルは、バイオマーカーのｍＲＮＡレベルを決定することによって測定される。更に他の実施形態において、バイオマーカーのレベルは、バイオマーカーのｃＤＮＡレベルを決定することによって測定される。いくつかの実施形態において、バイオマーカーのレベルは、定量的ＰＣＲ（ｑＰＣＲ）を使用して測定される。いくつかの実施形態において、バイオマーカーのｍＲＮＡレベルは、バイオマーカーのｍＲＮＡ相対レベルである。いくつかの実施形態において、バイオマーカーのｍＲＮＡ相対レベルは、ハウスキーピング遺伝子（例えば、ＧＡＰＤＨ、β−アクチンなど）のｍＲＮＡレベルを基準にしたものである。
【０１３１】
本明細書で提供される種々の方法のいくつかの実施形態において、患者は、以前に治療を受けたことがない患者だけでなく、以前にがん治療を受けたが標準療法に不応性である患者も含む。一部の疾患または障害はある特定の年齢群でより一般的であるが、本開示は、患者の年齢に関係なく、患者を治療する方法も包含する。本出願は、問題の疾患または病態を治療するために手術を受けていない患者だけでなく、手術を受けたことのある患者を治療する方法を更に包含する。がん患者の臨床症状は均一でなく、様々な臨床転帰を有するので、患者に施される治療は、その患者の予後に応じて変わり得る。技能のある臨床医であれば、過度な実験を行うことなく、個々のがん患者の治療に有効的に使用することができる、具体的な二次薬剤、手術の種類及び薬物以外の標準治療の種類を容易に決定できるであろう。
【０１３２】
ある特定の実施形態において、治療化合物の治療上または予防上有効な量は、約０．００５〜約１，０００ｍｇ／日、約０．０１〜約５００ｍｇ／日、約０．０１〜約２５０ｍｇ／日、約０．０１〜約１００ｍｇ／日、約０．１〜約１００ｍｇ／日、約０．５〜約１００ｍｇ／日、約１〜約１００ｍｇ／日、約０．０１〜約５０ｍｇ／日、約０．１〜約５０ｍｇ／日、約０．５〜約５０ｍｇ／日、約１〜約５０ｍｇ／日、約０．０２〜約２５ｍｇ／日、または約０．０５〜約１０ｍｇ／日である。
【０１３３】
ある特定の実施形態において、治療上または予防上有効な量は、約０．００５〜約１，０００ｍｇ／日、約０．０１〜約５００ｍｇ／日、約０．０１〜約２５０ｍｇ／日、約０．０１〜約１００ｍｇ／日、約０．１〜約１００ｍｇ／日、約０．５〜約１００ｍｇ／日、約１〜約１００ｍｇ／日、約０．０１〜約５０ｍｇ／日、約０．１〜約５０ｍｇ／日、約０．５〜約５０ｍｇ／日、約１〜約５０ｍｇ／日、約０．０２〜約２５ｍｇ／日、または隔日約０．０５〜約１０ｍｇである。
【０１３４】
ある特定の実施形態において、治療上または予防上有効な量は、約０．１、約０．２、約０．５、約１、約２、約５、約１０、約１５、約２０、約２５、約３０、約４０、約４５、約５０、約６０、約７０、約８０、約９０、約１００または約１５０ｍｇ／日である。
【０１３５】
一実施形態において、本明細書に記載される病態のための治療化合物、またはそのエナンチオマーもしくはエナンチオマーの混合物、またはその薬学的に許容される塩、溶媒和物、水和物、共結晶、包接化合物もしくは多形体の推奨される１日当たりの用量範囲は、約０．５ｍｇ〜約５０ｍｇ／日の範囲内であり、好ましくは、１日１回の単回用量で投与されるか、または分割用量で１日を通じて投与される。いくつかの実施形態において、用量は、約１ｍｇ〜約５０ｍｇ／日の範囲である。他の実施形態において、用量は、約０．５〜約５ｍｇ／日の範囲である。１日当たりの具体的用量としては、０．１、０．２、０．５、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９または５０ｍｇ／日が挙げられる。
【０１３６】
具体的な実施形態において、推奨される開始用量は、０．５、１、２、３、４、５、１０、１５、２０、２５または５０ｍｇ／日であり得る。別の実施形態において、推奨される開始用量は、０．５、１、２、３、４または５ｍｇ／日であり得る。この用量は、１５、２０、２５、３０、３５、４０、４５及び５０ｍｇ／日に漸増させてもよい。具体的な実施形態において、化合物は、約２５ｍｇ／日の量で、リンパ腫、例えば、ＡＴＬの患者に投与することができる。特定の実施形態において、化合物は、約１０ｍｇ／日の量で、ＡＴＬを含むリンパ腫の患者に投与することができる。
【０１３７】
ある特定の実施形態において、治療上または予防上有効な量は、約０．００１〜約１００ｍｇ／ｋｇ／日、約０．０１〜約５０ｍｇ／ｋｇ／日、約０．０１〜約２５ｍｇ／ｋｇ／日、約０．０１〜約１０ｍｇ／ｋｇ／日、約０．０１〜約９ｍｇ／ｋｇ／日、約０．０１〜約８ｍｇ／ｋｇ／日、約０．０１〜約７ｍｇ／ｋｇ／日、約０．０１〜約６ｍｇ／ｋｇ／日、約０．０１〜約５ｍｇ／ｋｇ／日、約０．０１〜約４ｍｇ／ｋｇ／日、約０．０１〜約３ｍｇ／ｋｇ／日、約０．０１〜約２ｍｇ／ｋｇ／日、または約０．０１〜約１ｍｇ／ｋｇ／日である。
【０１３８】
投与量は、ｍｇ／ｋｇ／日以外の単位で表現することもできる。例えば、非経口投与のための用量は、ｍｇ／ｍ２／日で表現することができる。当業者は、対象の身長もしくは体重のいずれかまたは両方が与えられれば、ｍｇ／ｋｇ／日の用量からｍｇ／ｍ２／日の用量にどのように変換するのかが容易にわかるであろう（ｗｗｗ．ｆｄａ．ｇｏｖ／ｃｄｅｒ／ｃａｎｃｅｒ／ａｎｉｍａｌｆｒａｍｅ．ｈｔｍ参照）。例えば、６５ｋｇのヒトの１ｍｇ／ｋｇ／日の用量は、３８ｍｇ／ｍ２／日にほぼ等しい。
【０１３９】
ある特定の実施形態において、化合物の投与量は、約０．００１〜約５００μＭ、約０．００２〜約２００μＭ、約０．００５〜約１００μＭ、約０．０１〜約５０μＭ、約１〜約５０μＭ、約０．０２〜約２５μＭ、約０．０５〜約２０μＭ、約０．１〜約２０μＭ、約０．５〜約２０μＭ、または約１〜約２０μＭの範囲である、定常状態における化合物の血漿中濃度をもたらすのに十分なものである。
【０１４０】
他の実施形態において、化合物の投与量は、約５〜約１００ｎＭ、約５〜約５０ｎＭ、約１０〜約１００ｎＭ、約１０〜約５０ｎＭ、または約５０〜約１００ｎＭの範囲である、定常状態における化合物の血漿中濃度をもたらすのに十分なものである。
【０１４１】
本明細書で使用されるとき、「定常状態における血漿中濃度」という用語は、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体の投与の一定期間後に到達した濃度である。一旦定常状態に到達すると、化合物の血漿中濃度の時間依存性曲線上には、小さなピークとトラフがみられる。
【０１４２】
ある特定の実施形態において、化合物の投与量は、約０．００１〜約５００μＭ、約０．００２〜約２００μＭ、約０．００５〜約１００μＭ、約０．０１〜約５０μＭ、約１〜約５０μＭ、約０．０２〜約２５μＭ、約０．０５〜約２０μＭ、約０．１〜約２０μＭ、約０．５〜約２０μＭ、または約１〜約２０μＭの範囲である、化合物の最高血漿中濃度（ピーク濃度）をもたらすのに十分なものである。
【０１４３】
ある特定の実施形態において、化合物の投与量は、約０．００１〜約５００μＭ、約０．００２〜約２００μＭ、約０．００５〜約１００μＭ、約０．０１〜約５０μＭ、約１〜約５０μＭ、約０．０１〜約２５μＭ、約０．０１〜約２０μＭ、約０．０２〜約２０μＭ、約０．０２〜約２０μＭ、または約０．０１〜約２０μＭの範囲である、化合物の最低血漿中濃度（トラフ濃度）をもたらすのに十分なものである。
【０１４４】
ある特定の実施形態において、化合物の投与量は、約１００〜約１００，０００ｎｇ＊時／ｍＬ、約１，０００〜約５０，０００ｎｇ＊時／ｍＬ、約５，０００〜約２５，０００ｎｇ＊時／ｍＬ、または約５，０００〜約１０，０００ｎｇ＊時／ｍＬの範囲である、化合物の曲線下面積（ＡＵＣ）をもたらすのに十分なものである。
【０１４５】
治療対象の疾患及び対象の病態に応じて、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、経口、非経口（例えば、筋肉内、腹腔内、静脈内、持続静注、大槽内注射もしくは注入、皮下注射または埋め込み）、吸入、経鼻、経膣、経直腸、舌下または局所（例えば、経皮的または局部）の投与経路により投与することができる。本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、好適な用量単位で、単独で、または各投与経路に適した薬学的に許容される賦形剤、担体、補助剤及びビヒクルとともに、製剤化され得る。
【０１４６】
一実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、経口投与される。別の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、非経口投与される。更に別の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、静脈投与される。
【０１４７】
本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、例えば、単回ボーラス注射または経口用錠剤もしくは丸剤などの単回投与として、あるいは、時間をかけて、例えば、時間をかけた連続注入または時間をかけた分割ボーラス投与として、送達することができる。化合物は、必要に応じて、例えば、患者が疾患の安定または軽減を感じるまで、あるいは、患者が疾患の進行または許容できない毒性を感じるまで、繰り返し投与することができる。例えば、固形腫瘍に関する疾患の安定とは、一般に、測定可能な病変の垂直方向の直径が、最後の測定から２５％以上増大していないことを意味する。Ｔｈｅｒａｓｓｅ  ｅｔ  ａｌ．，Ｊ．Ｎａｔｌ．Ｃａｎｃｅｒ  Ｉｎｓｔ．２０００，９２（３）：２０５−２１６。疾患の安定またはその欠如は、患者の症状評価、理学的検査、Ｘ線、ＣＡＴ、ＰＥＴまたはＭＲＩスキャン及び他の一般的に認められている評価モダリティを使用して画像化した腫瘍の視覚化などの当該技術分野において知られている方法によって決定される。
【０１４８】
本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日１回（ＱＤ）で投与してもよいし、１日２回（ＢＩＤ）、１日３回（ＴＩＤ）及び１日４回（ＱＩＤ）などのように１日量を複数回に分けてもよい。更に、投与は、連続的（すなわち、連続した複数日間の毎日（ｄａｉｌｙ）または毎日（ｅｖｅｒｙ  ｄａｙ））であってもよいし、または断続的、例えば、サイクル（すなわち、薬物を使用しない休薬の日、週または月を含める）であってもよい。本明細書で使用されるとき、「ｄａｉｌｙ（毎日）」という用語は、本明細書中に記載される化合物、例えば、レナリドミドなどの治療用化合物が、例えば、一定期間に、各日１回または２回以上投与されることを意味することが意図される。「連続的」という用語は、本明細書中に記載される化合物、例えば、レナリドミドなどの治療用化合物が、少なくとも１０日〜５２週間の中断しない期間に毎日投与されることを意味することが意図される。本明細書で使用される「断続的」または「断続的に」という用語は、一定の間隔または不規則な間隔のいずれかでの停止及び開始を意味することが意図される。例えば、本明細書中に記載される化合物、例えば、レナリドミドの断続的投与は、１〜６日／週での投与、サイクル投与（例えば、連続する２〜８週間の毎日の投与、次いで最大１週間の投与なしの休薬期間）、または隔日の投与である。本明細書で使用される「サイクル」という用語は、本明細書中に記載される化合物、例えば、レナリドミドなどの治療用化合物が、毎日または連続的に投与されるが休薬期間を伴うことを意味することが意図される。ある特定の実施形態において、休薬期間は、治療期間と同じ長さである。他の実施形態において、休薬期間は、治療期間とは異なる長さである。
【０１４９】
いくつかの実施形態において、投与の頻度は、１日用量前後から月間用量前後までの範囲内である。ある特定の実施形態において、投与は、１日１回、１日２回、１日３回、１日４回、２日に１回、週２回、週１回、２週に１回、３週に１回または４週に１回である。一実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日１回、投与される。別の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日２回、投与される。更に別の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日３回、投与される。更に別の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日４回、投与される。
【０１５０】
ある特定の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日１回、１日〜６ヶ月、１週間〜３ヶ月、１週間〜４週間、１週間〜３週間、または１週間〜２週間投与される。ある特定の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日１回、１週間、２週間、３週間または４週間投与される。一実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日１回、１週間投与される。別の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日１回、２週間投与される。更に別の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日１回、３週間投与される。更に別の実施形態において、本明細書中に記載される化合物、例えば、レナリドミド、またはそのエナンチオマーもしくはエナンチオマーの混合物、またはその薬学的に許容される塩、溶媒和物、水和物、共結晶、包接化合物もしくは多形体は、１日１回、４週間投与される。
【０１５１】
本明細書で提供される種々の方法のいくつかの実施形態において、方法は、治療上有効な量の第２の活性薬剤または支持療法剤を投与することを更に含む。第２の活性薬剤は、大分子（例えば、タンパク質）または小分子（例えば、合成の無機分子、有機金属分子または有機分子）であり得る。いくつかの実施形態において、第２の活性薬剤は、がん抗原に特異的に結合する治療用抗体、造血成長因子、サイトカイン、抗がん剤、抗生物質、ｃｏｘ−２阻害剤、免疫調節剤、免疫抑制剤、コルチコステロイド、またはその薬理活性変異体もしくは誘導体である。
【０１５２】
いくつかの実施形態において、第２の活性薬剤は、本明細書中に記載される化合物、またはそのエナンチオマーもしくはエナンチオマーの混合物、またはその薬学的に許容される塩、溶媒和物、水和物、共結晶、包接化合物もしくは多形体の投与に伴う有害作用を軽減することができる小分子である。小分子である第２の活性薬剤の多くは、本明細書中に記載される化合物、またはそのエナンチオマーもしくはエナンチオマーの混合物、またはその薬学的に許容される塩、溶媒和物、水和物、共結晶、包接化合物もしくは多形体とともに（例えば、その前、後またはそれと同時に）投与する場合、相乗効果が得られると考えられている。小分子の第２の活性薬剤の例には、抗がん剤、抗生物質、免疫抑制剤及びステロイドが挙げられるが、これらに限定されない。
【０１５３】
５．３  バイオマーカーを検出及び定量する方法
ある特定の実施形態において、本明細書で提供されるのは、バイオマーカーを検出及び／または定量する方法であり、この方法は、
（ａ）対象から試料を得ることと、
（ｂ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｃ）対象の試料中のバイオマーカーレベルの比をバイオマーカーレベルの参照比と比較することとを含む。
【０１５４】
ある特定の実施形態において、本明細書で提供されるのは、バイオマーカーを検出及び／または定量する方法であり、この方法は、
（ａ）がんを有する対象に治療化合物を投与することと、
（ｂ）対象から試料を得ることと、
（ｃ）対象から得た試料中の第１のバイオマーカーレベルの第２のバイオマーカーレベルに対する比を決定することであって、バイオマーカーのうちの少なくとも１つがＣＲＢＮ関連タンパク質である、決定することと、
（ｄ）試料中のバイオマーカーレベルの比を、参照試料から得たバイオマーカーレベルの比と比較することとを含む。
【０１５５】
いくつかの実施形態において、参照は、がんを有するが化合物での治療に応答しない対象から得られた対照試料を使用することによって準備され、対照試料は、試料と同じ由来源である。他の実施形態において、参照は、がんを有しない健常な対象から得られた対照試料を使用することによって準備され、対照試料は、試料と同じ由来源である。
【０１５６】
いくつかの実施形態において、がんは、白血病である。いくつかの実施形態において、がんは、リンパ腫である。他の実施形態において、がんは、成人Ｔ細胞白血病（ＡＴＬ）である。他の実施形態において、がんは、再発性、難治性または従来の治療法に抵抗性である。他の実施形態において、がんは、再発性または難治性ＡＴＬである。
【０１５７】
いくつかの実施形態において、治療化合物は、免疫調節化合物である。いくつかの実施形態において、治療化合物は、レナリドミドである。
【０１５８】
具体的な実施形態において、治療化合物はレナリドミドであり、がんはＡＴＬである。
【０１５９】
いくつかの実施形態において、第１のバイオマーカーは、ＣＲＢＮ、ＩＫＺＦ１及びＩＫＺＦ２を含む群から選択される。いくつかの実施形態において、第２のバイオマーカーは、ＣＲＢＮ、ＩＫＺＦ１及びＩＫＺＦ２を含む群から選択される。いくつかの実施形態において、第１のバイオマーカー及び第２のバイオマーカーは、ＣＲＢＮ、ＩＫＺＦ１及びＩＫＺＦ２を含む群から選択され、バイオマーカーレベルの比は、参照と比較して変化する。
【０１６０】
いくつかの実施形態において、バイオマーカーレベルの比は、参照と比較して増大する。他の実施形態において、バイオマーカーレベルの比は、参照と比較して減少する。
【０１６１】
いくつかの実施形態において、第１のバイオマーカーは、ＣＲＢＮである。いくつかの実施形態において、第１のバイオマーカーがＣＲＢＮである場合、第２のバイオマーカーはＣＲＢＮの基質である。他の実施形態において、第１のバイオマーカーがＣＲＢＮである場合、第２のバイオマーカーはＣＲＢＮの基質でない。
【０１６２】
いくつかの実施形態において、第１のバイオマーカーはＣＲＢＮであり、第２のバイオマーカーはＩＫＺＦ１である。いくつかの実施形態において、ＣＲＢＮの発現レベルのＩＫＺＦ１の発現レベルに対する比は、３より高い。他の実施形態において、ＣＲＢＮの発現レベルのＩＫＺＦ１の発現レベルに対する比は、４より高い。更に他の実施形態において、ＣＲＢＮの発現レベルのＩＫＺＦ１の発現レベルに対する比は、５より高い。
【０１６３】
他の実施形態において、第１のバイオマーカーはＣＲＢＮであり、第２のバイオマーカーはＩＫＺＦ２である。いくつかの実施形態において、ＣＲＢＮの発現レベルのＩＫＺＦ２の発現レベルに対する比は、５００〜５０００である。他の実施形態において、ＣＲＢＮの発現レベルのＩＫＺＦ２の発現レベルに対する比は、５００より高い。他の実施形態において、ＣＲＢＮの発現レベルのＩＫＺＦ２の発現レベルに対する比は、１０００より高い。更に他の実施形態において、ＣＲＢＮの発現レベルのＩＫＺＦ２の発現レベルに対する比は、１５００より高い。更に他の実施形態において、ＣＲＢＮの発現レベルのＩＫＺＦ２の発現レベルに対する比は、２５００より高い。
【０１６４】
いくつかの実施形態において、バイオマーカーのレベルは、バイオマーカーのタンパク質レベルを決定することによって測定される。他の実施形態において、バイオマーカーのレベルは、バイオマーカーのｍＲＮＡレベルを決定することによって測定される。更に他の実施形態において、バイオマーカーのレベルは、バイオマーカーのｃＤＮＡレベルを決定することによって測定される。いくつかの実施形態において、バイオマーカーのレベルは、定量的ＰＣＲ（ｑＰＣＲ）を使用して測定される。
【０１６５】
ある特定の実施形態において、本明細書で提供されるのは、試料中のタンパク質を、バイオマーカータンパク質に免疫特異的に結合する第１の抗体と接触させる、生体試料から本明細書中に記載されるバイオマーカーのタンパク質レベルを検出及び定量する方法である。いくつかの実施形態において、本明細書で提供される方法は、（ｉ）第１の抗体に結合したバイオマーカータンパク質を、検出可能な標識を有する第２の抗体と接触させることであって、第２の抗体は、バイオマーカータンパク質に免疫特異的に結合し、かつ、第２の抗体は、バイオマーカータンパク質上の第１の抗体とは異なるエピトープに免疫特異的に結合する、接触させることと、（ｉｉ）タンパク質に結合した第２の抗体の存在を検出することと、（ｉｉｉ）第２の抗体中の検出可能な標識の量に基づいてバイオマーカータンパク質の量を決定することとを更に含む。他の実施形態において、本明細書で提供される方法は、（ｉ）第１の抗体に結合したバイオマーカータンパク質を、検出可能な標識を有する第２の抗体と接触させることであって、第２の抗体が第１の抗体に免疫特異的に結合する、接触させることと、（ｉｉ）タンパク質に結合した第２の抗体の存在を検出することと、（ｉｉｉ）第２の抗体中の検出可能な標識の量に基づいてバイオマーカータンパク質の量を決定することとを更に含む。
【０１６６】
本明細書で提供される種々の方法のいくつかの実施形態において、方法は、二重染色免疫組織化学を使用して１つ以上のバイオマーカーのレベルを決定することを含む。二重染色免疫組織化学アッセイにおいて、本明細書中に記載される第１のバイオマーカー及び第２のバイオマーカーは、本明細書中に記載される第１のバイオマーカーを標的にする第１の標識抗体及び第２のバイオマーカーを標的にする第２の標識抗体を使用して同時に検出される。いくつかの実施形態において、第１のバイオマーカーはＣＲＢＮであり、第２のバイオマーカーはＩＫＺＦ１である。他の実施形態において、第１のバイオマーカーはＣＲＢＮであり、第２のバイオマーカーはＩＫＺＦ２である。
【０１６７】
したがって、いくつかの実施形態において、本明細書で提供される方法は、（ｉ）試料中のタンパク質を、本明細書中に記載される第１のバイオマーカーに免疫特異的に結合し、第１の検出可能な標識が結合されている第１の抗体に接触させることと、（ｉｉ）試料中のタンパク質を、第２のバイオマーカーに免疫特異的に結合し、第２の検出可能な標識が結合されている第２の抗体に接触させることと、（ｉｉｉ）タンパク質に結合した第１の抗体及び第２の抗体の存在を検出することと、（ｉｖ）第１の抗体及び第２の抗体の検出可能な標識の量に基づいて、本明細書中に記載される２つのバイオマーカーのレベルを決定し、２つのバイオマーカーのレベルの比を決定することとを含む。
【０１６８】
ある特定の実施形態において、本明細書で提供されるのは、生体試料から本明細書中に記載されるバイオマーカーのＲＮＡ（例えば、ｍＲＮＡ）レベルを検出及び定量する方法であり、この方法は、（ａ）試料からＲＮＡを得ることと、（ｂ）当該ＲＮＡを、当該ＲＮＡの配列に特異的に結合する配列を含むプライマーと接触させて当該ＲＮＡに相補的な配列を有する第１のＤＮＡ分子を生成することと、（ｃ）バイオマーカーをコードする遺伝子のセグメントに対応するＤＮＡを増幅させることと、（ｄ）増幅させたＤＮＡの量に基づいて、バイオマーカーのＲＮＡレベルを決定することとを含む。
【０１６９】
本明細書で提供される種々の方法のある特定の実施形態において、ステップのうちの２つ以上は、連続的に実施される。本明細書で提供される方法の他の実施形態において、ステップのうちの２つ以上は、並行して（例えば、同時に）実施される。
【０１７０】
バイオマーカーのタンパク質レベルを検出及び定量する方法のための本明細書中に記載される例示的なアッセイは、ウェスタンブロット解析及び酵素結合免疫吸着法（ＥＬＩＳＡ）（例えば、サンドイッチＥＬＩＳＡ）などの免疫測定法である。本明細書中に記載されるバイオマーカーまたはその組み合わせのＲＮＡレベルを検出及び定量する方法のための本明細書中に記載される例示的なアッセイは、逆転写ポリメラーゼ連鎖反応（ＲＴ−ＰＣＲ）、例えば、定量的ＰＣＲまたはｑＰＣＲである。
【０１７１】
いくつかの実施形態において、ＲＮＡ転写物またはタンパク質を測定するために利用したアッセイから得たデータに対して、統計解析または他の解析が実施される。ある特定の具体的な実施形態において、示差的に発現されるこれらのＲＮＡ転写物またはタンパク質のｐ値は、０．１、０．５、０．４、０．３、０．２、０．０１、０．０５、０．００１、０．００５または０．０００１である。具体的な実施形態において、１０％、９％、８％、７％、６％、５％、４％、３％、２％、１％またはそれ以下の偽発見率（ＦＤＲ）が選択される。
【０１７２】
５．３．１  試料中のｍＲＮＡレベルを検出する方法
ｍＲＮＡレベルを検出または定量するいくつかの方法が当該技術分野において知られており、本明細書で提供される方法においてバイオマーカーのレベルを測定するために使用するのに好適である。例示的な方法には、ノーザンブロット、リボヌクレアーゼプロテクションアッセイ及びＰＣＲベースの方法が挙げられるが、これらに限定されない。バイオマーカーがｍＲＮＡ分子である場合、そのｍＲＮＡ配列またはその断片を使用して、少なくとも部分的に相補的であるプローブを作製することができる。次いで、そのプローブを使用して、ＰＣＲベースの方法、ノーザンブロッティングまたはディップスティックアッセイなどの任意の好適なアッセイを用いて、試料中のｍＲＮＡ配列を検出することができる。
【０１７３】
他の実施形態において、生体試料の免疫調節活性を試験するための核酸アッセイが準備される。アッセイは、典型的に、固体支持体と、当該支持体に接触している少なくとも１つの核酸とを含み、当該核酸は、患者の免疫調節剤治療中に発現が変化したｍＲＮＡ、例えば、バイオマーカー（例えば、ＣＲＢＮ、ＩＫＺＦ１またはＩＫＺＦ２）のｍＲＮＡの少なくとも一部に対応する。アッセイは、試料中のｍＲＮＡの発現変化を検出するための手段も有し得る。
【０１７４】
アッセイ法は、所望のｍＲＮＡ情報の種類に応じて変わり得る。例示的な方法には、ノーザンブロット及びＰＣＲベースの方法（例えば、ｑＲＴ−ＰＣＲ）が挙げられるが、これらに限定されない。ｑＲＴ−ＰＣＲなどの方法は、試料中のｍＲＮＡの量を正確に定量することもできる。
【０１７５】
任意の好適なアッセイプラットフォームを使用して、試料中のｍＲＮＡの存在を決定することができる。例えば、アッセイは、ディップスティック、メンブレン、チップ、ディスク、試験ストリップ、フィルター、マイクロスフェア、スライド、マルチウェルプレートまたは光ファイバーの形態であってよい。アッセイシステムは、ｍＲＮＡに対応する核酸が結合した固体支持体を有し得る。固体支持体は、例えば、プラスチック、シリコン、金属、樹脂、ガラス、メンブレン、粒子、沈殿物、ゲル、ポリマー、シート、球体、多糖、キャピラリー、フィルム、プレートまたはスライドを含み得る。アッセイの構成成分は、ｍＲＮＡを検出するためのキットとして準備され、一緒にパッケージ化することができる。
【０１７６】
核酸は、所望により、標識して、標識されたｍＲＮＡの集団を作製することができる。一般に、当該技術分野においてよく知られている方法を使用して（例えば、ＤＮＡリガーゼ、ターミナルトランスフェラーゼを使用して、またはＲＮＡ骨格を標識することなどによって）、試料を標識することができる。例えば、Ａｕｓｕｂｅｌ  ｅｔ  ａｌ．，Ｓｈｏｒｔ  Ｐｒｏｔｏｃｏｌｓ  ｉｎ  Ｍｏｌｅｃｕｌａｒ  Ｂｉｏｌｏｇｙ（Ｗｉｌｅｙ＆Ｓｏｎｓ，３ｒｄ  ｅｄ．１９９５）、Ｓａｍｂｒｏｏｋ  ｅｔ  ａｌ．，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ，Ｎ．Ｙ．，３ｒｄ  ｅｄ．２００１）を参照されたい。いくつかの実施形態において、試料は、蛍光標識で標識される。例示的な蛍光色素には、キサンテン色素、フルオレセイン色素（例えば、フルオレセインイソチオシアネート（ＦＩＴＣ）、６−カルボキシフルオレセイン（ＦＡＭ）、６カルボキシ−２’，４’，７’，４，７−ヘキサクロロフルオレセイン（ＨＥＸ）、６−カルボキシ−４’，５’−ジクロロ−２’，７’−ジメトキシフルオレセイン（ＪＯＥ））、ローダミン色素（例えば、ローダミン１１０（Ｒ１１０）、Ｎ，Ｎ，Ｎ’，Ｎ’−テトラメチル−６−カルボキシローダミン（ＴＡＭＲＡ）、６−カルボキシ−Ｘ−ローダミン（ＲＯＸ）、５−カルボキシローダミン６Ｇ（Ｒ６Ｇ５またはＧ５）、６−カルボキシローダミン６Ｇ（Ｒ６Ｇ６またはＧ６））、シアニン色素（例えば、Ｃｙ３、Ｃｙ５及びＣｙ７）、Ａｌｅｘａ色素（例えば、Ａｌｅｘａ−ｆｌｕｏｒ−５５５）、クマリン、ジエチルアミノクマリン、ウンベリフェロン、ベンズイミド色素（例えば、Ｈｏｅｃｈｓｔ  ３３２５８）フェナントリジン色素（例えば、Ｔｅｘａｓ  Ｒｅｄ）、エチジウム色素、アクリジン色素、カルバゾール色素、フェノキサジン色素、ポルフィリン色素、ポリメチン色素、ＢＯＤＩＰＹ色素、キノリン色素、ピレン、フルオレセインクロロトリアジニル、エオシン色素、テトラメチルローダミン、リサミン、ナフトフルオレセインなどが挙げられるが、これらに限定されない。
【０１７７】
いくつかの実施形態において、ｍＲＮＡ配列は、本明細書中に記載されるバイオマーカーの少なくとも１つのｍＲＮＡを含む。いくつかの実施形態において、バイオマーカーは、ＣＲＢＮ、ＩＫＺＦ１、ＩＫＺＦ２のｍＲＮＡまたはその断片からなる群から選択される。一実施形態において、ｍＲＮＡは、ＣＲＢＮ  ｍＲＮＡである。別の実施形態において、ｍＲＮＡは、ＩＫＺＦ１  ｍＲＮＡである。更に別の実施形態において、ｍＲＮＡは、ＩＫＺＦ２  ｍＲＮＡである。
【０１７８】
ある特定の実施形態において、本明細書中に記載される２つ以上のバイオマーカーのｍＲＮＡレベルが測定される。いくつかの実施形態において、本明細書中に記載される２つの異なるバイオマーカーのｍＲＮＡレベルの比が算出される。一実施形態において、比は、ＣＲＢＮ  ｍＲＮＡレベルのＩＫＺＦ１  ｍＲＮＡレベルに対するものである。別の実施形態において、比は、ＣＲＢＮ  ｍＲＮＡレベルのＩＫＺＦ２  ｍＲＮＡレベルに対するものである。
【０１７９】
核酸は、細胞または患者における免疫調節化合物の治療に際して示差的に発現される各ｍＲＮＡ配列の少なくとも一部にそれぞれ対応する固体支持体上の特定の場所指定が可能な位置に存在し得る。
【０１８０】
典型的なｍＲＮＡアッセイ法は、１）表面に結合した対象プローブを得るステップと、２）特異的結合をもたらすのに十分な条件下で、ｍＲＮＡ集団を表面結合プローブにハイブリダイズさせるステップと、（３）表面結合プローブに特異的に結合しなかった核酸を除去するために、ハイブリダイゼーション後に洗浄するステップと、（４）ハイブリダイズしたｍＲＮＡを検出するステップとを含み得る。これらのステップの各々で使用される試薬及びその使用条件は、特定の用途に応じて変わり得る。
【０１８１】
ハイブリダイゼーションは、好適なハイブリダイゼーション条件下で実施することができ、所望されるようにストリンジェンシーが変わり得る。典型的な条件は、相補的結合要素間、すなわち、表面に結合した対象プローブと試料中の相補的ｍＲＮＡとの間のプローブ／標的複合体を固体表面上にもたらすのに十分なものである。ある特定の実施形態において、ストリンジェントなハイブリダイゼーション条件が採用され得る。
【０１８２】
ハイブリダイゼーションは、典型的に、ストリンジェントなハイブリダイゼーション条件下で実施される。標準的なハイブリダイゼーション技術（例えば、試料中の標的ｍＲＮＡのプローブへの特異的結合をもたらすのに十分な条件下におけるもの）は、Ｋａｌｌｉｏｎｉｅｍｉ  ｅｔ  ａｌ．，Ｓｃｉｅｎｃｅ  １９９２，２５８：８１８−８２１及び国際特許出願公開第ＷＯ９３／１８１８６号に記載されている。一般的な技術のいくつかの指針は、例えば、Ｔｉｊｓｓｅｎ，Ｈｙｂｒｉｄｉｚａｔｉｏｎ  ｗｉｔｈ  Ｎｕｃｌｅｉｃ  Ａｃｉｄ  Ｐｒｏｂｅｓ，Ｐａｒｔｓ  Ｉ  ａｎｄ  ＩＩ（Ｅｌｓｅｖｉｅｒ，Ａｍｓｔｅｒｄａｍ  １９９３）から入手可能である。ｉｎ  ｓｉｔｕハイブリダイゼーションに好適な技術に関する説明については、Ｇａｌｌ  ｅｔ  ａｌ．，Ｍｅｔｈ．Ｅｎｚｙｍｏｌ．１９８１，２１：４７０−４８０、Ａｎｇｅｒｅｒ  ｅｔ  ａｌ．，Ｇｅｎｅｔｉｃ  Ｅｎｇｉｎｅｅｒｉｎｇ：Ｐｒｉｎｃｉｐｌｅｓ  ａｎｄ  Ｍｅｔｈｏｄｓ，Ｖｏｌ  ７，ｐｇｓ  ４３−６５（Ｐｌｅｎｕｍ  Ｐｒｅｓｓ，Ｎｅｗ  Ｙｏｒｋ，Ｓｅｔｌｏｗ  ａｎｄ  Ｈｏｌｌａｅｎｄｅｒ，ｅｄｓ．１９８５）を参照されたい。温度、塩濃度、ポリヌクレオチド濃度、ハイブリダイゼーション時間、洗浄条件のストリンジェンシーなどを含む適切な条件の選択は、試料の供給源、捕捉剤の性質、予想される相補性の度合いなどを含む実験設計によって異なり、当業者によって通常の実験事項として決定され得る。
【０１８３】
当業者であれば、代替的であるが同等のハイブリダイゼーション及び洗浄条件を利用して、類似のストリンジェンシー条件をもたらすことができることを容易に認識するであろう。
【０１８４】
ｍＲＮＡハイブリダイゼーション処理後、通常、未結合の核酸を除去するために、表面に結合したポリヌクレオチドを洗浄する。洗浄は、任意の簡便な洗浄プロトコルを使用して実施することができ、洗浄条件は、典型的に、上述したようにストリンジェントである。次いで、標的ｍＲＮＡのプローブへのハイブリダイゼーションを標準的技術を使用して検出する。
【０１８５】
他の方法、例えば、ＰＣＲベースの方法などを使用して、ＣＲＢＮまたは直接的もしくは間接的にＣＲＢＮによる影響を受けるタンパク質の発現を検出することもできる。ＰＣＲ法の例は、米国特許第６，９２７，０２４号に認めることができる（その全体を参照により本明細書に援用する）。ＲＴ−ＰＣＲ法の例は、米国特許第７，１２２，７９９号に認めることができる（その全体を参照により本明細書に援用する）。蛍光ｉｎ  ｓｉｔｕ  ＰＣＲの方法は、米国特許第７，１８６，５０７号に記載されている（その全体を参照により本明細書に援用する）。
【０１８６】
いくつかの実施形態において、ＲＮＡ標的の検出及び定量の両方に、定量的逆転写ＰＣＲ（ｑＲＴ−ＰＣＲ）を使用することができる（Ｂｕｓｔｉｎ  ｅｔ  ａｌ．，Ｃｌｉｎ．Ｓｃｉ．２００５，１０９：３６５−３７９）。ｑＲＴ−ＰＣＲによって得られる定量的結果は、一般に、定性的データよりも情報量が多い。したがって、いくつかの実施形態において、ｑＲＴ−ＰＣＲベースアッセイは、セルベースアッセイ中にｍＲＮＡレベルを測定するのに有用であり得る。ｑＲＴ−ＰＣＲ法はまた、患者治療のモニタリングにも有用である。ｑＲＴ−ＰＣＲベースの方法の例は、例えば、米国特許第７，１０１，６６３号に認めることができる（その全体を参照により本明細書に援用する）。
【０１８７】
常用の逆転写酵素ＰＣＲ及びアガロースゲルによる解析とは対照的に、ｑＲＴ−ＰＣＲは、定量的結果を与える。ｑＲＴ−ＰＣＲの更なる利点は、使用の相対的な容易さ及び簡便さである。ｑＲＴ−ＰＣＲの装置は、Ａｐｐｌｉｅｄ  Ｂｉｏｓｙｓｔｅｍｓ  ７５００などが市販されており、試薬についても、ＴａｑＭａｎ（登録商標）Ｓｅｑｕｅｎｃｅ  Ｄｅｔｅｃｔｉｏｎ  Ｃｈｅｍｉｓｔｒｙなどが市販されている。例えば、ＴａｑＭａｎ（登録商標）遺伝子発現アッセイを製造元の説明書に従って使用することができる。これらのキットは、ヒト、マウス及びラットのｍＲＮＡ転写物の迅速で信頼性のある検出及び定量のために予め構成された遺伝子発現アッセイである。例示的なｑＲＴ−ＰＣＲプログラムは、例えば、５０℃で２分間、９５℃で１０分間、９５℃で１５秒の４０サイクル、次いで６０℃で１分間である。
【０１８８】
特定のアンプリコンの蓄積に伴う蛍光シグナルが閾値と交差するサイクル数（ＣＴとも呼ばれる）を決定するには、データを、例えば、７５００  Ｒｅａｌ−Ｔｉｍｅ  ＰＣＲ  Ｓｙｓｔｅｍ  Ｓｅｑｕｅｎｃｅ  Ｄｅｔｅｃｔｉｏｎソフトウェアｖ１．３を使用して、比較ＣＴ相対定量算出法を用いて解析することができる。この方法を使用する場合、出力は、発現レベルの倍率変化として表される。いくつかの実施形態において、閾値レベルは、ソフトウェアによって自動的に決定されるように選択することができる。いくつかの実施形態において、閾値レベルは、ベースラインを上回るが、増幅曲線の指数関数的増殖領域内に入るように十分低く設定される。
【０１８９】
当業者に知られている技術を使用して、ＲＮＡ転写物（複数可）の量を測定することができる。いくつかの実施形態において、ＩＬＬＵＭＩＮＡ（登録商標）ＲＮＡＳｅｑ、ＩＬＬＵＭＩＮＡ（登録商標）次世代シーケンシング（ＮＧＳ）、ＩＯＮ  ＴＯＲＲＥＮＴ（商標）ＲＮＡ次世代シーケンシング、４５４（商標）ピロシーケンシングまたはＯｌｉｇｏ  Ｌｉｇａｔｉｏｎ  Ｄｅｔｅｃｔｉｏｎによるシーケンシング（ＳＯＬＩＤ（商標））などのディープシーケンシングを使用して、１、２、３、４、５以上のＲＮＡ転写物の量が測定される。他の実施形態において、マイクロアレイ及び／または遺伝子チップを使用して、多数のＲＮＡ転写物の量が測定される。ある特定の実施形態において、ＲＴ−ＰＣＲによって１、２、３以上のＲＮＡ転写物の量が決定される。他の実施形態において、ＲＴ−ｑＰＣＲによって１、２、３以上のＲＮＡ転写物の量が測定される。これらのアッセイを実施するための技術は、当業者に知られている。
【０１９０】
５．３．２  ポリペプチドまたはタンパク質バイオマーカーを検出する方法
バイオマーカーがタンパク質、ポリペプチドまたはペプチドである場合、これらのバイオマーカーのレベルを測定するには、いくつかのタンパク質検出及び定量法を使用することができる。任意の好適なタンパク質定量法を本明細書で提供される方法で使用することができる。ある特定の実施形態において、抗体ベースの方法が使用される。使用することができる例示的な方法には、免疫ブロット法（ウェスタンブロット）、酵素結合免疫吸着法（ＥＬＩＳＡ）、免疫組織化学、フローサイトメトリー、サイトメトリックビーズアレイ及び質量分光法が挙げられるが、これらに限定されない。ある特定の実施形態において、バイオマーカータンパク質は、質量分光法を使用して検出される。直接ＥＬＩＳＡ、間接ＥＬＩＳＡ及びサンドイッチＥＬＩＳＡを含む、複数種のＥＬＩＳＡが一般に使用される。
【０１９１】
いくつかの実施形態において、ポリペプチドまたはタンパク質は、本明細書中に記載されるバイオマーカーのうちの少なくとも１つのポリペプチドまたはタンパク質である。いくつかの実施形態において、バイオマーカーは、ＣＲＢＮ、ＩＫＺＦ１、ＩＫＺＦ２またはその断片のポリペプチドまたはタンパク質からなる群から選択される。一実施形態において、ポリペプチドまたはタンパク質は、ＣＲＢＮポリペプチドまたはタンパク質である。別の実施形態において、ポリペプチドまたはタンパク質は、ＩＫＺＦ１ポリペプチドまたはタンパク質である。更に別の実施形態において、ポリペプチドまたはタンパク質は、ＩＫＺＦ２ポリペプチドまたはタンパク質である。
【０１９２】
ある特定の実施形態において、本明細書中に記載される２つ以上のバイオマーカーのポリペプチドまたはタンパク質レベルが測定される。いくつかの実施形態において、本明細書中に記載される２つの異なるバイオマーカーのポリペプチドまたはタンパク質レベルの比が算出される。一実施形態において、比は、ＣＲＢＮポリペプチドまたはタンパク質レベルのＩＫＺＦ１ポリペプチドまたはタンパク質レベルに対するものである。別の実施形態において、比は、ＣＲＢＮポリペプチドまたはタンパク質レベルのＩＫＺＦ２ポリペプチドまたはタンパク質レベルに対するものである。
【０１９３】
５．４  対象及び試料
ある特定の実施形態において、本明細書で提供される種々の方法は、対象または個体（例えば、患者）からの試料（例えば、生体試料）を使用する。対象は、患者、例えば、がん（例えば、ＡＴＬ）を有する患者であり得る。対象は、哺乳動物、例えば、ヒトであり得る。対象は、男性でも女性でもよく、成人、子どもまたは乳幼児であってよい。試料は、がん（例えば、ＡＴＬ）の活動期中のある時点、またはがん（例えば、ＡＴＬ）が不活性であるときに解析され得る。ある特定の実施形態において、対象から２つ以上の試料が採取され得る。
【０１９４】
ある特定の実施形態において、本明細書で提供される方法で使用される試料は、対象由来の体液を含む。体液の非限定的な例には、血液（例えば、全血）、血漿、羊水、眼房水、胆汁、耳垢、カウパー腺液、前射精液、乳糜、キームス、女性精液、間質液、リンパ液、月経分泌物、母乳、粘液、胸膜液、膿汁、唾液、皮脂、精液、血清、汗、涙液、尿、膣分泌液、嘔吐物、分泌液、大便、体内液（脳及び脊髄を取り囲む脳脊髄液を含む）、滑液、細胞内液（細胞内部の液体）、及び硝子体液（眼球内の液体）が挙げられる。いくつかの実施形態において、試料は、血液試料である。血液試料は、従来技術、例えば、Ｉｎｎｉｓ  ｅｔ  ａｌ，ｅｄｓ．，ＰＣＲ  Ｐｒｏｔｏｃｏｌｓ（Ａｃａｄｅｍｉｃ  Ｐｒｅｓｓ，１９９０）に記載の技術を使用して得ることができる。従来技術または市販のキット、例えば、ＲｏｓｅｔｔｅＳｅｐキット（Ｓｔｅｉｎ  Ｃｅｌｌ  Ｔｅｃｈｎｏｌｏｇｉｅｓ（Ｖａｎｃｏｕｖｅｒ，Ｃａｎａｄａ））を使用して、血液試料から白血球を分離することができる。白血球の亜集団、例えば、単核細胞、Ｂ細胞、Ｔ細胞、単球、顆粒球またはリンパ球は、従来技術、例えば、磁気活性化細胞分離法（ＭＡＣＳ）（Ｍｉｌｔｅｎｙｉ  Ｂｉｏｔｅｃ（Ａｕｂｕｒｎ，Ｃａｌｉｆｏｒｎｉａ））または蛍光活性化細胞分取法（ＦＡＣＳ）（Ｂｅｃｔｏｎ  Ｄｉｃｋｉｎｓｏｎ（Ｓａｎ  Ｊｏｓｅ，Ｃａｌｉｆｏｒｎｉａ））を使用して更に単離することができる。
【０１９５】
一実施形態において、血液試料は、約０．１ｍＬ〜約１０．０ｍＬ、約０．２ｍＬ〜約７ｍＬ、約０．３ｍＬ〜約５ｍＬ、約０．４ｍＬ〜約３．５ｍＬまたは約０．５ｍＬ〜約３ｍＬである。別の実施形態において、血液試料は、約０．３、約０．４、約０．５、約０．６、約０．７、約０．８、約０．９、約１．０、約１．５、約２．０、約２．５、約３．０、約３．５、約４．０、約４．５、約５．０、約６．０、約７．０、約８．０、約９．０または約１０．０ｍＬである。
【０１９６】
いくつかの実施形態において、本方法で使用される試料は、生検試料（例えば、腫瘍生検試料）を含む。生検試料は、任意の器官または組織、例えば、皮膚、肝臓、肺、心臓、結腸、腎臓、骨髄、歯、リンパ節、毛髪、脾臓、脳、乳房または他の器官に由来し得る。対象から試料を単離するには、当業者に知られている任意の生検技術、例えば、開創生検、非切開生検、コア生検、切開生検、切除生検または微細針吸引生検を使用することができる。
【０１９７】
一実施形態において、本明細書で提供される方法にて使用される試料は、対象が疾患または障害のための治療を受ける前に、対象から得られる。別の実施形態において、試料は、対象が疾患または障害のための治療を受けている最中に、対象から得られる。別の実施形態において、試料は、対象が疾患または障害のための治療を受けた後に、対象から得られる。種々の実施形態において、治療は、化合物（例えば、以下のセクション５．６に記載される化合物）を対象に投与することを含む。
【０１９８】
５．５  細胞の種類
ある特定の実施形態において、本明細書で提供される方法で使用される試料は、複数の細胞、例えば、がん（例えば、ＡＴＬ）細胞などを含む。このような細胞には、任意の種類の細胞、例えば、幹細胞、血液細胞（例えば、末梢血単核細胞）、リンパ球、Ｂ細胞、Ｔ細胞、単球、顆粒球、免疫細胞またはがん細胞が含まれ得る。
【０１９９】
表１に示されるように、ある特定の実施形態において、本明細書で提供される方法における細胞は、細胞株から得ることができる。いくつかの実施形態において、本明細書で提供される方法における細胞は、ＡＴＬ患者由来細胞株である。他の実施形態において、本明細書で提供される方法における細胞は、ＨＴＬＶ−１形質転換細胞株である。更に他の実施形態において、本明細書で提供される方法における細胞は、ＨＴＬＶ−１陰性Ｔ細胞または悪性細胞株である。更に他の実施形態において、本明細書で提供される方法における細胞は、非ＡＴＬがん由来細胞株（例えば、多発性骨髄腫細胞株）である。ある特定の実施形態において、ＡＴＬ患者由来細胞株は、Ｈｕｔ１０２、ＥＤ４０５１５、Ｓｕ９Ｔ１、ＯＡＴＬ４、ＯＡＴＬ９、Ｓ１Ｔ、ＳＴ１、ＫＯＢ、ＫＫ１及びＳＯ４細胞株からなる群から選択される。他の実施形態において、ＨＴＬＶ−１形質転換細胞株は、ＭＴ−２、ＭＴ−４及びＣ８１６６細胞株からなる群から選択される。更に他の実施形態において、ＨＴＬＶ−１陰性Ｔ細胞または悪性細胞株は、ＨｕＴ７８、ＭＯＬＴ４、Ｊｕｒｋａｔ、Ｋ５６２及びＨＬ６０細胞株からなる群から選択される。更に他の実施形態において、非ＡＴＬがん由来細胞株（例えば、多発性骨髄腫細胞株）は、レナリドミド応答性細胞株（例えば、ＮＣＩ−Ｈ９２９）及びレナリドミド非応答性細胞株（例えば、ＲＰＭＬ−８２２６）からなる群から選択される。
【０２００】
具体的な一実施形態において、細胞株は、Ｈｕｔ１０２細胞株である。別の実施形態において、細胞株は、ＥＤ４０５１５細胞株である。更に別の実施形態において、細胞株は、Ｓｕ９Ｔ１細胞株である。更に別の実施形態において、細胞株は、ＯＡＴＬ４細胞株である。ある特定の実施形態において、細胞株は、ＯＡＴＬ９細胞株である。いくつかの実施形態において、細胞株は、Ｓ１Ｔ細胞株である。他の実施形態において、細胞株は、ＳＴ１細胞株である。更に他の実施形態において、細胞株は、ＫＯＢ細胞株である。更に他の実施形態において、細胞株は、ＫＫ１細胞株である。ある特定の実施形態において、細胞株は、ＳＯ４細胞株である。具体的な一実施形態において、細胞株は、ＭＴ−２細胞株である。別の実施形態において、細胞株は、ＭＴ−４細胞株である。更に別の実施形態において、細胞株は、Ｃ８１６６細胞株である。更に別の実施形態において、細胞株は、ＨｕＴ７８細胞株である。ある特定の実施形態において、細胞株は、ＭＯＬＴ４細胞株である。いくつかの実施形態において、細胞株は、Ｊｕｒｋａｔ細胞株である。他の実施形態において、細胞株は、Ｋ５６２細胞株である。更に他の実施形態において、細胞株は、ＨＬ６０細胞株である。更に他の実施形態において、細胞株は、ＮＣＩ−Ｈ９２９細胞株である。ある特定の実施形態において、細胞株は、ＲＰＭＩ−８２２６細胞株である。
【０２０１】
ある特定の実施形態において、本明細書で提供される方法で使用される試料は、例えば、がん（例えば、ＡＴＬ）を有する個体の罹患組織に由来する。ある特定の実施形態において、本明細書で提供される方法は、健常な個体に由来する細胞の遺伝子再構成を検出するのに有用である。ある特定の実施形態において、本明細書で提供される方法で使用される細胞の数は、１細胞〜約１０９細胞の範囲であり得る。いくつかの実施形態において、本明細書で提供される方法で使用される細胞の数は、約１×１０４、約５×１０４、約１×１０５、約５×１０５、約１×１０６、約５×１０６、約１×１０７、約５×１０７、約１×１０８、約５×１０８または約１×１０９である。
【０２０２】
対象から採取した細胞の数及び種類については、例えば、フローサイトメトリー、セルソーティング、免疫細胞化学（例えば、組織特異的抗体または細胞マーカー特異的抗体による染色）、蛍光活性化細胞分取法（ＦＡＣＳ）、磁気活性化細胞分離法（ＭＡＣＳ）などの標準的な細胞検出技術を使用して細胞表面マーカーの変化を測定することによって、光学顕微鏡もしくは共焦点顕微鏡を使用して細胞の形態を調べることによって、かつ／またはＰＣＲ及び遺伝子発現プロファイリングなどの当該技術分野においてよく知られている技術を使用して遺伝子発現の変化を測定することによって、モニタリングすることができる。これらの技術は、１つ以上の特定のマーカーについて陽性である細胞を特定することにも使用することができる。
【０２０３】
ある特定の実施形態において、細胞のサブセットが本明細書で提供される方法で使用される。細胞の特定集団を分取及び分離する方法は、当該技術分野においてよく知られており、細胞の大きさ、形態または細胞内もしくは細胞外マーカーを基準にすることができる。このような方法には、フローサイトメトリー、フローソーティング、ＦＡＣＳ、磁気細胞分取などのビーズによる分離、サイズによる分離（例えば、ふるい、障害物のアレイまたはフィルター）、マイクロ流体装置での分取、抗体による分離、沈降、親和性吸着、親和性抽出、密度勾配遠心分離、レーザーキャプチャーマイクロダイセクションなどが挙げられるが、これらに限定されない。蛍光活性化細胞分取法（ＦＡＣＳ）は、粒子の蛍光特性に基づいて、粒子（細胞を含む）を分離するための既知の方法である（Ｋａｍａｒｃｈ，Ｍｅｔｈｏｄｓ  Ｅｎｚｙｍｏｌ．１９８７，１５１：１５０−１６５）。個々の粒子における蛍光部分のレーザー励起によって小さな電荷が生じ、混合物からの陽性粒子及び陰性粒子の電磁的分離が可能となる。一実施形態において、細胞表面マーカー特異的抗体またはリガンドは、異なる蛍光標識で標識される。細胞はセルソーターを通して処理され、使用抗体に結合する能力に基づいた細胞分離が可能となる。ＦＡＣＳ分取された粒子は、分離及びクローニングを簡便にするために、９６ウェルプレートまたは３８４ウェルプレートの個々のウェルに直接入れてもよい。
【０２０４】
一実施形態において、ＲＮＡ（例えば、ｍＲＮＡ）またはタンパク質が腫瘍から精製され、バイオマーカーの有無が遺伝子またはタンパク質発現解析によって測定される。ある特定の実施形態において、バイオマーカーの有無は、定量的リアルタイムＰＣＲ（ｑＲＴ−ＰＣＲ）、マイクロアレイ、フローサイトメトリーまたは免疫蛍光法によって測定される。他の実施形態において、バイオマーカーの有無は、ＥＬＩＳＡまたは当該技術分野において知られている他の類似の方法によって測定される。
【０２０５】
５．６  化合物  
いくつかの実施形態において、治療化合物（または化合物）は、免疫調節化合物である。
【０２０６】
本明細書で使用されるとき、また特に指定のない限り、「免疫調節化合物」という用語は、ＬＰＳ誘導による単球のＴＮＦ−α、ＩＬ−１β、ＩＬ−１２、ＩＬ−６、ＭＩＰ−１α、ＭＣＰ−１、ＧＭ−ＣＳＦ、Ｇ−ＣＳＦ及びＣＯＸ−２産生を阻害するある特定の有機小分子を包含する。特定の免疫調節化合物が本明細書中に記載される。
【０２０７】
ＴＮＦ−αは、急性炎症時にマクロファージ及び単球によって産生される炎症性サイトカインである。ＴＮＦ−αは、細胞内の多様なシグナル伝達イベントに関与する。特定の理論に限定されるものではないが、本明細書中に記載される免疫調節化合物によって発揮される生物学的作用のうちの１つは、骨髄細胞によるＴＮＦ−α産生の減少である。ある特定の実施形態において、本明細書中に記載される免疫調節化合物は、ＴＮＦ−α  ｍＲＮＡの分解を促進する。
【０２０８】
本明細書中に記載される免疫調節化合物の例には、置換スチレンのシアノ及びカルボキシ誘導体、例えば、米国特許第５，９２９，１１７号に開示されているもの、１−オキソ−２−（２，６−ジオキソ−３−フルオロピペリジン−３−イル）−イソインドリン及び１，３−ジオキソ−２−（２，６−ジオキソ−３−フルオロピペリジン−３−イル）−イソインドリン、例えば、米国特許第５，８７４，４４８号及び同第５，９５５，４７６号に記載されているもの、テトラ置換２−（２，６−ジオキソピペリジン−３−イル）−１−オキソイソインドリン、例えば、米国特許第５，７９８，３６８号に記載されているもの、１−オキソ−及び１，３−ジオキソ−２−（２，６−ジオキソピペリジン−３−イル）−イソインドリン（例えば、サリドマイドの４−メチル誘導体）、置換２−（２，６−ジオキソピペリジン−３−イル）フタルイミド及び置換２−（２，６−ジオキソピペリジン−３−イル）−１−オキソイソインドール、限定するものではないが、米国特許第５，６３５，５１７号、同第６，２８１，２３０号、同第６，３１６，４７１号、同第６，４０３，６１３号、同第６，４７６，０５２号及び同第６，５５５，５５４号に開示されているもの、米国特許第６，３８０，２３９号に記載のインドリン環の４位または５位が置換された１−オキソ−及び１，３−ジオキソイソインドリン（例えば、４−（４−アミノ−１，３−ジオキソイソインドリン−２−イル）−４−カルバモイルブタン酸）、米国特許第６，４５８，８１０号に記載の２位が２，６−ジオキソ−３−ヒドロキシピペリジン−５−イルで置換されたイソインドリン−１−オン及びイソインドリン−１，３−ジオン（例えば、２−（２，６−ジオキソ−３−ヒドロキシ−５−フルオロピペリジン−５−イル）−４−アミノイソインドリン−１−オン）、米国特許第５，６９８，５７９号及び第５，８７７，２００号に開示の非ポリペプチド環式アミドのクラス、ならびにイソインドール−イミド化合物、例えば、米国特許出願公開第２００３／００４５５５２号及び同第２００３／００９６８４１号、及び国際特許出願公開第ＷＯ０２／０５９１０６号に記載されているものが挙げられるが、これらに限定されない。本明細書中で特定される特許及び特許出願公開のそれぞれの開示は、その全体が参照により本明細書に援用される。
【０２０９】
種々の本明細書中に記載される免疫調節化合物は、１つ以上のキラル中心を含有し、エナンチオマーの混合物（例えば、ラセミ混合物）またはジアステレオマーの混合物として存在し得る。本明細書で提供される方法は、かかる化合物の立体異性体的に純粋な形態及びこれらの形態の混合物の使用を包含する。例えば、特定の免疫調節化合物のエナンチオマーを等量または不等量で含む混合物を本明細書で提供される方法で使用してもよい。これらの異性体は、不斉合成することもできるし、キラルカラムまたはキラル分割剤などの標準的な技術を使用して分割することもできる。Ｊａｃｑｕｅｓ  ｅｔ  ａｌ．，Ｅｎａｎｔｉｏｍｅｒｓ，Ｒａｃｅｍａｔｅｓ  ａｎｄ  Ｒｅｓｏｌｕｔｉｏｎｓ（Ｗｉｌｅｙ−Ｉｎｔｅｒｓｃｉｅｎｃｅ，Ｎｅｗ  Ｙｏｒｋ，１９８１）、Ｗｉｌｅｎ  ｅｔ  ａｌ．，Ｔｅｔｒａｈｅｄｒｏｎ  １９７７，３３：２７２５−２７３６、Ｅｌｉｅｌ，Ｓｔｅｒｅｏｃｈｅｍｉｓｔｒｙ  ｏｆ  Ｃａｒｂｏｎ  Ｃｏｍｐｏｕｎｄｓ（ＭｃＧｒａｗ−Ｈｉｌｌ，ＮＹ，１９６２）、Ｗｉｌｅｎ，Ｔａｂｌｅｓ  ｏｆ  Ｒｅｓｏｌｖｉｎｇ  Ａｇｅｎｔｓ  ａｎｄ  Ｏｐｔｉｃａｌ  Ｒｅｓｏｌｕｔｉｏｎｓ，ｐ．２６８（Ｅｌｉｅｌ，ｅｄ．，Ｕｎｉｖ．ｏｆ  Ｎｏｔｒｅ  Ｄａｍｅ  Ｐｒｅｓｓ，Ｎｏｔｒｅ  Ｄａｍｅ，ＩＮ，１９７２）を参照されたい。
【０２１０】
ある特定の実施形態において、免疫調節化合物は、ベンゾ環においてアミノで置換された１−オキソ−または１，３−ジオキソ−２−（２，６−ジオキソピペリジン−３−イル）−イソインドリンであり、米国特許第５，６３５，５１７号に記載されているものを含む（その開示全体を参照により本明細書に援用する）。
【０２１１】
ある特定の実施形態において、免疫調節化合物は、式Ｉ：
【化１】
0006585737.tif 000002
の構造を有し、式中、Ｘ及びＹの一方はＣ＝Ｏであり、Ｘ及びＹの他方はＣ＝ＯまたはＣＨ２であり、Ｒ２は水素または低級アルキルであり、一実施形態において、メチルである。
【０２１２】
ある特定の実施形態において、免疫調節化合物は、
【化２】
0006585737.tif 000003
１−オキソ−２−（２，６−ジオキソピペリジン−３−イル）−４−アミノイソインドリン（レナリドミド）、
【化３】
0006585737.tif 000004
１，３−ジオキソ−２−（２，６−ジオキソピペリジン−３−イル）−４−アミノイソインドリン（ポマリドミド）、もしくは  
【化４】
0006585737.tif 000005
１，３−ジオキソ−２−（３−メチル−２，６−ジオキソピペリジン−３−イル）−４−アミノイソインドールまたはその光学的に純粋な異性体である。免疫調節化合物は、標準的な合成法によって得ることができる。米国特許第５，６３５，５１７号を参照されたい（その開示全体を参照により本明細書に援用する）。免疫調節化合物は、Ｃｅｌｇｅｎｅ  Ｃｏｒｐｏｒａｔｉｏｎ（Ｗａｒｒｅｎ，ＮＪ）からも入手可能である。
【０２１３】
ある特定の実施形態において、免疫調節化合物は、レナリドミドである。ある特定の実施形態において、免疫調節化合物は、ポマリドミドである。
【０２１４】
ある特定の実施形態において、免疫調節化合物は、置換２−（２，６−ジオキソピペリジン−３−イル）−フタルイミドまたは置換２−（２，６−ジオキソピペリジン−３−イル）−１−オキソイソインドールであり、米国特許第６，２８１，２３０号、同第６，３１６，４７１号、同第６，３３５，３４９号、同第６，４７６，０５２号、及び国際出願公開第ＷＯ９８／０３５０２号に記載されているものを含む（各開示の全体を参照により本明細書に援用する）。
【０２１５】
ある特定の実施形態において、免疫調節化合物は、式：
【化５】
0006585737.tif 000006
のものであり、
式中、
Ｘ及びＹの一方はＣ＝Ｏであり、Ｘ及びＹの他方はＣ＝ＯまたはＣＨ２であり、
（ｉ）Ｒ１、Ｒ２、Ｒ３及びＲ４のそれぞれは、互いに独立して、ハロ、Ｃ１〜４アルキルまたはＣ１〜４アルコキシであるか、あるいは（ｉｉ）Ｒ１、Ｒ２、Ｒ３及びＲ４のうちの１つは−ＮＨＲ５であり、Ｒ１、Ｒ２、Ｒ３及びＲ４のうちの残りは水素であり、
Ｒ５は、水素またはＣ１〜８アルキルであり、
Ｒ６は、水素、Ｃ１〜８アルキル、ベンジルまたはハロであり、
ただし、Ｘ及びＹがＣ＝Ｏである場合、また（ｉ）Ｒ１、Ｒ２、Ｒ３及びＲ４のそれぞれがフルオロであるか、あるいは（ｉｉ）Ｒ１、Ｒ２、Ｒ３またはＲ４のうちの１つがアミノである場合、Ｒ６は水素以外である。
【０２１６】
ある特定の実施形態において、免疫調節化合物は、式
【化６】
0006585737.tif 000007
のものであり、式中、Ｒ１は、水素またはメチルである。
【０２１７】
ある特定の実施形態において、本明細書で提供される方法にて使用される免疫調節化合物は、エナンチオマー的に純粋である（例えば、光学的に純粋な（Ｒ）−または（Ｓ）−エナンチオマーである）。
【０２１８】
別の実施形態において、治療化合物は、サリドマイド、すなわち、２−（２，６−ジオキソピペリジン−３−イル）−１Ｈ−イソインドール−１，３（２Ｈ）−ジオンである。
【０２１９】
他の実施形態において、治療化合物は、５−置換キナゾリノンであり、米国特許第７，６３５，７００号に記載されているものを含む（その開示全体を参照により本明細書に援用する）。
【０２２０】
ある特定の実施形態において、治療化合物は、式ＩＶ：
【化７】
0006585737.tif 000008
の構造を有する化合物またはその薬学的に許容される塩、溶媒和物もしくは立体異性体であり、式中、
Ｒ１は、
水素、
ハロ、
−（ＣＨ２）ｎＯＨ、
１つ以上のハロで任意に置換されたＣ１〜６アルキル、
１つ以上のハロで任意に置換されたＣ１〜６アルコキシ、または
−（ＣＨ２）ｎＮＨＲａであり、式中、Ｒａは、
水素、
１つ以上のハロで任意に置換されたＣ１〜６アルキル、
−（ＣＨ２）ｎ−（６〜１０員アリール）、
−Ｃ（Ｏ）−（ＣＨ２）ｎ−（６〜１０員アリール）または−Ｃ（Ｏ）−（ＣＨ２）ｎ−（５〜１０員ヘテロアリール）（ここで、アリールまたはヘテロアリールは、ハロ、−ＳＣＦ３、１つ以上のハロでそれ自体任意に置換されたＣ１〜６アルキル、または１つ以上のハロでそれ自体任意に置換されたＣ１〜６アルコキシのうちの１つ以上で任意に置換される）、
−Ｃ（Ｏ）−Ｃ１〜８アルキル（ここで、アルキルは、１つ以上のハロで任意に置換される）、
−Ｃ（Ｏ）−（ＣＨ２）ｎ−（Ｃ３〜Ｃ１０−シクロアルキル）、
−Ｃ（Ｏ）−（ＣＨ２）ｎ−ＮＲｂＲｃ（式中、Ｒｂ及びＲｃは、それぞれ独立して、
水素、
１つ以上のハロで任意に置換されたＣ１〜６アルキル、
１つ以上のハロで任意に置換されたＣ１〜６アルコキシ、または  
ハロ、１つ以上のハロでそれ自体任意に置換されたＣ１〜６アルキルもしくは１つ以上のハロでそれ自体任意に置換されたＣ１〜６アルコキシのうちの１つ以上で任意に置換された６〜１０員アリールである）、
−Ｃ（Ｏ）−（ＣＨ２）ｎ−Ｏ−Ｃ１〜６アルキル、または
−Ｃ（Ｏ）−（ＣＨ２）ｎ−Ｏ−（ＣＨ２）ｎ−（６〜１０員アリール）であり、
Ｒ２は、水素、−（ＣＨ２）ｎＯＨ、フェニル、−Ｏ−Ｃ１〜６アルキル、または１つ以上のハロで任意に置換されたＣ１〜６アルキルであり、
Ｒ３は、水素、または１つ以上のハロで任意に置換されたＣ１〜６アルキルであり、
ｎは、０、１または２である。
【０２２１】
ある特定の実施形態において、治療化合物は、式Ｖ：
【化８】
0006585737.tif 000009
の構造を有する化合物またはその薬学的に許容される塩、溶媒和物もしくは立体異性体であり、式中、
Ｒ４は、水素、ハロ、−（ＣＨ２）ｎＯＨ、１つ以上のハロで任意に置換されたＣ１〜６アルキル、または１つ以上のハロで任意に置換されたＣ１〜６アルコキシであり、
Ｒ５は、水素、−（ＣＨ２）ｎＯＨ、フェニル、−Ｏ−Ｃ１〜６アルキル、または１つ以上のハロで任意に置換されたＣ１〜６アルキルであり、
Ｒ６は、水素、または１つ以上のハロで任意に置換されたＣ１〜６アルキルであり、
ｎは、０、１または２である。
【０２２２】
ある特定の実施形態において、治療化合物は、
【化９】
0006585737.tif 000010
である。
【０２２３】
ある特定の実施形態において、治療化合物は、式ＶＩ：
【化１０】
0006585737.tif 000011
の化合物またはその薬学的に許容される塩、溶媒和物もしくは立体異性体であり、式中、
Ｒｄは、水素、
１つ以上のハロで任意に置換されたＣ１〜６アルキル、
−Ｃ（Ｏ）−Ｃ１〜８アルキル（ここで、アルキルは、１つ以上のハロで任意に置換される）、
−Ｃ（Ｏ）−（ＣＨ２）ｎ−Ｃ３〜１０シクロアルキル、
−Ｃ（Ｏ）−（ＣＨ２）ｎ−ＮＲｅＲｆ（式中、Ｒｅ及びＲｆは、それぞれ独立して、
水素、
１つ以上のハロで任意に置換されたＣ１〜６アルキル、または
１つ以上のハロで任意に置換されたＣ１〜６アルコキシ、または
−Ｃ（Ｏ）−（ＣＨ２）ｎ−Ｏ−Ｃ１〜６アルキルである。
Ｒ７は、水素、−（ＣＨ２）ｎＯＨ、フェニル、−Ｏ−Ｃ１〜６アルキル、または１つ以上のハロで任意に置換されたＣ１〜６アルキルであり、
Ｒ８は、水素、または１つ以上のハロで任意に置換されたＣ１〜６アルキルであり、
ｎは、０、１または２である。
【０２２４】
ある特定の実施形態において、治療化合物は、
【化１１】
0006585737.tif 000012
である。
【０２２５】
ある特定の実施形態において、治療化合物は、３−（５−アミノ−２−メチル−４−オキソ−４Ｈ−キナゾリン−３−イル）−ピペリジン−２，６−ジオン、またはその立体異性体、またはその薬学的に許容される塩、溶媒和物、水和物、共結晶、包接化合物もしくは多形体である。
【０２２６】
ある特定の実施形態において、治療化合物は、式ＶＩＩ：
【化１２】
0006585737.tif 000013
の化合物またはその薬学的に許容される塩、溶媒和物もしくは立体異性体であり、式中、
Ｒｇは、−（ＣＨ２）ｎ−（６〜１０員アリール）、
−Ｃ（Ｏ）−（ＣＨ２）ｎ−（６〜１０員アリール）または−Ｃ（Ｏ）−（ＣＨ２）ｎ−（５〜１０員ヘテロアリール）（ここで、アリールまたはヘテロアリールは、ハロ、−ＳＣＦ３、１つ以上のハロでそれ自体任意に置換された（Ｃ１〜Ｃ６）アルキル、または１つ以上のハロでそれ自体任意に置換されたＣ１〜６アルコキシのうちの１つ以上で任意に置換される）、
−Ｃ（Ｏ）−（ＣＨ２）ｎ−ＮＨＲｈ（式中、Ｒｈは、ハロ、１つ以上のハロでそれ自体任意に置換されたＣ１〜６アルキルもしくは１つ以上のハロでそれ自体任意に置換されたＣ１〜６アルコキシのうちの１つ以上で任意に置換された６〜１０員アリールである）、または
−Ｃ（Ｏ）−（ＣＨ２）ｎ−Ｏ−（ＣＨ２）ｎ−（６〜１０員アリール）であり、
Ｒ９は、水素、−（ＣＨ２）ｎＯＨ、フェニル、−Ｏ−Ｃ１〜６アルキル、または１つ以上のハロで任意に置換されたＣ１〜６アルキルであり、
Ｒ１０は、水素、または１つ以上のハロで任意に置換されたＣ１〜６アルキルであり、
ｎは、０、１または２である。
【０２２７】
ある特定の実施形態において、治療化合物は、
【化１３】
0006585737.tif 000014
である。
【０２２８】
本明細書に記載される化合物の全ては、商業的に購入することができ、または本明細書中に開示される特許もしくは特許公報に記載の方法に従って調製することができる。更に、光学的に純粋な化合物は、不斉合成することができ、または既知の分割剤もしくはキラルカラム及び他の標準的な有機合成化学技術を使用して分割することができる。
【０２２９】
本明細書中に記載される化合物は、約１，０００ｇ／ｍｏｌ未満の分子量を有する有機小分子であり得、タンパク質、ペプチド、オリゴヌクレオチド、オリゴ糖または他の高分子ではない。
【０２３０】
図示された構造とその構造に与えられた名称との間に矛盾がある場合、図示された構造のほうにより重きが置かれることに留意されたい。更に、構造または構造の一部の立体化学が、例えば、太線または破線で示されていない場合、当該構造または構造の一部は、その全ての立体異性体を包含するものと解釈されるものとする。
【０２３１】
５．７  医薬組成物
ある特定の実施形態において、本明細書で提供されるのは、本明細書中に記載される化合物、例えば、レナリドミドを含む医薬組成物である。本明細書で提供される医薬組成物は、治療上有効な量の本明細書中に記載される化合物のうちの１つ以上と、薬学的に許容される担体、希釈剤または賦形剤とを含有する。いくつかの実施形態において、化合物は、組成物中の唯一の薬学的活性成分として製剤化されてもよいし、他の活性成分と合わせてもよい。
【０２３２】
化合物は、経口、注射、舌下及び頬側、経直腸、経膣、経眼、経耳、経鼻、吸入、噴霧、皮膚適用または経皮などの異なる投与経路に好適な医薬組成物に製剤化することができる。典型的には、上記の化合物は、当該技術分野においてよく知られている技術及び手順を使用して、医薬組成物に製剤化される（例えば、Ａｎｓｅｌ，Ｉｎｔｒｏｄｕｃｔｉｏｎ  ｔｏ  Ｐｈａｒｍａｃｅｕｔｉｃａｌ  Ｄｏｓａｇｅ  Ｆｏｒｍｓ（７ｔｈ  ｅｄ．１９９９）参照）。
【０２３３】
化合物は、経口、注射、舌下及び頬側、経直腸、経膣、経眼、経耳、経鼻、吸入、噴霧、皮膚適用または経皮などの異なる投与経路に好適な医薬組成物に製剤化することができる。典型的には、上記の化合物は、当該技術分野においてよく知られている技術及び手順を使用して、医薬組成物に製剤化される（例えば、Ａｎｓｅｌ，Ｉｎｔｒｏｄｕｃｔｉｏｎ  ｔｏ  Ｐｈａｒｍａｃｅｕｔｉｃａｌ  Ｄｏｓａｇｅ  Ｆｏｒｍｓ（７ｔｈ  ｅｄ．１９９９）参照）。
【０２３４】
組成物において、有効濃度の１つ以上の化合物または薬学的に許容される塩が好適な薬学的担体またはビヒクルとともに混合される。ある特定の実施形態において、組成物中の化合物の濃度は、投与すると、固形がん及び血液性がんを含む、がんの症状及び／または進行のうちの１つ以上を治療し、予防し、または改善する量を送達するのに有効なものである。
【０２３５】
活性化合物は、治療患者に対して、望ましくない副作用がなく、治療上有用な作用を示すのに十分な量である。治療的上有効な濃度は、本明細書に記載されるｉｎ  ｖｉｔｒｏ系及びｉｎ  ｖｉｖｏ系で化合物を試験することによって実験的に決定し、次いで、そこからヒトに対する用量を推定することができる。医薬組成物中の活性化合物の濃度は、活性化合物の吸収、組織分布、失活及び排泄速度、化合物の物理化学的特性、投薬スケジュール及び投与量、ならびに当業者に知られている他の要因によって決まるであろう。
【０２３６】
薬学的に治療上活性のある化合物及びその塩は、単位用量形態または複数用量形態に製剤化され、投与される。本明細書で使用される単位用量形態とは、ヒト及び動物対象に適し、当該技術分野において知られているように個別に包装された、物理的に別個の単位を指す。それぞれの単位用量は、必要とされる薬学的担体、ビヒクルまたは希釈剤とともに、所望の治療効果をもたらすのに十分な所定の量の治療的活性化合物を含有する。単位用量形態の例には、アンプルとシリンジ及び個別包装された錠剤またはカプセル剤が挙げられる。単位用量形態は、その分数または倍数で投与することができる。多用量形態は、分離した単位用量形態で投与される、１つの容器中に包装された複数の同一単位剤形である。多用量形態の例には、バイアル、錠剤もしくはカプセル剤の瓶、またはパイントもしくはガロンの瓶が挙げられる。したがって、多用量形態は、包装で分離されていない複数の単位用量である。
【０２３７】
正確な用量及び治療期間は、治療対象の疾患に応じて変化し、既知の試験プロトコルを用いて実験的に、またはｉｎ  ｖｉｖｏもしくはｉｎ  ｖｉｔｒｏでの試験データからの推定によって決定され得ることを理解されたい。濃度及び用量の値もまた、緩和すべき病態の重症度によって変わり得ることに留意されたい。いかなる特定の対象に関しても、具体的な投薬レジメンは、個々の必要性及び組成物の投与を管理または指示する人の専門的判断に従って経時的に調整されるべきであり、また、本明細書に記載される濃度範囲は、単なる例示であり、特許請求する組成物の範囲または実施を制限することを意図しないことも更に理解されたい。
【０２３８】
経口投与の場合、薬学的に許容される無毒性組成物は、一般的に利用される賦形剤、例えば、製薬等級のマンニトール、ラクトース、デンプン、ステアリン酸マグネシウム、タルカム、セルロース誘導体、クロスカルメロースナトリウム、グルコース、スクロース、炭酸マグネシウムまたはサッカリンナトリウムなどのいずれかを組み込むことによって形成される。このような組成物には、液剤、懸濁剤、錠剤、カプセル剤、散剤及び徐放性製剤（例えば、限定するものではないが、インプラント及びマイクロカプセル化送達系）、及び生分解性生体適合性ポリマー（コラーゲン、エチレン酢酸ビニル、ポリ無水物、ポリグリコール酸、ポリオルトエステル、ポリ乳酸など）が含まれる。これらの組成物の調製方法は、当業者に知られている。
【０２３９】
非経口、皮内、皮下または局所適用に使用される液剤または懸濁剤には、次の成分：滅菌希釈液（水、食塩水、不揮発性油、ポリエチレングリコール、グリセリン、プロピレングリコール、ジメチルアセトアミドまたは他の合成溶媒など）、抗菌剤（ベンジルアルコール及びメチルパラベンなど）、抗酸化剤（アスコルビン酸及び硫酸水素ナトリウムなど）、キレート剤（エチレンジアミン四酢酸（ＥＤＴＡ）など）、緩衝剤（酢酸塩、クエン酸塩及びリン酸塩など）、及び張度調節のための剤（塩化ナトリウムまたはデキストロースなど）のいずれかを含めることができる。非経口製剤は、ガラス、プラスチックまたは他の好適な材料で作られたアンプル、ペン、使い捨てシリンジまたは単回もしくは多用量バイアル中に封入することができる。
【０２４０】
化合物が十分な溶解性を示さない場合、化合物を可溶化するための方法を用いてもよい。このような方法は、当業者に知られており、ジメチルスルホキシド（ＤＭＳＯ）などの共溶媒の使用、ＴＷＥＥＮ（登録商標）などの界面活性剤の使用、または化合物の水酸化ナトリウム水溶液、炭酸水素ナトリウム水溶液もしくは塩酸中への溶解が挙げられるが、これらに限定されない。
【０２４１】
徐放性製剤もまた調製することができる。徐放性製剤の好適な例には、本明細書中に記載される化合物を含有する固体疎水性ポリマーの半透過性マトリックスが挙げられ、このマトリックスは、成形物品の形態、例えば、フィルムまたはマイクロカプセルである。徐放性マトリックスの例には、イオン導入パッチ、ポリエステル、ヒドロゲル（例えば、ポリ（２−ヒドロキシエチル−メタクリレート）またはポリ（ビニルアルコール））、ポリラクチド、Ｌ−グルタミン酸とＬ−グルタミン酸エチルのコポリマー、非分解性エチレン−酢酸ビニル、ＬＵＰＲＯＮ  ＤＥＰＯＴ（商標）（乳酸−グリコール酸コポリマー及びリュープロレリン酢酸塩からなる注入可能なマイクロスフェア）などの分解性乳酸−グリコール酸コポリマー及びポリ−Ｄ−（−）−３−ヒドロキシ酪酸が挙げられる。エチレン−酢酸ビニル及び乳酸−グリコール酸などのポリマーは、１００日を超えて分子を放出することができるのに対し、ある特定のヒドロゲルは、より短い期間でタンパク質を放出する。封入された化合物は、体内に長期間留まると、３７℃の水分に曝される結果として変性または凝集することがあり、これにより、生物活性を失い、その構造が変化する場合がある。関係する作用機序に応じて、安定化のための合理的な手法を考案することができる。例えば、凝集の機序がチオ−ジスルフィド交換による分子間のＳ−Ｓ結合形成であることが明らかであれば、スルフヒドリル残基を修飾し、酸性溶液から凍結乾燥し、含水量を調整し、適切な添加剤を使用し、特定のポリマーマトリックス組成物を作ることによって安定化することができる。
【０２４２】
本明細書中に記載されるラクトース不含組成物は、当該技術分野においてよく知られている、例えば、Ｔｈｅ  Ｕ．Ｓ．Ｐｈａｒｍａｃｏｐｉａ（ＵＳＰ）に列挙されている賦形剤を含有し得る。一般に、ラクトース不含組成物は、活性成分、結合剤／充填剤及び滑沢剤を、薬学的に適合性があり、かつ薬学的に許容される量で含有する。例示的なラクトース不含剤形は、活性成分、微結晶セルロース、アルファ化デンプン及びステアリン酸マグネシウムを含有する。
【０２４３】
更に、本明細書中に記載される化合物を含有する無水の医薬組成物及び剤形も包含される。本明細書中に記載される無水の医薬組成物及び剤形は、当業者に知られているように、無水または低水分含有成分及び低水分または低湿度条件を用いて調製することができる。無水医薬組成物は、その無水の性質が維持されるように調製され、保存する必要がある。したがって、無水組成物は、水への曝露を防ぐことが知られている材料を使用して包装され、これを好適な処方キット中に含めることができる。好適な包装の例には、密封したホイル、プラスチック、単位用量容器（例えば、バイアル）、ブリスターパック及びストリップパックが挙げられるが、これらに限定されない。
【０２４４】
活性成分を０．００１％〜１００％の範囲で含有し、残部が無毒性担体から構成される剤形または組成物を調製することができる。いくつかの実施形態において、企図される組成物は、約０．００５％〜約９５％の活性成分を含有する。他の実施形態において、企図される組成物は、約０．０１％〜約９０％の活性成分を含有する。ある特定の実施形態において、企図される組成物は、約０．１％〜約８５％の活性成分を含有する。他の実施形態において、企図される組成物は、約０．１％から約７５〜９５％の活性成分を含有する。
【０２４５】
組成物は、所望の特性の組み合わせを得るために、他の活性化合物を含んでもよい。本明細書中に記載される化合物または本明細書に記載されるその薬学的に許容される塩はまた、治療または予防目的で、固形がんまたは血液性がんなどの上述した疾患または医学的状態のうちの１つ以上を治療するのに有用である一般的な技術分野で知られている別の薬理学的物質とともに有利に投与することができる。このような併用療法は、本明細書で提供される組成物及び治療方法の更なる態様を構成することを理解されたい。
【０２４６】
５．７．１  経口剤形
経口医薬剤形は、固体、ゲルまたは液体のいずれかである。固形剤形は、錠剤、カプセル剤、顆粒剤及び混合散剤である。経口錠剤の種類には、圧縮された、咀嚼可能なトローチ剤及び錠剤が含まれ、これらは、腸溶性コーティング、糖衣またはフィルムコーティングされていてもよい。カプセル剤は、硬質または軟質のゼラチンカプセル剤であってよく、顆粒剤及び散剤は、当業者に知られている他の成分と組み合わせて、非発泡性または発泡性形態で提供され得る。
【０２４７】
ある特定の実施形態において、製剤は、カプセル剤または錠剤などの固形剤形である。錠剤、丸剤、カプセル剤、トローチ剤などは、結合剤、希釈剤、滑沢剤、流動化剤、崩壊剤、着色剤、甘味剤、矯味剤、湿潤剤及びコーティング剤（例えば、腸溶性コーティング剤またはフィルムコーティング剤）の成分または類似の性質の化合物の任意のいずれか１つまたは組み合わせを含有し得る。
【０２４８】
結合剤の例には、微結晶セルロース、トラガカントゴム、グルコース溶液、アカシアゴム漿、ゼラチン溶液、スクロース及びデンプン糊が挙げられる。希釈剤には、例えば、ラクトース、スクロース、デンプン、カオリン、塩、マンニトール及びリン酸二カルシウムが挙げられる。滑沢剤には、例えば、タルク、デンプン、ステアリン酸マグネシウムまたはカルシウム、石松子及びステアリン酸が挙げられる。流動化剤には、コロイド状二酸化ケイ素が挙げられるが、これに限定されない。崩壊剤には、例えば、クロスカルメロースナトリウム、デンプングリコール酸ナトリウム、アルギン酸、トウモロコシデンプン、ジャガイモデンプン、ベントナイト、メチルセルロース、寒天及びカルボキシメチルセルロースが挙げられる。着色剤には、例えば、認定許可された水溶性ＦＤ及びＣ色素、その混合物、ならびにアルミナ水和物に懸濁させた非水溶性ＦＤ及びＣ色素のいずれかが含まれる。甘味剤には、例えば、スクロース、ラクトース、マンニトール、サッカリンなどの人工甘味剤及び多くの噴霧乾燥フレーバーが挙げられる。矯味剤には、例えば、果実などの植物から抽出した天然フレーバーならびに好ましい感覚をもたらす化合物、限定するものではないが、ペパーミント及びサリチル酸メチルなどの合成ブレンドが挙げられる。湿潤剤には、例えば、モノステアリン酸プロピレングリコール、モノオレイン酸ソルビタン、モノラウリン酸ジエチレングリコール及びポリオキシエチレンラウリルエーテルが挙げられる。腸溶性コーティング剤には、例えば、脂肪酸、脂肪、ワックス、セラック、アンモニア化セラック及び酢酸フタル酸セルロースが挙げられる。フィルムコーティング剤には、例えば、ヒドロキシエチルセルロース、カルボキシメチルセルロースナトリウム、ポリエチレングリコール４０００及び酢酸フタル酸セルロースが挙げられる。
【０２４９】
経口投与が望ましい場合、化合物は、胃の酸性環境から化合物を保護する組成物中に提供され得る。例えば、組成物は、胃中ではその完全な状態を維持し、腸内で活性化合物を放出する腸溶性コーティング中に製剤化することができる。組成物はまた、制酸剤または他の同様の成分と組み合わせて製剤化してもよい。
【０２５０】
液体経口剤形には、非発泡性顆粒剤から再構成された水性液剤、乳剤、懸濁剤、液剤及び／または懸濁剤、ならびに発泡性顆粒剤から再構成された発泡性製剤が含まれる。水性液剤には、例えば、エリキシル剤及びシロップ剤が挙げられる。乳剤は、水中油型または油中水型のいずれかである。エリキシル剤は、甘味のある澄明な水アルコール性製剤である。エリキシル剤に使用される薬学的に許容される担体には、溶媒が含まれる。シロップ剤は、糖、例えば、スクロースの濃縮水溶液であり、保存剤を含み得る。乳剤は、二相系であり、一方の液体が他方の液体全体に小さな球の形で分散しているものである。乳剤に使用される薬学的に許容される担体は、非水性液体、乳化剤及び保存剤である。懸濁剤は、薬学的に許容される懸濁化剤及び保存剤を使用する。液体経口剤形に再構成される非発泡性顆粒剤中に使用される薬学的に許容される物質には、希釈剤、甘味剤及び湿潤剤が含まれる。液体経口剤形に再構成される発泡性顆粒剤中に使用される薬学的に許容される物質には、有機酸及び二酸化炭素源が含まれる。着色剤及び矯味剤は、上述剤形の全てに使用される。
【０２５１】
溶媒には、グリセリン、ソルビトール、エチルアルコール及びシロップが含まれる。保存剤の例には、グリセリン、メチルパラベン、プロピルパラベン、安息香酸、安息香酸ナトリウム及びアルコールが挙げられる。乳剤に使用される非水性液体の例には、鉱油及び綿実油が挙げられる。乳化剤の例には、ゼラチン、アカシア、トラガカント、ベントナイト及びモノオレイン酸ポリオキシエチレンソルビタンなどの界面活性剤が挙げられる。懸濁化剤には、カルボキシメチルセルロースナトリウム、ペクチン、トラガカント、ビーガム及びアカシアが挙げられる。希釈剤には、ラクトース及びスクロースが含まれる。甘味剤には、スクロース、シロップ、グリセリン及びサッカリンなどの人工甘味剤が含まれる。湿潤剤には、モノステアリン酸プロピレングリコール、モノオレイン酸ソルビタン、モノラウリン酸ジエチレングリコール及びポリオキシエチレンラウリルエーテルが含まれる。有機酸には、クエン酸及び酒石酸が含まれる。二酸化炭素源には、炭酸水素ナトリウム及び炭酸ナトリウムが含まれる。
【０２５２】
固形剤形の場合、例えば、炭酸プロピレン、植物油またはトリグリセリド中の溶液または懸濁液がゼラチンカプセルに封入される。このような溶液ならびにその調製及びカプセル化については、米国特許第４，３２８，２４５号、同第４，４０９，２３９号及び同第４，４１０，５４５号に開示されている。液体剤形の場合、例えば、ポリエチレングリコール中の溶液が、投与のために簡単に計量される十分な量の薬学的に許容される液体担体、例えば、水で希釈され得る。
【０２５３】
あるいは、活性化合物または塩を植物油、グリコール、トリグリセリド、プロピレングリコールエステル（例えば、炭酸プロピレン）及び他の類似の担体中に溶解または分散させ、これらの溶液または懸濁液を硬質または軟質ゼラチンカプセルシェル中に封入することによって、液体または半固形の経口製剤を調製することができる。他の有用な製剤には、本明細書中に記載される化合物と、限定するものではないが、１，２−ジメトキシメタン、ジグリム、トリグリム、テトラグリム、ポリエチレングリコール−３５０−ジメチルエーテル、ポリエチレングリコール−５５０−ジメチルエーテル、ポリエチレングリコール−７５０−ジメチルエーテル（３５０、５５０及び７５０は、ポリエチレングリコールのおおよその平均分子量を示す）を含むジアルキル化モノ−またはポリ−アルキレングリコールと、ブチル化ヒドロキシトルエン（ＢＨＴ）、ブチル化ヒドロキシアニソール（ＢＨＡ）、没食子酸プロピル、ビタミンＥ、ヒドロキノン、ヒドロキシクマリン、エタノールアミン、レシチン、ケファリン、アスコルビン酸、リンゴ酸、ソルビトール、リン酸、チオジプロピオン酸及びそのエステルならびにジチオカルバメートなどの１つ以上の抗酸化剤とを含むものが挙げられるが、これらに限定されない。
【０２５４】
他の製剤には、薬学的に許容されるアセタールを含む水性アルコール溶液が挙げられるが、これらに限定されない。これらの製剤に使用されるアルコールは、１つ以上のヒドロキシル基を有する、任意の薬学的に許容される水混和性溶媒であり、限定するものではないが、プロピレングリコール及びエタノールが挙げられる。アセタールには、アセトアルデヒドジエチルアセタールなどの低級アルキルアルデヒドのジ（低級アルキル）アセタールが挙げられるが、これらに限定されない。
【０２５５】
５．７．２  注射剤、液剤及び乳剤
組成物の非経口投与には、静脈内、皮下及び筋肉内投与が含まれる。非経口投与のための組成物には、すぐに注射可能な滅菌溶液、凍結乾燥粉末などの使用直前に溶媒と合わせればすぐに注射可能となる滅菌乾燥可溶性製品、すぐに注射可能な滅菌懸濁液及び滅菌乳濁液が含まれる。溶液は、水性または非水性のいずれでもよい。単位用量の非経口製剤は、アンプル、バイアルまたは針付きシリンジ中に包装される。非経口投与用の全ての製剤は、当該技術分野において知られ実施されているように、滅菌状態でなければならない。
【０２５６】
非経口製剤に使用される薬学的に許容される担体には、水性ビヒクル、非水性ビヒクル、抗菌剤、等張化剤、緩衝剤、抗酸化剤、局所麻酔剤、懸濁化剤、分散剤、乳化剤、金属イオン封鎖剤またはキレート剤及び他の薬学的に許容される物質が含まれる。
【０２５７】
水性ビヒクルの例には、塩化ナトリウム注射液、リンゲル注射液、等張ブドウ糖注射液、滅菌水注射液、ブドウ糖加乳酸リンゲル注射液が挙げられる。非水性非経口ビヒクルには、綿実油、トウモロコシ油、ゴマ油及びピーナッツ油などの植物由来の不揮発性油が含まれる。多用量容器中に包装される非経口製剤には、静菌または静真菌濃度の抗菌剤を添加しなければならず、これらには、フェノールまたはクレゾール、水銀剤、ベンジルアルコール、クロロブタノール、メチル及びプロピル−ｐ−ヒドロキシ安息香酸エステル、チメロサール、塩化ベンザルコニウムならびに塩化ベンゼトニウムが含まれる。等張化剤には、塩化ナトリウム及びデキストロースが含まれる。緩衝剤には、リン酸塩及びクエン酸塩が含まれる。抗酸化剤には、硫酸水素ナトリウムが含まれる。局所麻酔剤には、プロカイン塩酸塩が含まれる。懸濁化剤及び分散剤には、カルボキシメチルセルロースナトリウム、ヒドロキシプロピルメチルセルロース及びポリビニルピロリドンが含まれる。乳化剤には、ポリソルベート８０（ＴＷＥＥＮ（登録商標）８０）が含まれる。金属イオン封鎖剤または金属イオンキレート剤には、ＥＤＴＡが含まれる。薬学的担体にはまた、水混和性ビヒクルのためのエチルアルコール、ポリエチレングリコール及びプロピレングリコールならびにｐＨ調整のための水酸化ナトリウム、塩酸、クエン酸または乳酸も含まれる。
【０２５８】
注射剤は、局所投与用及び全身投与用に設計される。典型的には、治療上有効な用量は、治療される組織（複数可）に対して、少なくとも約０．１％ｗ／ｗ〜約９０％ｗ／ｗまでまたはそれ以上、例えば１％ｗ／ｗを超える濃度の活性化合物を含有するように処方される。活性成分は、一度に投与されてもよいし、時間間隔で投与されるいくつかの小用量に分割することもできる。正確な用量及び治療期間は、治療対象の組織に応じて変化し、既知の試験プロトコルを用いて実験的に、またはｉｎ  ｖｉｖｏもしくはｉｎ  ｖｉｔｒｏでの試験データからの推定によって決定され得ることを理解されたい。濃度及び用量の値もまた、治療される個体の年齢によって変動し得ることに留意されたい。いかなる特定の対象に関しても、具体的な投薬レジメンは、個々の必要性及び製剤の投与を管理または指示する人の専門的判断に従って経時的に調整されるべきであり、また、本明細書に記載される濃度範囲は、単なる例示であり、特許請求する製剤の範囲または実施を制限することを意図しないことも更に理解されたい。
【０２５９】
５．７．３  凍結乾燥粉末
溶液、乳濁液及び他の混合物として投与するために再構成することができる、凍結乾燥粉末もまた本明細書の対象である。これらは、再構成され、固体またはゲルとして処方されてもよい。
【０２６０】
滅菌凍結乾燥粉末は、本明細書中に記載される化合物またはその薬学的に許容される塩を好適な溶媒中に溶解することによって調製される。溶媒は、粉末またはその粉末から調製して再構成される溶液の安定性または他の薬理学的成分を改善する賦形剤を含有してもよい。使用することができる賦形剤には、デキストロース、ソルビタール、フルクトース、コーンシロップ、キシリトール、グリセリン、グルコース、スクロースまたは他の好適な剤が挙げられるが、これらに限定されない。溶媒は、クエン酸、リン酸などの緩衝液または当業者に知られている他の緩衝液を含有してもよい。一実施形態において、緩衝液は、ほぼ中性のｐＨを有する。その後、溶液を滅菌濾過し、次いで、当業者に知られている標準条件下で凍結乾燥すると、所望の製剤が得られる。一般に、得られた溶液は、凍結乾燥用のバイアル中に分配される。各バイアルは、一回用量（限定するものではないが、１０〜１０００ｍｇまたは１００〜５００ｍｇ）または複数回用量の化合物を含有する。凍結乾燥粉末は、約４℃〜室温などの適切な条件下で保存することができる。
【０２６１】
この凍結乾燥粉末を注射用水で再構成すると、非経口投与にて使用される製剤が得られる。再構成には、滅菌水または他の好適な担体１ｍＬ当たり約１〜５０ｍｇ、約５〜３５ｍｇまたは約９〜３０ｍｇの凍結乾燥粉末が添加される。正確な量は、選択する化合物による。かかる量は、実験的に決定することができる。
【０２６２】
５．７．４  局所投与
局所用混合物は、局所投与及び全身投与に関する記載のとおりに調製することができる。得られる混合物は、溶液、懸濁液、乳濁液などであり得、クリーム剤、ゲル剤、軟膏剤、乳剤、液剤、エリキシル剤、ローション剤、懸濁剤、チンキ剤、パスタ剤、発泡剤、エアゾール剤、洗浄剤、噴霧剤、坐剤、絆創膏、経皮パッチ剤または局所投与に適した任意の他の製剤として製剤化される。
【０２６３】
化合物またはその薬学的に許容される塩は、吸入などの局所適用のためのエアゾール剤として製剤化され得る（例えば、米国特許第４，０４４，１２６号、同第４，４１４，２０９号及び同第４，３６４，９２３号参照、炎症性疾患、特に喘息の治療に有用なステロイドを送達するためのエアゾール剤について記載されている）。気道に投与するためのこれらの製剤は、単独でまたはラクトースなどの不活性担体と組み合わせた、エアゾール剤もしくはネブライザのための液剤の形態または吸入のための超微粒子粉末
であってよい。このような場合、製剤の粒子の直径は、５０マイクロメートル未満または１０マイクロメートル未満である。
【０２６４】
これらの溶液、特に眼科用途が意図される溶液は、適切な塩との０．０１％〜１０％等張溶液（ｐＨ約５〜７）として製剤化され得る。
【０２６５】
５．７．５  他の投与経路のための組成物
経皮パッチ剤及び直腸投与などの他の投与経路もまた本明細書にて企図される。
【０２６６】
例えば、直腸投与のための医薬剤形は、全身作用のための肛門坐剤、カプセル剤及び錠剤である。本明細書で使用される肛門坐剤とは、直腸へ挿入するための固形体であって、体温で溶融するか、または軟化し、１つ以上の薬理活性または治療活性成分を放出するものを意味する。肛門坐剤に使用される薬学的に許容される物質は、基剤（またはビヒクル）及び融点を上げる剤を含む。基剤の例には、例えば、カカオバター（カカオ脂）、グリセリンゼラチン、カーボワックス（ポリオキシエチレングリコール）ならびに脂肪酸のモノ、ジ及びトリグリセリドの適切な混合物が挙げられる。様々な基剤の組み合わせを用いることができる。坐剤の融点を上げるための剤には、例えば、鯨蝋及びワックスが挙げられる。肛門坐剤は、圧縮方法または成形のいずれかにより調製することができる。直腸坐剤の例示的な重量は、約２〜３グラムである。
【０２６７】
直腸投与のための錠剤及びカプセル剤は、経口投与用製剤と同じ薬学的に許容される物質を使用して、経口投与用製剤と同じ方法によって製造される。
【０２６８】
５．７．６  徐放性組成物
本明細書中に記載される活性成分は、当業者によく知られている制御放出手段または送達デバイスによって投与することができる。例としては、米国特許第３，８４５，７７０号、同第３，９１６，８９９号、同第３，５３６，８０９号、同第３，５９８，１２３号、同第４，００８，７１９号、同第５，６７４，５３３号、同第５，０５９，５９５号、同第５，５９１，７６７号、同第５，１２０，５４８号、同第５，０７３，５４３号、同第５，６３９，４７６号、同第５，３５４，５５６号、同第５，６３９，４８０号、同第５，７３３，５６６号、同第５，７３９，１０８号、同第５，８９１，４７４号、同第５，９２２，３５６号、同第５，９７２，８９１号、同第５，９８０，９４５号、同第５，９９３，８５５号、同第６，０４５，８３０号、同第６，０８７，３２４号、同第６，１１３，９４３号、同第６，１９７，３５０号、同第６，２４８，３６３号、同第６，２６４，９７０号、同第６，２６７，９８１号、同第６，３７６，４６１号、同第６，４１９，９６１号、同第６，５８９，５４８号、同第６，６１３，３５８号、同第６，６９９，５００号及び同第６，７４０，６３４号に記載のものが挙げられるが、これらに限定されない。これらの各特許を参照により本明細書に援用する。このような剤形は、１つ以上の活性成分の徐放または制御放出を提供するために使用することができ、例えば、ヒドロプロピルメチルセルロース、他のポリマーマトリックス、ゲル、透過性膜、浸透圧系、多層コーティング、微小粒子、リポソーム、マイクロスフェアまたはこれらの組み合わせを使用して、様々な比率の所望の放出プロファイルをもたらすことができる。本明細書中に記載される活性成分とともに使用するために、本明細書に記載のものも含む、当業者に知られている好適な制御放出製剤を容易に選択することができる。
【０２６９】
全ての制御放出医薬品は、制御されていない同等物を上回るように薬物療法を改善するという共通の目標を持つ。一実施形態において、医療処置における最適に設計された制御放出製剤の使用は、最少量の薬剤物質を使用して最小限の時間で病態を治療または制御することを特徴とする。ある特定の実施形態において、制御放出製剤の利点には、薬物活性の延長、投薬頻度の減少及び患者コンプライアンスの向上が含まれる。加えて、制御放出製剤を使用すると、作用の開始時間または薬物の血中濃度などの他の特徴に変化をもたらすことができ、これにより、副作用（例えば、有害作用）の発現に影響を与えることができる。
【０２７０】
ほとんどの制御放出製剤は、まず、所望の治療効果を速やかに生じる量の薬物（活性成分）を放出した後、この治療または予防効果レベルを長期間にわたって維持する異なる量の薬物を徐々にかつ絶えず放出するように設計される。この薬物の一定濃度を体内で維持するために、代謝されて体内から排出される薬物の量を置き換える速度で、剤形から薬物が放出される必要がある。活性成分の制御放出は、限定するものではないが、ｐＨ、温度、酵素、水、他の生理学的条件または化合物を含む、様々な条件によって刺激することができる。
【０２７１】
ある特定の実施形態において、薬剤は、静脈内注入、埋め込み可能な浸透圧ポンプ、経皮パッチ剤、リポソームまたは他の投与方法を使用して投与してもよい。一実施形態において、ポンプを使用することができる。Ｓｅｆｔｏｎ，ＣＲＣ  Ｃｒｉｔ．Ｒｅｆ．Ｂｉｏｍｅｄ．Ｅｎｇ．１９８７，１４：２０１−２４０、Ｂｕｃｈｗａｌｄ  ｅｔ  ａｌ．，Ｓｕｒｇｅｒｙ  １９８０，８８：５０７−５１６、Ｓａｕｄｅｋ  ｅｔ  ａｌ．，Ｎ．Ｅｎｇｌ．Ｊ．Ｍｅｄ．１９８９，３２１：５７４−５７９を参照されたい。別の実施形態において、ポリマー材料を使用することができる。更に別の実施態様において、制御放出系を治療標的の近傍に置くことができ、これにより、必要とされる用量が全身投与用量の何分の１のみとなる。例えば、Ｇｏｏｄｓｏｎ，Ｍｅｄｉｃａｌ  Ａｐｐｌｉｃａｔｉｏｎｓ  ｏｆ  Ｃｏｎｔｒｏｌｌｅｄ  Ｒｅｌｅａｓｅ，ｖｏｌ．２，ｐｐ．１１５−１３８（１９８４）を参照されたい。
【０２７２】
いくつかの実施形態において、制御放出デバイスは、不適切な免疫活性化または腫瘍の部位の近傍で、対象に導入される。他の制御放出系については、Ｌａｎｇｅｒによる概説にて考察されている（Ｓｃｉｅｎｃｅ  １９９０，２４９：１５２７−１５３３）。活性成分を固体の内側マトリックス（例えば、ポリメチルメタクリレート、ポリブチルメタクリレート、可塑化されたまたは可塑化されていないポリ塩化ビニル、可塑化ナイロン、可塑化ポリエチレンテレフタレート、天然ゴム、ポリイソプレン、ポリイソブチレン、ポリブタジエン、ポリエチレン、エチレン−酢酸ビニルコポリマー、シリコーンゴム、ポリジメチルシロキサン、シリコーンカーボネートコポリマー、アクリル酸及びメタクリル酸のエステルのヒドロゲルなどの親水性ポリマー、コラーゲン、架橋ポリビニルアルコールならびに部分的に加水分解した架橋ポリ酸酢ビニル）中に分散することができる。いくつかの実施形態において、内側マトリックスは、外側のポリマー膜（例えば、ポリプロピレン、エチレン／プロピレンコポリマー、エチレン／アクリル酸エチルコポリマー、エチレン／酢酸ビニルコポリマー、シリコーンゴム、ポリジメチルシロキサン、ネオプレンゴム、塩素化ポリエチレン、ポリ塩化ビニル、酢酸ビニル、塩化ビニリデン、エチレン及びプロピレンとの塩化ビニルコポリマー、アイオノマーポリエチレンテレフタレート、ブチルゴムエピクロロヒドリンゴム、エチレン／ビニルアルコールコポリマー、エチレン／酢酸ビニル／ビニルアルコールターポリマーならびにエチレン／ビニルオキシエタノールコポリマー）によって取り囲まれる。ある特定の実施形態において、外側のポリマー膜は、体液に不溶である。これにより、放出速度が制御される段階で、活性成分が外側のポリマー膜を通って拡散する。このような非経口組成物中に含有される活性成分のパーセンテージは、その具体的な性質のみならず、対象の必要性に依存する。
【０２７３】
５．７．７  標的化製剤
本明細書中で記載される化合物またはその薬学的に許容される塩はまた、治療がなされる対象の特定の組織、受容体または身体の他の領域に対して標的化するように製剤化することもできる。このような標的化方法は、多数、当業者によく知られている。このような標的化方法は全て、本組成物で使用するために、本明細書で企図される。標的化方法の非限定的な例は、例えば、米国特許第６，３１６，６５２号、同第６，２７４，５５２号、同第６，２７１，３５９号、同第６，２５３，８７２号、同第６，１３９，８６５号、同第６，１３１，５７０号、同第６，１２０，７５１号、同第６，０７１，４９５号、同第６，０６０，０８２号、同第６，０４８，７３６号、同第６，０３９，９７５号、同第６，００４，５３４号、同第５，９８５，３０７号、同第５，９７２，３６６号、同第５，９００，２５２号、同第５，８４０，６７４号、同第５，７５９，５４２号及び同第５，７０９，８７４号を参照されたい。
【０２７４】
一実施形態において、腫瘍標的リポソームなどの組織標的リポソームを含むリポソーム懸濁液もまた、薬学的に許容される担体として好適であり得る。これらは、当業者に知られている方法に従って調製することができる。例えば、リポソーム製剤は、米国特許第４，５２２，８１１号の記載に従って調製することができる。簡潔に述べれば、多重層小胞（ＭＬＶ）などのリポソームは、卵由来ホスファチジルコリンと脳由来ホスファチジルセリン（７：３のモル比）を乾燥させることによって、フラスコの内側に形成することができる。二価カチオンを含まないリン酸緩衝生理食塩水（ＰＢＳ）中の本明細書中に記載される化合物の溶液を加え、脂質膜が分散するまでフラスコを振盪させる。得られた小胞を洗浄して封入されなかった化合物を除去し、遠心分離によりペレット化し、次いで、ＰＢＳ中に再懸濁させる。
【０２７５】
５．７．８  製造品
化合物または薬学的に許容される塩は、パッケージ材料と、固形がん及び血液性がんを含むがんの１つ以上の症状または進行の治療、予防または改善のために使用される、本明細書中に記載される化合物またはその薬学的に許容される塩と、この化合物またはその薬学的に許容される塩が固形がん及び血液性がんを含むがんの１つ以上の症状または進行の治療、予防または改善のために使用されることを示すラベルとを含有する、製造品としてパッケージ化することができる。
【０２７６】
本明細書中に記載される製造品は、パッケージ材料を含有する。医薬品を包装するのに使用されるパッケージ材料は、当業者によく知られている。例えば、米国特許第５，３２３，９０７号、同第５，０５２，５５８号及び同第５，０３３，２５２号を参照されたい。医薬品パッケージ材料の例には、ブリスターパック、瓶、チューブ、吸入器、ポンプ、バッグ、バイアル、容器、シリンジ、ペン、瓶、ならびに選択された製剤及び目的の投与方法及び治療方法に好適な任意のパッケージ材料が挙げられるが、これらに限定されない。本明細書中に記載される化合物及び組成物の幅広い製剤が企図される。
【０２７７】
５．８  バイオマーカーレベルを検出するためのキット
ある特定の実施形態において、本明細書で提供されるのは、本明細書で提供される種々の方法を実施するためのキットである。
【０２７８】
例えば、いくつかの実施形態において、本明細書で提供されるのは、治療化合物に応答する可能性がある、がんを有する対象を特定するためのキットであり、このキットは、
（ａ）第１のバイオマーカーのレベルを決定するための剤と、
（ｂ）第２のバイオマーカーのレベルを決定するための剤とを含み、
バイオマーカーのうちの少なくとも１つはＣＲＢＮ関連タンパク質である。
【０２７９】
いくつかの実施形態において、本明細書で提供されるのは、がんを有するか、またはがんを有する疑いのある対象の治療化合物に対する応答性を予測するためのキットであり、このキットは、
（ａ）第１のバイオマーカーのレベルを決定するための剤と、
（ｂ）第２のバイオマーカーのレベルを決定するための剤とを含み、
バイオマーカーのうちの少なくとも１つはＣＲＢＮ関連タンパク質である。
【０２８０】
他の態様において、本明細書で提供されるのは、治療化合物による対象のがんの治療の有効性をモニタリングするためのキットであり、このキットは、
（ａ）第１のバイオマーカーのレベルを決定するための剤と、
（ｂ）第２のバイオマーカーのレベルを決定するための剤とを含み、
バイオマーカーのうちの少なくとも１つはＣＲＢＮ関連タンパク質である。
【０２８１】
いくつかの実施形態において、がんは、白血病である。いくつかの実施形態において、がんは、リンパ腫である。他の実施形態において、がんは、成人Ｔ細胞白血病（ＡＴＬ）である。他の実施形態において、がんは、再発性、難治性または従来の治療法に抵抗性である。他の実施形態において、がんは、再発性または難治性ＡＴＬである。
【０２８２】
いくつかの実施形態において、治療化合物は、免疫調節化合物である。いくつかの実施形態において、治療化合物は、レナリドミドである。
【０２８３】
具体的な実施形態において、治療化合物はレナリドミドであり、がんはＡＴＬである。
【０２８４】
いくつかの実施形態において、第１のバイオマーカーは、ＣＲＢＮ、ＩＫＺＦ１及びＩＫＺＦ２を含む群から選択される。いくつかの実施形態において、第２のバイオマーカーは、ＣＲＢＮ、ＩＫＺＦ１及びＩＫＺＦ２を含む群から選択される。いくつかの実施形態において、第１のバイオマーカー及び第２のバイオマーカーは、ＣＲＢＮ、ＩＫＺＦ１及びＩＫＺＦ２を含む群から選択される。
【０２８５】
いくつかの実施形態において、第１のバイオマーカーは、ＣＲＢＮである。いくつかの実施形態において、第１のバイオマーカーがＣＲＢＮである場合、第２のバイオマーカーはＣＲＢＮの基質である。他の実施形態において、第１のバイオマーカーがＣＲＢＮである場合、第２のバイオマーカーはＣＲＢＮの基質でない。
【０２８６】
いくつかの実施形態において、第１のバイオマーカーはＣＲＢＮであり、第２のバイオマーカーはＩＫＺＦ１である。いくつかの実施形態において、ＣＲＢＮの発現レベルのＩＫＺＦ１の発現レベルに対する比は、３より高い。他の実施形態において、ＣＲＢＮの発現レベルのＩＫＺＦ１の発現レベルに対する比は、４より高い。更に他の実施形態において、ＣＲＢＮの発現レベルのＩＫＺＦ１の発現レベルに対する比は、５より高い。
【０２８７】
他の実施形態において、第１のバイオマーカーはＣＲＢＮであり、第２のバイオマーカーはＩＫＺＦ２である。いくつかの実施形態において、ＣＲＢＮの発現レベルのＩＫＺＦ２の発現レベルに対する比は、５００〜５０００である。他の実施形態において、ＣＲＢＮの発現レベルのＩＫＺＦ２の発現レベルに対する比は、５００より高い。他の実施形態において、ＣＲＢＮの発現レベルのＩＫＺＦ２の発現レベルに対する比は、１０００より高い。更に他の実施形態において、ＣＲＢＮの発現レベルのＩＫＺＦ２の発現レベルに対する比は、１５００より高い。更に他の実施形態において、ＣＲＢＮの発現レベルのＩＫＺＦ２の発現レベルに対する比は、２５００より高い。
【０２８８】
ある特定の実施形態において、本明細書で提供されるのは、１つ以上のバイオマーカーのｍＲＮＡレベルを検出するためのキットである。ある特定の実施形態において、キットは、１つ以上のバイオマーカーのｍＲＮＡに特異的に結合する１つ以上のプローブを含む。ある特定の実施形態において、キットは、洗浄溶液を更に含む。ある特定の実施形態において、キットは、ハイブリダイゼーションアッセイを実施するための試薬、ｍＲＮＡの単離または精製手段、検出手段ならびに陽性及び陰性対照を更に含む。ある特定の実施形態において、キットは、当該キットを使用するための説明書を更に含む。キットは、家庭使用、臨床使用または研究使用に合わせて作ることができる。
【０２８９】
ある特定の実施形態において、本明細書で提供されるのは、１つ以上のバイオマーカーのタンパク質レベルを検出するためのキットである。ある特定の実施形態において、キットは、タンパク質バイオマーカーを認識する抗体をコーティングしたディップスティック、洗浄溶液、アッセイを実施するための試薬、タンパク質の単離または精製手段、検出手段ならびに陽性及び陰性対照を含む。ある特定の実施形態において、キットは、当該キットを使用するための説明書を更に含む。キットは、家庭使用、臨床使用または研究使用に合わせて作ることができる。
【０２９０】
このようなキットは、例えば、ディップスティック、メンブレン、チップ、ディスク、試験ストリップ、フィルター、マイクロスフェア、スライド、マルチウェルプレートまたは光ファイバーを利用することができる。キットの固体支持体は、例えば、プラスチック、シリコン、金属、樹脂、ガラス、メンブレン、粒子、沈殿物、ゲル、ポリマー、シート、球体、多糖、キャピラリー、フィルム、プレートまたはスライドであってよい。生体試料は、例えば、細胞培養物、細胞株、組織、器官、オルガネラ、生体液、血液試料、尿試料または皮膚試料であり得る。
【０２９１】
別の実施形態において、キットは、固体支持体、当該固体支持体に結合した核酸（当該核酸は、ｍＲＮＡの少なくとも２０、５０、１００、２００、３５０またはそれ以上の塩基と相補的である）及び生体試料中のｍＲＮＡの発現を検出するための手段を含む。
【０２９２】
具体的な実施形態において、医薬キットまたはアッセイキットは、１つの容器中に化合物またはその医薬組成物を含み、１つ以上の容器中にＲＮＡを単離するための構成成分を更に含む。別の具体的な実施形態において、医薬キットまたはアッセイキットは、１つの容器中に化合物または医薬組成物を含み、１つ以上の容器中にＲＴ−ＰＣＲ、ｑＲＴ−ＰＣＲ、ディープシーケンシングまたはマイクロアレイを実施するための構成成分を更に含む。
【０２９３】
ある特定の実施形態において、本明細書で提供されるキットは、定量的リアルタイムＰＣＲ（ｑＲＴ−ＰＣＲ）、マイクロアレイ、フローサイトメトリーまたは免疫蛍光法による、バイオマーカーの発現を検出するための手段を利用する。他の実施形態において、バイオマーカーの発現は、ＥＬＩＳＡベースの方法または当該技術分野において知られている他の類似の方法によって測定される。
【０２９４】
別の具体的な実施形態において、医薬キットまたはアッセイキットは、１つの容器中に化合物またはその医薬組成物を含み、１つ以上の容器中にタンパク質を単離するための構成成分を更に含む。別の具体的な実施形態において、医薬キットまたはアッセイキットは、１つの容器中に化合物または医薬組成物を含み、１つ以上の容器中にフローサイトメトリーまたはＥＬＩＳＡを実施するための構成成分を更に含む。
【０２９５】
別の態様において、本明細書で提供されるのは、本明細書中に記載されるバイオマーカーまたはバイオマーカーのサブセット（例えば、１、２、３、４、５以上のバイオマーカー）の１つ以上の遺伝子産物の存在量を測定するのに必要な材料を提供する、バイオマーカーを測定するためのキットである。このようなキットは、ＲＮＡまたはタンパク質を測定するのに必要な材料及び試薬を含み得る。いくつかの実施形態において、このようなキットは、マイクロアレイを含み、当該マイクロアレイは、本明細書中に記載されるバイオマーカーまたはバイオマーカーのサブセットの１つ以上の遺伝子産物にハイブリダイズする、オリゴヌクレオチド及び／もしくはＤＮＡ及び／もしくはＲＮＡ断片またはこれらの任意の組み合わせから構成される。いくつかの実施形態において、このようなキットは、バイオマーカーまたはバイオマーカーのサブセットのＲＮＡ産物もしくはＲＮＡ産物のｃＤＮＡコピーのいずれかまたはその両方のＰＣＲのためのプライマーを含み得る。いくつかの実施形態において、このようなキットは、ＰＣＲ用プライマー及びｑＰＣＲ用プローブを含み得る。いくつかの実施形態において、このようなキットは、複数のプライマー及び複数のプローブを含み得、当該プローブのいくつかは、本明細書中に記載されるバイオマーカーまたはバイオマーカーのサブセットの複数の遺伝子産物を同時に測定することを可能にするように、異なるフルオロフォアを有する。いくつかの実施形態において、このようなキットは、ＲＮＡからｃＤＮＡを作製するための物質及び試薬を更に含み得る。いくつかの実施形態において、このようなキットは、本明細書中に記載されるバイオマーカーまたはバイオマーカーのサブセットのタンパク質産物に特異的な抗体を含み得る。このようなキットは、生体試料からＲＮＡ及び／またはタンパク質を単離するための材料及び試薬を更に含み得る。更に、このようなキットは、生体試料から単離されたＲＮＡからｃＤＮＡを合成するための材料及び試薬を含み得る。いくつかの実施形態において、このようなキットは、患者が化合物に対して臨床的に感受性であるかどうかを予測するためのコンピュータ可読媒体に組み込まれたコンピュータプログラム製品を含み得る。いくつかの実施形態において、キットは、コンピュータ可読媒体に組み込まれたコンピュータプログラム製品を説明書とともに含み得る。
【０２９６】
いくつかの実施形態において、このようなキットは、本明細書中に記載されるバイオマーカーまたはバイオマーカーのサブセットの１つ以上の核酸産物の発現を測定する。本実施形態によれば、キットは、本明細書中に記載されるバイオマーカーまたはバイオマーカーのサブセットの特定の核酸産物の発現を測定するために必要な材料及び試薬を含み得る。例えば、マイクロアレイまたはＲＴ−ＰＣＲキットは、特定の条件に合わせて作製することができ、本明細書中に記載されるバイオマーカーまたはバイオマーカーのサブセットの特定のＲＮＡ転写産物のレベルを測定し、患者の血液性がんが化合物に対して臨床的に感受性であるかどうかを予測するために必要な試薬及び材料のみを含有し得る。あるいは、いくつかの実施形態において、キットは、本明細書中に記載されるバイオマーカー以外の遺伝子の特定の核酸産物の発現を測定するために必要な材料及び試薬を含み得る。例えば、ある特定の実施形態において、キットは、本明細書中に記載されるバイオマーカー以外の少なくとも１、少なくとも２、少なくとも３、少なくとも４、少なくとも５、少なくとも６、少なくとも７、少なくとも８、少なくとも９、少なくとも１０、少なくとも１５、少なくとも２０、少なくとも２５、少なくとも３０、少なくとも３５、少なくとも４０、少なくとも４５、少なくとも５０またはそれ以上の遺伝子の発現レベルを測定するために必要な試薬及び材料に加えて、本明細書中に記載されるバイオマーカーの遺伝子のうちの１、２、３またはそれ以上の発現レベルを測定するために必要な材料及び試薬を含む。他の実施形態において、キットは、本明細書中に記載されるバイオマーカーのうちの少なくとも１、少なくとも２、少なくとも３またはそれ以上の発現レベル、及び本明細書中に記載されるバイオマーカーではない１、２、３、４、５、１０、１５、２０、２５、３０、３５、４０、４５、５０、５５、６０、６５、７０、７５、８０、８５、９０、９５、１００、１２５、１５０、１７５、２００、２２５、２５０、３００、３５０、４００、４５０またはそれ以上の遺伝子の発現レベルを測定するために必要な試薬及び材料を含有する。ある特定の実施形態において、キットは、本明細書中に記載されるバイオマーカーのうちの遺伝子の少なくとも１、少なくとも２、少なくとも３またはそれ以上の発現レベル、及び本明細書中に記載されるバイオマーカーではない１〜１０、１〜１００、１〜１５０、１〜２００、１〜３００、１〜４００、１〜５００、１〜１０００、２５〜１００、２５〜２００、２５〜３００、２５〜４００、２５〜５００、２５〜１０００、１００〜１５０、１００〜２００、１００〜３００、１００〜４００、１００〜５００、１００〜１０００または５００〜１０００の遺伝子の発現レベルを測定するために必要な試薬及び材料を含有する。
【０２９７】
核酸マイクロアレイキットの場合、キットは、通常、固体支持体表面に結合されたプローブを含む。このような一実施形態において、プローブは、オリゴヌクレオチドまたはより長いプローブ（１５０ヌクレオチド長〜８００ヌクレオチド長の範囲であるプローブを含む）のいずれかであり得る。プローブは、検出可能な標識で標識されていてもよい。具体的な実施形態において、プローブは、本明細書中に記載されるバイオマーカーの遺伝子産物のうちの１つ以上に特異的である。マイクロアレイキットは、アッセイを実施するための説明書と、アッセイの実施から得られるデータを解釈及び解析するための方法とを含み得る。具体的な実施形態において、キットは、患者の血液性がんが化合物に対して臨床的に感受性であるかどうかを予測するための説明書を含む。キットはまた、ハイブリダイゼーション試薬及び／またはプローブが標的核酸配列にハイブリダイズしたときに生成されるシグナルを検出するために必要な試薬を含み得る。通常、マイクロアレイキットのための材料及び試薬は、１つ以上の容器中に入っている。キットの各構成成分は、通常、好適な容器中に入っている。
【０２９８】
ある特定の実施形態において、核酸マイクロアレイキットは、本明細書中に記載されるバイオマーカーのもの以外の少なくとも１、少なくとも２、少なくとも３、少なくとも４、少なくとも５、少なくとも６、少なくとも７、少なくとも８、少なくとも９、少なくとも１０、少なくとも１５、少なくとも２０、少なくとも２５、少なくとも３０、少なくとも３５、少なくとも４０、少なくとも４５、少なくとも５０またはそれ以上の遺伝子の発現レベルを測定するために必要な試薬及び材料に加えて、本明細書中に記載されるバイオマーカーの遺伝子またはその組み合わせのうちの１、２、３またはそれ以上の発現レベルを測定するために必要な材料及び試薬を含む。他の実施形態において、核酸マイクロアレイキットは、本明細書中に記載されるバイオマーカーの遺伝子またはその任意の組み合わせの少なくとも１、少なくとも２、少なくとも３つまたはそれ以上の発現レベル、及び本明細書中に記載されるバイオマーカーではない１、２、３、４、５、１０、１５、２０、２５、３０、３５、４０、４５、５０、５５、６０、６５、７０、７５、８０、８５、９０、９５、１００、１２５、１５０、１７５、２００、２２５、２５０、３００、３５０、４００、４５０またはそれ以上の遺伝子の発現レベルを測定するために必要な試薬及び材料を含有する。別の実施形態において、核酸マイクロアレイキットは、本明細書中に記載されるバイオマーカーの遺伝子またはその任意の組み合わせの少なくとも１、少なくとも２、少なくとも３またはそれ以上の発現レベル、及び本明細書中に記載されるバイオマーカーのものではない１〜１０、１〜１００、１〜１５０、１〜２００、１〜３００、１〜４００、１〜５００、１〜１０００、２５〜１００、２５〜２００、２５〜３００、２５〜４００、２５〜５００、２５〜１０００、１００〜１５０、１００〜２００、１００〜３００、１００〜４００、１００〜５００、１００〜１０００または５００〜１０００の遺伝子の発現レベルを測定するために必要な試薬及び材料を含有する。
【０２９９】
定量的ＰＣＲの場合、キットは、通常、特定の核酸配列に特異的な予め選択されたプライマーを含む。定量的ＰＣＲキットはまた、核酸を増幅するのに好適な酵素（例えば、Ｔａｑポリメラーゼなどのポリメラーゼ）、増幅反応に必要とされるデオキシヌクレオチド及び緩衝剤を含み得る。定量的ＰＣＲキットはまた、ある状態に関連するか、またはその指標となる核酸配列に特異的なプローブを含み得る。プローブは、フルオロフォアで標識されていても標識されていなくてもよい。プローブは、クエンチャー分子で標識されていても標識されていなくてもよい。いくつかの実施形態において、定量的ＰＣＲキットはまた、ＲＮＡを逆転写するのに好適な構成成分、例えば、酵素（例えば、ＡＭＶ、ＭＭＬＶなどの逆転写酵素）及び逆転写用プライマーを、逆転写反応に必要とされるデオキシヌクレオチド及び緩衝剤とともに含む。定量的ＰＣＲキットの各構成成分は、通常、それぞれに好適な容器中に入っている。したがって、これらのキットは、通常、それぞれ個々の試薬、酵素、プライマー及びプローブに好適な別個の容器を含む。更に、定量的ＰＣＲキットは、反応を実施するための説明書と、反応の実施から得られるデータを解釈及び解析するための方法とを含み得る。具体的な実施形態において、キットは、患者の血液性がんが化合物に対して臨床的に感受性であるかどうかを予測するための説明書を含有する。
【０３００】
抗体ベースのキットの場合、キットは、例えば、（１）目的とするペプチド、ポリペプチドまたはタンパク質に結合する第１の抗体（固体支持体に結合していても結合していなくてもよい）と、任意に、（２）第１の抗体または当該ペプチド、ポリペプチドもしくはタンパク質のいずれかに結合し、かつ検出可能な標識（例えば、蛍光標識、放射性同位体または酵素）に連結されている第２の異なる抗体とを含み得る。具体的な実施形態において、目的とするペプチド、ポリペプチドまたはタンパク質は、ある状態（例えば、疾患）に関連するか、その指標となる。抗体ベースのキットはまた、免疫沈降を実施するためのビーズを含み得る。抗体ベースのキットの各構成成分は、通常、それぞれに好適な容器中に入っている。したがって、これらのキットは、通常、各抗体及び試薬に好適な別個の容器を含む。更に、抗体ベースのキットは、アッセイを実施するための説明書と、アッセイの実施から得られるデータを解釈及び解析するための方法とを含み得る。具体的な実施形態において、キットは、患者の血液性がんが化合物に対して臨床的に感受性であるかどうかを予測するための説明書を含有する。
【０３０１】
一実施形態において、本明細書で提供されるキットは、本明細書中に記載される化合物、またはその薬学的に許容される塩、溶媒和物もしくは水和物を含む。キットは、限定するものではないが、本明細書中に開示されるものを含む、追加の活性成分を更に含み得る。
【０３０２】
本明細書で提供されるキットは、活性成分を投与するために使用されるデバイスを更に含み得る。このようなデバイスの例には、シリンジ、点滴袋、パッチ及び吸入器が挙げられるが、これらに限定されない。
【０３０３】
キットは、１つ以上の活性成分を投与するために使用することができる薬学的に許容されるビヒクルとともに、移植用の細胞または血液を更に含み得る。例えば、活性成分が非経口投与用に再構成する必要のある固体形態で提供される場合、キットは、当該活性成分を溶解することができ、これにより非経口投与に適した微粒子を含まない滅菌溶液を形成する、好適なビヒクルが入った密封容器を含み得る。薬学的に許容されるビヒクルの例には、ＵＳＰ注射用水、水性ビヒクル（限定するものではないが、塩化ナトリウム注射液、リンゲル注射液、ブドウ糖注射液、ブドウ糖塩化ナトリウム注射液及び加乳酸リンゲル注射液）、水混和性ビヒクル（限定するものではないが、エチルアルコール、ポリエチレングリコール及びポリプロピレングリコール）、及び非水溶性ビヒクル（限定するものではないが、コーン油、綿実油、ピーナッツ油、ゴマ油、オレイン酸エチル、ミリスチン酸イソプロピル及び安息香酸ベンジルなど）が挙げられるが、これらに限定されない。
【０３０４】
本明細書で提供される方法及びキットのある特定の実施形態において、固相支持体は、タンパク質の精製、試料の標識、または固相アッセイの実施に使用される。本明細書に開示される方法を実施するのに好適な固相の例には、ビーズ、粒子、コロイド、単一表面、チューブ、マルチウェルプレート、マイクロタイタープレート、スライド、メンブレン、ゲル及び電極が挙げられる。固相が粒子材料（例えば、ビーズ）である場合、一実施形態において、それをマルチウェルプレートの各ウェル中に分配すると、固相支持体の並行処理が可能になる。
【０３０５】
上に列挙した実施形態の任意の組み合わせ、例えば、限定するものではないが、核酸プライマー、固体支持体などの１つ以上の試薬に関する組み合わせも、本明細書で提供される種々の方法及び／またはキットのいずれかに関して企図されることを留意されたい。
【０３０６】
本発明のある特定の実施形態について、以下の非限定的な実施例により説明する。
【実施例】
【０３０７】
６．実施例
以下の実施例は、別途詳述される場合を除き、当業者によく知られ、慣用となっている標準的な技術を使用して実施される。実施例は、単なる例示であることが意図される。
【０３０８】
６．１  実施例１  ３−（４−アミノ−１−オキソ−１，３−ジヒドロ−イソインドール−２−イル）−ピペリジン−２，６−ジオン（レナリドミド）の調製
２−ブロモメチル−３−ニトロ安息香酸メチル
【０３０９】
四塩化炭素（２００ｍＬ）中の２−メチル−３−ニトロ安息香酸メチル（１４．０ｇ、７１．７ｍｍｏｌ）及びＮ−ブロモスクシンイミド（１５．３ｇ、８６．１ｍｍｏｌ）の攪拌混合物を、２ｃｍ離れた位置にある１００Ｗ電球でフラスコを照らしながら、穏やかな還流下で１５時間加熱した。混合物を濾過し、固体を塩化メチレン（５０ｍＬ）で洗浄した。濾液を水（２×１００ｍＬ）、ブライン（１００ｍＬ）で洗浄し、乾燥させた。溶媒を減圧下で除去し、残渣をフラッシュクロマトグラフィー（ヘキサン／酢酸エチル、８／２）によって精製して、１９ｇ（９６％）の生成物を黄色固体として得た。融点７０．０〜７１．５℃；１Ｈ ＮＭＲ （ＣＤＣｌ３） δ ８．１２−８．０９（ｄｄ， Ｊ＝１．３及び７．８ Ｈｚ， １Ｈ）， ７．９７−７．９４（ｄｄ， Ｊ＝１．３及び８．２ Ｈｚ， １Ｈ）， ７．５４（ｔ， Ｊ＝８．０ Ｈｚ， １Ｈ）． ５．１５（ｓ， ２Ｈ）， ４．００（ｓ， ３Ｈ）；１３Ｃ ＮＭＲ （ＣＤＣｌ３） δ １６５．８５， １５０．５８， １３４．６８， １３２．３８， １２９．０８， １２７．８０， ５３．０６， ２２．６９；ＨＰＬＣ Ｗａｔｅｒ Ｎｏｖｅ−Ｐａｋ／Ｃ１８、３．９×１５０ｍｍ、４マイクロメートル、１ｍＬ／分、２４０ｎｍ、４０／６０ ＣＨ３ＣＮ／０．１％Ｈ３ＰＯ４（ａｑ）７．２７分（９８．９２％）；Ｃ９Ｈ８ＮＯ４Ｂｒの分析計算値： Ｃ ３９．４４； Ｈ ２．９４； Ｎ ５．１１； Ｂｒ ２９．１５。実測値： Ｃ ３９．４６； Ｈ ３．００； Ｎ ５．００； Ｂｒ ２９．１１。
【０３１０】
Ｎ−（１−オキソ−４−ニトロイソインドリン−２−イル）−Ｌ−グルタミンｔ−ブチル
【０３１１】
テトラヒドロフラン（９０ｍＬ）中の２−ブロモメチル−３−ニトロ安息香酸メチル（３．５ｇ、１３．０ｍｍｏｌ）及びＬ−グルタミン  ｔ−ブチルエステル塩酸塩（３．１ｇ、１３．０ｍｍｏｌ）の攪拌混合物に、トリエチルアミン（２．９ｇ、２８．６ｍｍｏｌ）を滴加した。２４時間、混合物を加熱還流した。冷却した混合物に塩化メチレン（１５０ｍＬ）を加え、混合物を水（２×４０ｍＬ）、ブライン（４０ｍＬ）で洗浄し、乾燥させた。溶媒を減圧下で除去し、残渣をフラッシュクロマトグラフィー（塩化メチレン中３％ＣＨ３ＯＨ）によって精製して、２．８４ｇ（６０％）の粗生成物を得、これを次の反応に直接使用した。１Ｈ ＮＭＲ （ＣＤＣｌ３） δ ８．４０（ｄ， Ｊ＝８．１ Ｈｚ， １Ｈ）， ８．１５（ｄ， Ｊ＝７．５ Ｈｚ， １Ｈ）， ７．７１（ｔ， Ｊ＝７．８ Ｈｚ， １Ｈ）， ５．８３（ｓ， １Ｈ）， ５．６１（ｓ， １Ｈ）， ５．１２（ｄ， Ｊ＝１９．４ Ｈｚ， １Ｈ）， ５．０４−４．９８（ｍ， １Ｈ）， ４．９２（ｄ， Ｊ＝１９．４ Ｈｚ， １Ｈ）， ２．４９−２．２２（ｍ， ４Ｈ）． １．４６（ｓ， ９Ｈ）；ＨＰＬＣ Ｗａｔｅｒｓ Ｎｏｖａ−Ｐａｋ Ｃ１８、３．９×１５０ｍｍ、４マイクロメートル、１ｍＬ／分、２４０ｎｍ、２５／７５ ＣＨ３ＣＮ／０．１％Ｈ３ＰＯ４（ａｑ）６．７５分（９９．９４％）。
【０３１２】
Ｎ−（１−オキソ−４−ニトロイソインドリン−２−イル）−Ｌ−グルタミン
【０３１３】
Ｎ−（１−オキソ−４−ニトロ−イソインドリン−２−イル）−Ｌ−グルタミンｔ−ブチル（３．６ｇ、９．９ｍｍｏｌ）の塩化メチレン（６０ｍＬ）の５℃攪拌溶液中に、塩化水素ガスを１時間バブリングした。次いで、混合物を室温で更に１時間攪拌した。エーテル（４０ｍＬ）を加え、得られた混合物を３０分間攪拌した。スラリーを濾過し、エーテルで洗浄し、乾燥させて、３．３ｇの生成物を得た。１Ｈ ＮＭＲ （ＤＭＳＯ−ｄ６） δ ８．４５（ｄ， Ｊ＝８．１ Ｈｚ， １Ｈ）， ８．１５（ｄ， Ｊ＝７．５ Ｈｚ， １Ｈ）， ７．８３（ｔ， Ｊ＝７．９ Ｈｚ． １Ｈ）， ７．２４（ｓ， １Ｈ）， ６．７６（ｓ， １Ｈ）， ４．９３（ｓ， ２Ｈ）， ４．８４−４．７８（ｄｄ， Ｊ＝４．８及び１０．４ Ｈｚ， １Ｈ）， ２．３４−２．１０（ｍ， ４Ｈ）；１３Ｃ ＮＭＲ （ＤＭＳＯ−ｄ６） δ １７３．０３， １７１．８８， １６５．９６， １４３．３５， １３７．４９， １３４．７７， １３０．１０， １２９．６１， １２６．９５， ５３．６５， ４８．１３， ３１．５０， ２４．６９；Ｃ１３Ｈ１３Ｎ３Ｏ６の分析計算値： Ｃ ５０．８２； Ｈ ４．２６； Ｎ １３．６８。実測値： Ｃ ５０．５３； Ｈ ４．３７； Ｎ １３．２２。
【０３１４】
（Ｓ）−３−（１−オキソ−４−ニトロイソインドリン−２−イル）ピペリジン−２，６−ジオン
【０３１５】
無水塩化メチレン（１５０ｍＬ）中のＮ−（１−オキソ−４−ニトロイソインドリン−２−イル）−Ｌ−グルタミン（３．２ｇ、１０．５ｍｍｏｌ）の攪拌懸濁混合物をイソプロパノール／ドライアイス浴で−４０℃まで冷却した。冷却した混合物に、塩化チオニル（０．８２ｍＬ、１１．３ｍｍｏｌ）、続いてピリジン（０．９ｇ．１１．３ｍｍｏｌ）を滴加した。３０分後、トリエチルアミン（１．２ｇ、１１．５ｍｍｏｌ）を加え、混合物を−３０〜−４０℃で３時間攪拌した。氷水（２００ｍＬ）中に混合物を注ぎ入れ、水層を塩化メチレン（４０ｍＬ）で抽出した。この塩化メチレン溶液を水（２×６０ｍＬ）、ブライン（６０ｍＬ）で洗浄し、乾燥させた。溶媒を減圧下で除去し、固体残渣を酢酸エチル（２０ｍＬ）でスラリー化させて、２．２ｇ（７５％）の生成物を白色固体として得た。融点２８５℃；１Ｈ ＮＭＲ （ＤＭＳＯ−ｄ６） δ ： １．０４（ｓ， １Ｈ）， ８．４９−８．４５（ｄｄ， Ｊ＝０．８及び８．２ Ｈｚ， １Ｈ）， ８．２１−８．１７（ｄｄ， Ｊ＝７．３ Ｈｚ， １Ｈ）， ７．８４（ｔ， Ｊ＝７．６ Ｈｚ， １Ｈ）， ５．２３−５．１５（ｄｄ， Ｊ＝４．９及び１３．０ Ｈｚ， １Ｈ）， ４．９６（ｄｄ， Ｊ＝１９．３及び３２．４ Ｈｚ， ２Ｈ）， ３．００−２．８５（ｍ， １Ｈ）， ２．６４−２．４９（ｍ， ２Ｈ）， ２．０８−１．９８（ｍ， １Ｈ）；１３Ｃ ＮＭＲ （ＤＭＳＯ− ｄ６） δ １７２．７９， １７０．６９， １６５．９３， １４３．３３， １３７．４０， １３４．６８， １３０．１５， １２９．６０， １２７．０２， ５１．８２， ４８．４３， ３１．１６． ２２．２３；ＨＰＬＣ Ｗａｔｅｒｓ Ｎｏｖｅ−Ｐａｋ／Ｃ１８、３．９×１５０ｍｍ、４マイクロメートル、１ｍＬ／分、２４０ｎｍ、２０／８０ ＣＨ３ＣＮ／０．１％Ｈ３ＰＯ４（ａｑ）３．６７分（１００％）；Ｃ１３ＨｎＮ３Ｏ５の分析計算値：Ｃ ５３．９８；Ｈ ３．８３；Ｎ １４．５３。実測値：Ｃ ５３．９２；Ｈ ３．７０；Ｎ １４．１０。
【０３１６】
３−（４−アミノ−１−オキソ−１，３−ジヒドロ−イソインドール−２−イル）−ピペリジン−２，６−ジオン
【０３１７】
メタノール（６００ｍＬ）中の（Ｓ）−３−（１−オキソ−４−ニトロイソインドリン−２−イル）ピペリジン−２，６−ジオン（１．０ｇ、３．５ｍｍｏｌ）及び１０％Ｐｄ／Ｃ（０．３ｇ）の混合物を、Ｐａｒｒ−Ｓｈａｋｅｒ装置中、５０ｐｓｉの水素で５時間水素化した。混合物をセライトに通して濾過し、濾液を減圧下で濃縮した。固体を温酢酸エチル中で３０分間スラリー化させ、濾過し、乾燥させて、０．４６ｇ（５１％）の生成物を白色固体として得た。融点２３５．５〜２３９℃；１Ｈ ＮＭＲ （ＤＭＳＯ−ｄ６） δ １１．０１ （ｓ， １Ｈ）． ７．１９（ｔ， Ｊ＝７．６ Ｈｚ， １Ｈ）． ６．９０（ｄ． Ｊ＝７．３ Ｈｚ， １Ｈ）， ６．７８（ｄ， Ｊ＝７．８ Ｈｚ， １Ｈ）， ５．４２（ｓ， ２Ｈ）． ５．１２（ｄｄ． Ｊ＝５．１及び１３．１ Ｈｚ， １Ｈ）， ４．１７（ｄｄ， Ｊ＝１７．０及び２８．８ Ｈｚ， ２Ｈ）， ２．９２−２．８５（ｍ， １Ｈ）． ２．６４−２．４９（ｍ， １Ｈ）． ２．３４−２．２７（ｍ， １Ｈ）， ２．０６−１．９９（ｍ， １Ｈ）；１３Ｃ ＮＭＲ （ＤＭＳＯ−ｄ６） δ １７２．８５， １７１．１９， １６８．８４， １４３．５８， １３２．２２． １２８．７９， １２５．５６， １ １６．３７， １ １０．３９， ５１．４８， ４５．４９， ３１．２０， ２２．７４；ＨＰＬＣ Ｗａｔｅｒｓ Ｎｏｖａ−Ｐａｋ／Ｃ１８、３．９×１５０ｍｍ、４マイクロメートル、１ｍＬ／分、２４０ｎｍ、１０／９０ ＣＨ３ＣＮ／０．１％Ｈ３ＰＯ４（ａｑ）０．９６分（１００％）；キラル分析 Ｄａｉｃｅｌ Ｃｈｉｒａｌ Ｐａｋ ＡＤ、４０／６０ ヘキサン／ＩＰＡ、６．６０分（９９．４２％）；Ｃ１３Ｈ１３Ｎ３Ｏ３の分析計算値： Ｃ ６０．２３； Ｈ ５．０５； Ｎ １６．２１。実測値： Ｃ ５９．９６； Ｈ ４．９８； Ｎ １５．８４。
【０３１８】
３−（４−アミノ−１−オキソ−１，３−ジヒドロ−イソインドール−２−イル）−ピペリジン−２，６−ジオンは、当該技術分野において知られている方法、例えば、Ｔｒｅａｔｍｅｎｔ  ｃｏｍｐｏｕｎｄｓ  ｏｆ  ｔｈｅ  Ｆｕｔｕｒｅ  ２００３，２８（５）：４２５−４３１（その全体を参照により援用する）に記載の方法によって調製してもよい。
【０３１９】
６．２  実施例２  ＣＲＢＮのＩＫＺＦ１またはＩＫＺＦ２に対する高ｍＲＮＡ発現レベル比は、レナリドミド応答性ＡＴＬ細胞と相関する。
本実施例では、２３種の細胞、例えば、ＡＴＬ細胞株、リンパ腫細胞株、白血病細胞株、健常な末梢血単核細胞（ＰＢＭＣ）及びヒトＴリンパ球指向性ウイルス１型（ＨＴＬＶ−１）キャリアのＰＢＭＣに由来する細胞が用いられる。これらの種類の細胞のうち、細胞株５はレナリドミド高感受性ＡＴＬ細胞株であり、細胞株６及び１２はレナリドミド弱／中感受性ＡＴＬ細胞株であり、他の細胞株（細胞株１〜４、７、１０〜１１及び１３〜２３）はレナリドミドに対して強力な耐性を示す。
【０３２０】
各種の細胞からＣＲＢＮ、ＩＫＺＦ１（イカロス）、ＩＫＺＦ２（ヘリオス）及びＩＫＺＦ３（アイオロス）のｍＲＮＡを抽出し、ｑＰＣＲによって定量し、ＣＲＢＮ  ｍＲＮＡ発現レベルのＩＫＺＦ１  ｍＲＮＡ発現レベルに対する比と、ＣＲＢＮ  ｍＲＮＡ発現レベルのＩＫＺＦ２  ｍＲＮＡ発現レベルに対する比を算出した。結果を図２Ａ（ＣＲＢＮ／ＩＫＺＦ１）及び図２Ｂ（ＣＲＢＮ／ＩＫＺＦ２）に示す。
【０３２１】
図２Ａ〜２Ｂに示されるように、レナリドミド高感受性ＡＴＬ細胞株（細胞株５）は、極めて高いＣＲＢＮ：ＩＫＺＦ１及びＣＲＢＮ：ＩＫＺＦ２の比を示す。ＩＫＺＦ２は、ＩＫＺＦファミリーの１クラスであるが、ＣＲＢＮ基質ではないことが興味深い。これらの結果に基づくと、レナリドミド応答性ＡＴＬ患者を検出するために、ＣＲＢＮ／ＩＫＺＦ１比及び／またはＣＲＢＮ／ＩＫＺＦ２比の検査を使用することができる。
【０３２２】
６．３  実施例３  レナリドミドは、種々のＡＴＬ細胞株に対して様々な増殖抑制効果を示す。
ＡＴＬ患者由来細胞株１０種、ＨＴＬＶ−１形質転換細胞株３種、ＨＴＬＶ−１陰性Ｔ細胞または単球悪性細胞株５種、及び多発性骨髄腫細胞株２種（ＮＣＩ−Ｈ９２９は応答性の対照、ＲＰＭＩ−８２２６は非応答性の対照）をレナリドミド有効性試験に選択した。ＡＴＬ細胞株Ｈｕｔ１０２、ＥＤ４０５１５、Ｓ１Ｔ、ＯＡＴＬ４及びＯＡＴＬ９、ＨＴＬＶ−１形質転換細胞株ＭＴ−２、ＭＴ−４及びＣ８１６６、ＰＴＣＬ細胞株Ｈｕｔ７８、他のＴ細胞Ｊｕｒｋａｔ、ＭＯＬＴ４、ＨＬ６０、ならびに単球細胞株Ｋ５６２は、実験室用ストック（大分大学伊波英克博士及び宮崎大学森下和広教授）である。ＡＴＬ細胞株ＳＴ１、ＫＯＢ、ＫＫ１及びＳＯ４は、長崎大学の長谷川寛雄博士からの寄贈である。ＮＣＩ−Ｈ９２９及びＲＰＭＩ−８２２６は、米国培養細胞系統保存機関（ＡＴＣＣ）（Ｍａｎａｓｓａｓ，ＶＡ）から購入した。各細胞株を、１５％ウシ胎児血清（ＦＢＳ：Ｅｑｕｉｔｅｃｈ−Ｂｉｏ  Ｉｎｃ．（Ｋｅｒｒｖｉｌｌｅ，ＴＸ））、ペニシリンＧ（５０Ｕ／ｍｌ）及びストレプトマイシン（５０μｇ／ｍｌ）を添加したＲＰＭＩ−１６４０培地で維持した。抗生物質は、Ｓｉｇｍａ−Ａｌｄｒｉｃｈ  Ｃｏ．ＬＬＣ．（Ｓｔ．Ｌｏｕｉｓ，ＭＯ）から購入した。本試験に使用した細胞株の特徴を以下の表１に示す。
【０３２３】
細胞をＲＰＭＩ１６４０  １．５ｍＬあたり５×１０４細胞で２４ウェルプレートに播種し、５％ＣＯ２インキュベータ中で２４時間維持した（細胞数が１×１０５に達するはずである）。レナリドミド（それぞれ７．５μＬ、濃度２００×）を培地に添加する前（０日目）または添加後（１、２、３日目）に、培地１２．５μＬ中約８００個の細胞を回収し、各アッセイ（三連）について等量のＣｅｌｌＴｉｔｅｒ溶液（Ｐｒｏｍｅｇａ）と混合した。室温での１０分間のインキュベーション後、９６ウェルプレート中の反応混合物をＧｌｏｍａｘルミノメーター（Ｐｒｏｍｅｇａ）で読み取った。平均値及び標準偏差を４つの独立した試験から得た。
表１．本試験に使用した細胞株の特徴
【表１】
0006585737.tif 000015
【０３２４】
ＣｅｌｌＴｉｔｅｒの相対値を０日目の無処置対照細胞と比較してプロットした。図３に示されるように、２つの多発性骨髄腫対照細胞株ＮＣＩ−Ｈ９２９及びＲＰＭＩ−８２２６がそれぞれレナリドミド処置に対して感受性及び非感受性の応答を示している。ＡＴＬ関連細胞株１３種のうち、Ｈｕｔ１０２細胞は、細胞増殖活性の有意な減少を示している（残存活性は、０．１μＭレナリドミド処置で６４．２％（ｐ＝０．０４６８）、１μＭレナリドミド処置で６８．３％（ｐ＝０．２４４３）、１０μＭレナリドミド処置で４６．０％（ｐ＝０．０２８５）、及び１００μＭレナリドミド処置で５３．０％（ｐ＝０．０３０７））。加えて、ＯＡＴＬ４及びＫＯＢは、３０％を超える減少を示している（表２参照）。
表２．レナリドミド処置から３日後の残存細胞増殖活性
【表２】
0006585737.tif 000016
【０３２５】
６．４  実施例４  感受性ＡＴＬ細胞株に対するレナリドミドの増殖抑制効果は時間依存性である。
用量依存的な効果に加えて、レナリドミドはまた、時間依存的にＨｕｔ１０２細胞の増殖を抑制する。１０μＭ  レナリドミドで３日間処置したＨｕＴ１０２（レナリドミド感受性）とＨｕＴ７８（レナリドミド非感受性）との間で残存成長活性を比較した。ＣｅｌｌＴｉｔｅｒアッセイをセクション６．３の実施例３と同じように実施した。４つの実験から標準偏差を算出した。図４に示されるように、ＨｕＴ１０２は３日の期間にわたって顕著な細胞増殖減少を示すのに対し、ＨｕＴ７８の値はほとんど変わらないままである。
【０３２６】
６．５  実施例５  ＣＲＢＮのＩＫＺＦ１に対する、及びＣＲＢＮのＩＫＺＦ２に対するｍＲＮＡ発現レベル比は、レナリドミドに対するＡＴＬ細胞株の感受性と相関する。
上述の試験細胞株（セクション６．３の実施例３）における潜在的なレナリドミド標的遺伝子のｍＲＮＡ発現プロファイルを、リアルタイムＰＣＲを使用して測定した。レナリドミド処置ありまたはなしの細胞を回収し、リアルタイムＰＣＲ解析のために、全ＲＮＡをＲＮｅａｓｙキット（ＱＩＡＧＥＮ）によって調製した。定量的ｍＲＮＡ発現解析には、Ｕｎｉｖｅｒｓａｌ  Ｐｒｏｂｅ  Ｌｉｂｒａｒｙ及びＬｉｇｈｔ  Ｃｙｃｌｅｒ  ４８０システムを採用した（Ｒｏｃｈｅ）。
【０３２７】
ＣＲＢＮ、ＩＫＺＦ１、ＩＫＺＦ２及びＩＫＺＦ３のレベルを解析した。１）レナリドミド感受性細胞における高ＣＲＢＮ発現及びレナリドミド非感受性細胞における低ＣＲＢＮ発現と、２）レナリドミド感受性細胞におけるＩＫＺＦファミリーの低発現及びレナリドミド非感受性細胞におけるＩＫＺＦファミリーの高発現という予想されていた発現プロファイルが観察された（図５Ａ〜５Ｃ）。図５Ａは、各細胞におけるＣＲＢＮとＩＫＺＦ１の相対発現比（ＣＲＢＮ／ＩＫＺＦ１）を表す。図５Ａに示されるように、レナリドミド感受性であるＮＣＩ−Ｈ９２９及びＨｕＴ１０２の両細胞は、レナリドミドに対する感受性が低い他の細胞よりも高いＣＲＢＮ／ＩＫＺＦ１比を示している。レナリドミドに対する感受性が中程度であるＫＯＢ及びＭＯＬＴ−４細胞（３０％の成長抑制、表２参照）もまた、比較的高いＣＲＢＮ／ＩＫＺＦ１比を示している。これらの比は全て、健常またはキャリアＣＤ４対照よりも高い。図５Ｂは、各細胞におけるＣＲＢＮとＩＫＺＦ３の相対発現比（ＣＲＢＮ／ＩＫＺＦ３）を表す。ＣＲＢＮ／ＩＫＺＦ３の比とレナリドミド感受性との間に、有意な相関関係は観察されなかった。特に、ＨＬ６０細胞で示された高い比は、これらの細胞でＩＫＺＦ３発現が顕著に減少したことに起因する（図５Ｂ）。図５Ｃは、各細胞におけるＣＲＢＮとＩＫＺＦ２の相対発現比（ＣＲＢＮ／ＩＫＺＦ２）を表す。レナリドミド感受性ＨｕＴ１０２細胞は、他の細胞よりも高いＣＲＢＮ／ＩＫＺＦ２比を示している。加えて、レナリドミド感受性ＨｕＴ１０２及び中感受性ＭＴ−４において、ＩＫＺＦ２発現の顕著な減少が観察された（図５Ｃ）。
【０３２８】
６．６  実施例６  レナリドミドは、レナリドミド感受性ＨｕＴ１０２細胞においてＩＫＺＦファミリータンパク質の分解を誘導する。
レナリドミド処置ありまたはなしのＨｕＴ１０２（レナリドミド感受性）細胞及びＨｕＴ７８（レナリドミド非感受性）細胞のタンパク質発現プロファイルを、ウェスタンブロッティングを使用して分析した。３００〜５００万個の細胞を調製し、プロテアーゼ阻害剤ミックス（Ｒｏｃｈｅ  Ｄｉａｇｎｏｓｔｉｃｓ（Ｉｎｄｉａｎａｐｏｌｉｓ，ＩＮ））を添加した、ＨＥＰＥＳ（ｐＨ７．３）／ＮＰ４０  ０．５％細胞溶解バッファーで溶解した。ＣＲＢＮ、ＩＫＺＦ１、ＩＫＺＦ２及びＩＫＺＦ３に対するウサギモノクローナル抗体はＣｅｌｌ  Ｓｉｇｎａｌｉｎｇ  Ｔｅｃｈｎｏｌｏｇｙ（Ｄａｎｖｅｒｓ，ＭＡ）から購入し、マウスモノクローナル抗チューブリン抗体はＳｉｇｍａ（Ｓｔ．Ｌｏｕｉｓ，ＭＯ）から購入した。
【０３２９】
図６に示されるように、ＣＲＢＮの基礎タンパク質量はＨｕＴ７８よりもＨｕＴ１０２でかなり高く、ＩＫＺＦ１及びＩＫＺＦ２基礎タンパク質レベルはＨｕＴ７８よりもＨｕＴ１０２でより低い。レナリドミドによる３日の処置後、レナリドミド感受性ＨｕＴ１０２細胞では、ＩＫＺＦ１は完全に消失し、ＩＫＺＦ３は有意に減少するのに対し、レナリドミド非感受性ＨｕＴ７８細胞では、ＩＫＺＦ２及びＩＫＺＦ３は変化しないままであり、ＩＫＺＦ１は減少するが依然として検知可能である。
＊              ＊              ＊              ＊
【０３３０】
前述のことから、本明細書では具体的な実施形態が例示目的で記載されているが、本明細書で提供されるものの趣旨及び範囲から逸脱することなく、種々の改変がなされ得ることが理解されるであろう。上で言及されている参考文献は全て、その全体が参照により本明細書に援用される。
本件出願は、以下の構成の発明を提供する。
（構成１）
治療化合物に応答する可能性がある、がんを有する対象を特定する方法であって、
（ａ）前記対象から試料を得ることと、
（ｂ）前記対象から得た前記試料中の第１のバイオマーカーレベルの第２のバイオマーカーレベルに対する比を決定することであって、前記バイオマーカーのうちの少なくとも１つがＣＲＢＮ関連タンパク質である、前記決定することと、
（ｃ）前記対象の前記試料中の前記バイオマーカーレベルの比が前記バイオマーカーレベルの参照比と異なる場合、前記対象を前記治療化合物に応答する可能性があると診断することとを含む、前記方法。
（構成２）
がんを有するか、またはがんを有する疑いのある対象の治療化合物に対する応答性を予測する方法であって、
（ａ）前記対象から試料を得ることと、
（ｂ）前記対象から得た前記試料中の第１のバイオマーカーレベルの第２のバイオマーカーレベルに対する比を決定することであって、前記バイオマーカーのうちの少なくとも１つがＣＲＢＮ関連タンパク質である、前記決定することと、
（ｃ）前記試料中の前記バイオマーカーレベルの比が、参照試料から得た前記バイオマーカーレベルの比と異なる場合、前記対象を前記治療化合物による前記がんの治療に応答する可能性があると診断することとを含む、前記方法。
（構成３）
前記治療化合物に応答する可能性があると診断された前記対象に、治療上有効な量の前記治療化合物を投与することを更に含む、構成１または２に記載の方法。
（構成４）
（ａ）がんを有する対象から試料を得ることと、
（ｂ）前記対象から得た前記試料中の第１のバイオマーカーレベルの第２のバイオマーカーレベルに対する比を決定することであって、前記バイオマーカーのうちの少なくとも１つがＣＲＢＮ関連タンパク質である、前記決定することと、
（ｃ）前記対象の前記試料中の前記バイオマーカーレベルの比が前記バイオマーカーレベルの参照比と異なる場合、前記対象を治療化合物に応答する可能性があると診断することと、
（ｄ）前記治療化合物に応答する可能性があると診断された前記対象に、治療上有効な量の前記治療化合物を投与することとを含む、がんを治療する方法。
（構成５）
ステップ（ｃ）において、前記対象の前記試料中の前記バイオマーカーレベルの比が、前記バイオマーカーレベルの参照比よりも高い場合、前記対象を治療化合物に応答する可能性があると診断する、構成１〜４のいずれか一項に記載の方法。
（構成６）
ステップ（ｃ）において、前記対象の前記試料中の前記バイオマーカーレベルの比が、前記バイオマーカーレベルの参照比よりも低い場合、前記対象を治療化合物に応答する可能性があると診断する、構成１〜４のいずれか一項に記載の方法。
（構成７）
（ａ）がんを有する対象に治療化合物を投与することと、
（ｂ）前記対象から試料を得ることと、
（ｃ）前記対象から得た前記試料中の第１のバイオマーカーレベルの第２のバイオマーカーレベルに対する比を決定することであって、前記バイオマーカーのうちの少なくとも１つがＣＲＢＮ関連タンパク質である、前記決定することと、
（ｄ）前記試料中の前記バイオマーカーレベルの比を、参照試料から得た前記バイオマーカーレベルの比と比較することであって、前記参照と比較したときの比における変化が、前記対象の前記がんを治療することにおける前記治療化合物の有効性を示す、前記比較することとを含む、治療化合物による対象のがんの治療の有効性をモニタリングする方法。
（構成８）
前記参照と比較したときの比の増大が、前記対象の前記がんを治療することにおける前記治療化合物の有効性を示す、構成７に記載の方法。
（構成９）
前記参照と比較したときの比の減少が、前記対象の前記がんを治療することにおける前記治療化合物の有効性を示す、構成７に記載の方法。
（構成１０）
前記参照が、がんを有するが前記化合物での治療に応答しない前記対象から得られた対照試料を使用することによって準備され、前記対照試料は、前記試料と同じ由来源である、構成１〜９のいずれか一項に記載の方法。
（構成１１）
前記参照が、前記がんを有しない健常な対象から得られた対照試料を使用することによって準備され、前記対照試料は、前記試料と同じ由来源である、構成１〜９のいずれか一項に記載の方法。
（構成１２）
前記がんが白血病である、構成１〜１１のいずれか一項に記載の方法。
（構成１３）
前記がんがリンパ腫である、構成１〜１１のいずれか一項に記載の方法。
（構成１４）
前記がんが成人Ｔ細胞白血病（ＡＴＬ）である、構成１〜１１のいずれか一項に記載の方法。
（構成１５）
前記がんが再発性、難治性または従来の治療に対して抵抗性である、構成１〜１１のいずれか一項に記載の方法。
（構成１６）
前記治療化合物が免疫調節化合物である、構成１〜１５のいずれか一項に記載の方法。
（構成１７）
前記治療化合物がレナリドミドである、構成１〜１５のいずれか一項に記載の方法。
（構成１８）
前記治療化合物がレナリドミドであり、前記がんがＡＴＬである、構成１〜１１のいずれか一項に記載の方法。
（構成１９）
前記第１のバイオマーカーが、ＣＲＢＮ、ＩＫＺＦ１及びＩＫＺＦ２を含む群から選択される、構成１〜１８のいずれか一項に記載の方法。
（構成２０）
前記第２のバイオマーカーが、ＣＲＢＮ、ＩＫＺＦ１及びＩＫＺＦ２を含む群から選択される、構成１〜１８のいずれか一項に記載の方法。
（構成２１）
前記第１のバイオマーカー及び前記第２のバイオマーカーがＣＲＢＮ、ＩＫＺＦ１及びＩＫＺＦ２を含む群から選択され、前記バイオマーカーレベルの比が参照と比較して変化する、構成１〜１８のいずれか一項に記載の方法。
（構成２２）
前記バイオマーカーレベルの比が参照と比較して増大する、構成２１に記載の方法。
（構成２３）
前記バイオマーカーレベルの比が参照と比較して減少する、構成２１に記載の方法。
（構成２４）
前記第１のバイオマーカーがＣＲＢＮである、構成１〜１８のいずれか一項に記載の方法。
（構成２５）
前記第２のバイオマーカーがＣＲＢＮの基質である、構成２４に記載の方法。
（構成２６）
前記第２のバイオマーカーがＣＲＢＮの基質でない、構成２４に記載の方法。
（構成２７）
前記第２のバイオマーカーがＩＫＺＦ１である、構成２４に記載の方法。
（構成２８）
前記ＣＲＢＮの発現レベルの前記ＩＫＺＦ１の発現レベルに対する比が３より高い、構成２７に記載の方法。
（構成２９）
前記ＣＲＢＮの発現レベルの前記ＩＫＺＦ１の発現レベルに対する比が４より高い、構成２８に記載の方法。
（構成３０）
前記ＣＲＢＮの発現レベルの前記ＩＫＺＦ１の発現レベルに対する比が５より高い、構成２９に記載の方法。
（構成３１）
前記第２のバイオマーカーがＩＫＺＦ２である、構成２４に記載の方法。
（構成３２）
前記ＣＲＢＮの発現レベルの前記ＩＫＺＦ２の発現レベルに対する比が５００〜５０００である、構成３１に記載の方法。
（構成３３）
前記ＣＲＢＮの発現レベルの前記ＩＫＺＦ２の発現レベルに対する比が５００より高い、構成３２に記載の方法。
（構成３４）
前記ＣＲＢＮの発現レベルの前記ＩＫＺＦ２の発現レベルに対する比が１０００より高い、構成３３に記載の方法。
（構成３５）
前記ＣＲＢＮの発現レベルの前記ＩＫＺＦ２の発現レベルに対する比が１５００より高い、構成３４に記載の方法。
（構成３６）
前記ＣＲＢＮの発現レベルの前記ＩＫＺＦ２の発現レベルに対する比が２５００より高い、構成３５に記載の方法。
（構成３７）
前記バイオマーカーのレベルが前記バイオマーカーのタンパク質レベルを決定することによって測定される、構成１〜３６のいずれか一項に記載の方法。
（構成３８）
前記試料中のタンパク質を、前記バイオマーカータンパク質に免疫特異的に結合する第１の抗体と接触させることを含む、構成３７に記載の方法。
（構成３９）
（ｉ）前記第１の抗体に結合した前記バイオマーカータンパク質を、検出可能な標識を有する第２の抗体と接触させることであって、前記第２の抗体は、前記バイオマーカータンパク質に免疫特異的に結合し、かつ、前記第２の抗体は、前記バイオマーカータンパク質上の前記第１の抗体とは異なるエピトープに免疫特異的に結合する、前記接触させることと、
（ｉｉ）前記タンパク質に結合した前記第２の抗体の存在を検出することと、
（ｉｉｉ）前記第２の抗体中の前記検出可能な標識の量に基づいて前記バイオマーカータンパク質の量を決定することとを更に含む、構成３８に記載の方法。
（構成４０）
（ｉ）前記第１の抗体に結合した前記バイオマーカータンパク質を、検出可能な標識を有する第２の抗体と接触させることであって、前記第２の抗体は、前記第１の抗体に免疫特異的に結合する、前記接触させることと、
（ｉｉ）前記タンパク質に結合した前記第２の抗体の存在を検出することと、
（ｉｉｉ）前記第２の抗体中の前記検出可能な標識の量に基づいて前記バイオマーカータンパク質の量を決定することとを更に含む、構成３８に記載の方法。
（構成４１）
前記バイオマーカーのレベルが前記バイオマーカーのｍＲＮＡレベルを決定することによって測定される、構成１〜３６のいずれか一項に記載の方法。
（構成４２）
前記バイオマーカーのレベルが前記バイオマーカーのｃＤＮＡレベルを決定することによって測定される、構成１〜３６のいずれか一項に記載の方法。
（構成４３）
前記バイオマーカーのレベルが定量的ＰＣＲ（ｑＰＣＲ）を使用して測定される、構成４１または４２に記載の方法。
【図１】
0006585737.tif 000017
【図２Ａ】
0006585737.tif 000018
【図２Ｂ】
0006585737.tif 000019
【図３】
0006585737.tif 000020
【図４】
0006585737.tif 000021
【図５Ａ】
0006585737.tif 000022
【図５Ｂ】
0006585737.tif 000023
【図５Ｃ】
0006585737.tif 000024
【図６】
0006585737.tif 000025